(57)【要約】【課題】  紙幣束に含まれた紙幣の枚数を、容易にかつ確実に、計数可能な紙幣束入出金機を提供することを目的とする。【解決手段】  紙幣束を受け入れて、処理する紙幣束処理機において、受け入れた紙幣束を搬送する入金紙幣束搬送路９、１１と、入金紙幣束搬送路９、１１に沿って設けられ、紙幣束に含まれている紙幣に書き込まれたＲＦＩＤデータを読み取る第一のＲＦＩＤリーダー１０ｂと、第一のＲＦＩＤリーダー１０ｂが読み取った紙幣に書き込まれたＲＦＩＤデータに基づいて、紙幣束に含まれた紙幣を判別し、計数する制御手段３０を備えたことを特徴とする紙幣束処理機。【選択図】      図１
2008165290.tif 000002
【特許請求の範囲】
【請求項１】
紙幣束を受け入れて、処理する紙幣束処理機において、受け入れた紙幣束を搬送する入金紙幣束搬送路と、前記入金紙幣束搬送路に沿って設けられ、前記紙幣束に含まれている紙幣に書き込まれたＲＦＩＤデータを読み取る第一のＲＦＩＤリーダーと、前記第一のＲＦＩＤリーダーが読み取った紙幣に書き込まれたＲＦＩＤデータに基づいて、前記紙幣束に含まれた紙幣を判別し、計数する制御手段を備えたことを特徴とする紙幣束処理機。
【請求項２】
紙幣に書き込まれた前記ＲＦＩＤデータが、少なくとも、その紙幣を特定するＩＤデータと、その紙幣の金種を特定する金種データを含んでいることを特徴とする請求項１に記載の紙幣束処理機。
【請求項３】
前記第一のＲＦＩＤリーダーと、少なくとも前記第一のＲＦＩＤリーダーの近傍の前記入金紙幣束搬送路が、前記第一のＲＦＩＤリーダーから発信される周波数の電波を遮蔽するケーシングによって覆われていることを特徴とする請求項１または２に記載の紙幣束処理機。
【請求項４】
前記紙幣束が、ＲＦＩＤデータが書き込まれた第一の結束テープによって帯封処理され、前記第一のＲＦＩＤリーダーが、さらに、前記第一の結束テープに書き込まれたＲＦＩＤデータを読み取り可能に構成され、前記制御手段が、前記第一のＲＦＩＤリーダーが読み取った紙幣に書き込まれたＲＦＩＤデータおよび前記第一の結束テープに書き込まれたＲＦＩＤデータに基づいて、前記紙幣束が受け入れ可能か否かを判別するように構成されたことを特徴とする請求項１ないし３のいずれか１項に記載の紙幣束処理機。
【請求項５】
前記紙幣束が、ＲＦＩＤデータが書き込まれた第一の結束テープによって帯封処理され、さらに、前記第一の結束テープに書き込まれたＲＦＩＤデータを読み取る第二のＲＦＩＤリーダーを備え、前記制御手段が、前記第一のＲＦＩＤリーダーが読み取った紙幣に書き込まれたＲＦＩＤデータおよび前記第二のＲＦＩＤリーダーが読み取った前記第一の結束テープに書き込まれたＲＦＩＤデータに基づいて、前記紙幣束が受け入れ可能か否かを判別するように構成されたことを特徴とする請求項１ないし３のいずれか１項に記載の紙幣束処理機。
【請求項６】
前記第一のＲＦＩＤリーダーと、前記第二のＲＦＩＤリーダーと、少なくとも前記第一のＲＦＩＤリーダーおよび前記第二のＲＦＩＤリーダーの近傍の前記入金紙幣束搬送路が、前記第一のＲＦＩＤリーダーおよび前記第二のＲＦＩＤリーダーから発信される周波数の電波を遮蔽するケーシングによって覆われていることを特徴とする請求項５に記載の紙幣束処理機。
【請求項７】
前記第一の結束テープに書き込まれた前記ＲＦＩＤデータが、少なくとも、前記結束テープによって帯封処理された前記紙幣束に含まれる紙幣を特定するＩＤデータと、前記紙幣束に含まれる紙幣の金種を特定する金種データと、前記紙幣束に含まれる紙幣の枚数を特定する枚数データと、帯封処理を施した日時、帯封処理を施した金融機関名および帯封処理の実行者よりなる群から選ばれた少なくとも一種の帯封処理に関するデータを含んでいることを特徴とする請求項４ないし６のいずれか１項に記載の紙幣束処理機。
【請求項８】
さらに、受け入れた紙幣束を金種別に収納する複数の紙幣収納ボックスを備え、前記制御手段が、受け入れた紙幣束を、前記複数の紙幣収納ボックス内に金種別に収納するように構成されたことを特徴とする請求項１ないし７のいずれか１項に記載の紙幣束処理機。
【請求項９】
さらに、前記複数の紙幣収納ボックスから繰り出された紙幣束を出金する出金紙幣束搬送路と、前記出金紙幣束搬送路に、前記第一の結束テープに書き込まれたＲＦＩＤデータを読み取る第三のＲＦＩＤリーダーを備えたことを特徴とする請求項８に記載の紙幣束処理機。
【請求項１０】
さらに、受け入れた所定数の紙幣束を束ね、束ねられた紙幣束に第二の結束テープを巻きつけて、帯封処理を施す紙幣束帯封手段を備えたことを特徴とする請求項１ないし７のいずれか１項に記載の紙幣束処理機。
【請求項１１】
さらに、前記紙幣に書き込まれたＲＦＩＤデータおよび前記第一の結束テープに書き込まれた前記ＲＦＩＤデータを格納するメモリを備え、前記メモリが、前記紙幣に書き込まれたＲＦＩＤデータを格納する第一のメモリ領域と、前記第一の結束テープに書き込まれた前記ＲＦＩＤデータを格納する第二のメモリ領域を備えていることを特徴とする請求項４ないし１０のいずれか１項に記載の紙幣束処理機。
【請求項１２】
さらに、前記入金紙幣束搬送路に沿って設けられ、前記紙幣束の前記第一の結束テープにＲＦＩＤデータを書き込む第一のＲＦＩＤライターを備え、前記制御手段が、前記紙幣束が受け入れ可能と判別したときに、前記第一のＲＦＩＤライターに、その旨のＲＦＩＤデータを前記第一の結束テープに書き込ませるように構成されたことを特徴とする請求項４ないし１１のいずれか１項に記載の紙幣束処理機。
【請求項１３】
前記第一のＲＦＩＤライターと、少なくとも前記第一のＲＦＩＤライターの近傍の前記入金紙幣束搬送路が、前記第一のＲＦＩＤライターから発信される周波数の電波を遮蔽するケーシングによって覆われていることを特徴とする請求項１２に記載の紙幣束処理機。
【請求項１４】
前記制御手段が、前記帯封処理に関するデータを格納する中央管理サーバに接続され、前記制御手段が、前記紙幣束の前記第一の結束テープに書き込まれた前記帯封処理に関するデータと、前記中央管理サーバに格納された前記帯封処理に関するデータを対比して、前記紙幣束が受け入れ可能か否かを判別するように構成されたことを特徴とする請求項４ないし１３のいずれか１項に記載の紙幣束処理機。
【請求項１５】
前記紙幣束帯封手段が、さらに、前記第二の結束テープに、少なくとも帯封処理を施した日時、帯封処理を施した金融機関名および帯封処理の実行者よりなる群から選ばれた少なくとも一種の帯封処理に関するＲＦＩＤデータを書き込む第二のＲＦＩＤライターを備えたことを特徴とする請求項１０ないし１４のいずれか１項に記載の紙幣束処理機。
【請求項１６】
前記紙幣束帯封手段が、前記第二のＲＦＩＤライターから発信される周波数の電波を遮蔽するケーシングによって覆われていることを特徴とする請求項１５に記載の紙幣束処理機。
【発明の詳細な説明】
【技術分野】
【０００１】
本発明は、紙幣処理機に関するものであり、さらに詳細には、第一の所定数の紙幣を含み、帯封処理が施された紙幣束を重ね合わせて、結束テープを巻回し、帯封処理を施して、第二の所定数に等しい数の紙幣束を含む紙幣束を生成する紙幣処理機であって、所望のように管理可能な紙幣束を生成することができる紙幣処理機に関するものである。
【背景技術】
【０００２】
金融機関などにおいては、通常、紙幣は、所定枚数、たとえば、１００枚の紙幣に結束テープを巻回して、帯封処理を施した紙幣束の形で取り扱われており、紙幣を、紙幣束の形で、入金し、出金する紙幣束入出金機が広く用いられている。
【０００３】
また、第一の所定枚数、たとえば、１００枚の紙幣に結束テープを巻回して、帯封処理を施した紙幣束（以下、「単位紙幣束」あるいは「小束紙幣」という。）を、第二の所定数、たとえば、１０束だけ、重ね合わせて、結束テープを巻回し、帯封処理を施して、第二の所定数の単位紙幣束を含む紙幣束を生成する紙幣束処理機も知られている。
【発明の開示】
【発明が解決しようとする課題】
【０００４】
しかしながら、単位紙幣束に含まれた紙幣の枚数を計数するには、単位紙幣束の形で、紙幣の枚数を計数可能な紙幣計数機を用いて、計数するか、あるいは、オペレータが手で計数するかする以外に方法がなく、従来の紙幣束入出金機は、単位紙幣束に含まれた紙幣の枚数を計数する機能を有していないため、紙幣束入出金機に単位紙幣束を入金するのに先立って、単位紙幣束に含まれた紙幣の枚数を、単位紙幣束の形で、紙幣の枚数を計数可能な紙幣計数機を用いて、計数するか、あるいは、オペレータが手で計数する必要があるという問題があった。
【０００５】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤシステムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るものである。
【０００６】
しかしながら、ＲＦＩＤシステムを利用して、紙幣処理機や紙幣束処理機をどのように構成するかについての具体的な提案はほとんどなされていなかった。
【０００７】
したがって、本発明は、紙幣束に含まれた紙幣の枚数を、容易にかつ確実に、計数可能な紙幣束入出金機を提供することを目的とするものである。
【課題を解決するための手段】
【０００８】
本発明のかかる目的は、紙幣束を受け入れて、処理する紙幣束処理機において、受け入れた紙幣束を搬送する入金紙幣束搬送路と、前記入金紙幣束搬送路に沿って設けられ、前記紙幣束に含まれている紙幣に書き込まれたＲＦＩＤデータを読み取る第一のＲＦＩＤリーダーと、前記第一のＲＦＩＤリーダーが読み取った紙幣に書き込まれたＲＦＩＤデータに基づいて、前記紙幣束に含まれた紙幣を判別し、計数する制御手段を備えたことを特徴とする紙幣束処理機によって達成される。
【０００９】
本発明によれば、紙幣束処理機は、入金紙幣束搬送路に沿って設けられ、紙幣束に含まれている紙幣に書き込まれたＲＦＩＤデータを読み取る第一のＲＦＩＤリーダーと、第一のＲＦＩＤリーダーが読み取った紙幣に書き込まれたＲＦＩＤデータに基づいて、紙幣束に含まれた紙幣を判別し、計数する制御手段を備えているから、紙幣束を紙幣束処理機に入金するのに先立って、専用の紙幣計数機を用い、あるいは、手で、紙幣束に含まれた紙幣の枚数を計数するという煩雑な操作を強いられることなく、容易にかつ正確に、紙幣束に含まれた紙幣の枚数を計数して、紙幣束を紙幣束処理機に入金することが可能になる。
【００１０】
本発明の好ましい実施態様においては、紙幣に書き込まれた前記ＲＦＩＤデータが、少なくとも、その紙幣を特定するＩＤデータと、その紙幣の金種を特定する金種データを含んでいる。
【００１１】
本発明のさらに好ましい実施態様においては、前記第一のＲＦＩＤリーダーと、少なくとも前記第一のＲＦＩＤリーダーの近傍の前記入金紙幣束搬送路が、前記第一のＲＦＩＤリーダーから発信される周波数の電波を遮蔽するケーシングによって覆われている。
【００１２】
本発明のさらに好ましい実施態様によれば、第一のＲＦＩＤリーダーと、少なくとも第一のＲＦＩＤリーダーの近傍の入金紙幣束搬送路が、第一のＲＦＩＤリーダーから発信された周波数の電波を遮蔽するケーシングによって覆われているから、第一のＲＦＩＤリーダー近傍の入金紙幣束搬送路上を搬送されている紙幣束に含まれている紙幣に書き込まれたＲＦＩＤデータのみを選択的に読み取ることができ、第一のＲＦＩＤリーダーによって読み取られた紙幣のＲＦＩＤデータに基づいて、所望のように、受け入れ可能な紙幣のみを入金することが可能になる。
【００１３】
本発明の好ましい実施態様においては、前記紙幣束が、ＲＦＩＤデータが書き込まれた第一の結束テープによって帯封処理され、前記第一のＲＦＩＤリーダーが、さらに、前記第一の結束テープに書き込まれたＲＦＩＤデータを読み取り可能に構成され、前記制御手段が、前記第一のＲＦＩＤリーダーが読み取った紙幣に書き込まれたＲＦＩＤデータおよび前記第一の結束テープに書き込まれたＲＦＩＤデータに基づいて、前記紙幣束が受け入れ可能か否かを判別するように構成されている。
【００１４】
本発明の好ましい実施態様によれば、第一のＲＦＩＤリーダーが、紙幣束を帯封処理している第一の結束テープに書き込まれたＲＦＩＤデータを読み取り可能に構成され、制御手段が、第一のＲＦＩＤリーダーが読み取った紙幣に書き込まれたＲＦＩＤデータおよび第一の結束テープに書き込まれたＲＦＩＤデータに基づいて、紙幣束が受け入れ可能か否かを判別するように構成されているから、紙幣の一部が抜き取られた紙幣束および紙幣の一部が差し替えられている紙幣束を確実に判別することができ、受け入れ可能な紙幣束のみを入金することが可能になる。
【００１５】
本発明の別の好ましい実施態様においては、前記紙幣束が、ＲＦＩＤデータが書き込まれた第一の結束テープによって帯封処理され、さらに、前記第一の結束テープに書き込まれたＲＦＩＤデータを読み取る第二のＲＦＩＤリーダーを備え、前記制御手段が、前記第一のＲＦＩＤリーダーが読み取った紙幣に書き込まれたＲＦＩＤデータおよび前記第二のＲＦＩＤリーダーが読み取った前記第一の結束テープに書き込まれたＲＦＩＤデータに基づいて、前記紙幣束が受け入れ可能か否かを判別するように構成されている。
【００１６】
本発明の別の好ましい実施態様によれば、さらに、紙幣束を帯封処理している第一の結束テープに書き込まれたＲＦＩＤデータを読み取る第二のＲＦＩＤリーダーを備え、制御手段が、第一のＲＦＩＤリーダーが読み取った紙幣に書き込まれたＲＦＩＤデータおよび第二のＲＦＩＤリーダーが読み取った第一の結束テープに書き込まれたＲＦＩＤデータに基づいて、紙幣束が受け入れ可能か否かを判別するように構成されているから、紙幣の一部が抜き取られた紙幣束および紙幣の一部が差し替えられている紙幣束を確実に判別することができ、受け入れ可能な紙幣束のみを入金することが可能になる。
【００１７】
本発明のさらに好ましい実施態様においては、前記第一のＲＦＩＤリーダーと、前記第二のＲＦＩＤリーダーと、少なくとも前記第一のＲＦＩＤリーダーおよび前記第二のＲＦＩＤリーダーの近傍の前記入金紙幣束搬送路が、前記第一のＲＦＩＤリーダーおよび前記第二のＲＦＩＤリーダーから発信される周波数の電波を遮蔽するケーシングによって覆われている。
【００１８】
本発明のさらに好ましい実施態様によれば、第一のＲＦＩＤリーダーと、第二のＲＦＩＤリーダーと、少なくとも第一のＲＦＩＤリーダーおよび第二のＲＦＩＤリーダーの近傍の入金紙幣束搬送路が、第一のＲＦＩＤリーダーおよび第二のＲＦＩＤリーダーから発信される周波数の電波を遮蔽するケーシングによって覆われているから、第一のＲＦＩＤリーダーおよび第二のＲＦＩＤリーダー近傍の入金紙幣束搬送路上を搬送されている紙幣束に含まれている紙幣に書き込まれたＲＦＩＤデータおよび第一の結束テープに書き込まれたＲＦＩＤデータのみを選択的に読み取ることができ、第一のＲＦＩＤリーダーおよび第二のＲＦＩＤリーダーによって読み取られた紙幣のＲＦＩＤデータに基づいて、所望のように、受け入れ可能な紙幣のみを入金することが可能になる。
【００１９】
本発明のさらに好ましい実施態様においては、前記第一の結束テープに書き込まれた前記ＲＦＩＤデータが、少なくとも、前記結束テープによって帯封処理された前記紙幣束に含まれる紙幣を特定するＩＤデータと、前記紙幣束に含まれる紙幣の金種を特定する金種データと、前記紙幣束に含まれる紙幣の枚数を特定する枚数データと、帯封処理を施した日時、帯封処理を施した金融機関名および帯封処理の実行者よりなる群から選ばれた少なくとも一種の帯封処理に関するデータを含んでいる。
【００２０】
本発明のさらに好ましい実施態様においては、紙幣束処理機は、さらに、受け入れた紙幣束を金種別に収納する複数の紙幣収納ボックスを備え、前記制御手段が、受け入れた紙幣束を、前記複数の紙幣収納ボックス内に金種別に収納するように構成されている。
【００２１】
本発明のさらに好ましい実施態様においては、紙幣束処理機は、さらに、前記複数の紙幣収納ボックスから繰り出された紙幣束を出金する出金紙幣束搬送路と、前記出金紙幣束搬送路に、前記第一の結束テープに書き込まれたＲＦＩＤデータを読み取る第三のＲＦＩＤリーダーを備えている。
【００２２】
本発明の別の好ましい実施態様においては、紙幣束処理機は、さらに、受け入れた所定数の紙幣束を束ね、束ねられた紙幣束に第二の結束テープを巻きつけて、帯封処理を施す紙幣束帯封手段を備えている。
【００２３】
本発明の別の好ましい実施態様によれば、紙幣束処理機は、さらに、受け入れた所定数の紙幣束を束ね、束ねられた紙幣束に第二の結束テープを巻きつけて、帯封処理を施す紙幣束帯封手段を備えているから、所定数の紙幣束を含む紙幣束（大束）を生成することが可能になる。
【００２４】
本発明のさらに好ましい実施態様においては、紙幣束処理機は、さらに、前記紙幣に書き込まれたＲＦＩＤデータおよび前記第一の結束テープに書き込まれた前記ＲＦＩＤデータを格納するメモリを備え、前記メモリが、前記紙幣に書き込まれたＲＦＩＤデータを格納する第一のメモリ領域と、前記第一の結束テープに書き込まれた前記ＲＦＩＤデータを格納する第二のメモリ領域を備えている。
【００２５】
本発明のさらに好ましい実施態様においては、紙幣束処理機は、さらに、前記入金紙幣束搬送路に沿って設けられ、前記紙幣束の前記第一の結束テープにＲＦＩＤデータを書き込む第一のＲＦＩＤライターを備え、前記制御手段が、前記紙幣束が受け入れ可能と判別したときに、前記第一のＲＦＩＤライターに、その旨のＲＦＩＤデータを前記第一の結束テープに書き込ませるように構成されている。
【００２６】
本発明のさらに好ましい実施態様によれば、紙幣束処理機は、さらに、入金紙幣束搬送路に沿って設けられ、紙幣束の第一の結束テープにＲＦＩＤデータを書き込む第一のＲＦＩＤライターを備え、制御手段が、紙幣束が受け入れ可能と判別したときに、第一のＲＦＩＤライターに、その旨のＲＦＩＤデータを第一の結束テープに書き込ませるように構成されているから、その紙幣束を再び処理する場合や、別の紙幣束処理機で、その紙幣束を処理する場合に、制御手段の判別結果を効果的に利用することが可能になる。
【００２７】
本発明のさらに好ましい実施態様においては、前記第一のＲＦＩＤライターと、少なくとも前記第一のＲＦＩＤライターの近傍の前記入金紙幣束搬送路が、前記第一のＲＦＩＤライターから発信される周波数の電波を遮蔽するケーシングによって覆われている。
【００２８】
本発明のさらに好ましい実施態様においては、前記制御手段が、前記帯封処理に関するデータを格納する中央管理サーバに接続され、前記制御手段が、前記紙幣束の前記第一の結束テープに書き込まれた前記帯封処理に関するデータと、前記中央管理サーバに格納された前記帯封処理に関するデータを対比して、前記紙幣束が受け入れ可能か否かを判別するように構成されている。
【００２９】
本発明のさらに好ましい実施態様によれば、制御手段が、紙幣束の第一の結束テープに書き込まれた帯封処理に関するデータと、中央管理サーバに格納された帯封処理に関するデータを対比して、紙幣束が受け入れ可能か否かを判別するように構成されているから、より確実に、受け入れ可能な紙幣束のみを入金することが可能になる。
【００３０】
本発明のさらに好ましい実施態様においては、前記紙幣束帯封手段が、さらに、前記第二の結束テープに、少なくとも帯封処理を施した日時、帯封処理を施した金融機関名および帯封処理の実行者よりなる群から選ばれた少なくとも一種の帯封処理に関するＲＦＩＤデータを書き込む第二のＲＦＩＤライターを備えている。
【００３１】
本発明のさらに好ましい実施態様によれば、紙幣束帯封手段が、さらに、第二の結束テープに、少なくとも帯封処理を施した日時、帯封処理を施した金融機関名および帯封処理の実行者よりなる群から選ばれた少なくとも一種の帯封処理に関するＲＦＩＤデータを書き込む第二のＲＦＩＤライターを備えているから、所定数の紙幣束を含む紙幣束（大束）を生成した際に、第二の結束テープに、帯封処理に関するＲＦＩＤデータを書き込むことができ、したがって、所定数の紙幣束を含む紙幣束を容易に管理することが可能になる。
【００３２】
本発明のさらに好ましい実施態様においては、前記紙幣束帯封手段が、前記第二のＲＦＩＤライターから発信される周波数の電波を遮蔽するケーシングによって覆われている。
【発明の効果】
【００３３】
本発明によれば、紙幣束に含まれた紙幣の枚数を、容易にかつ確実に、計数可能な紙幣束入出金機を提供することが可能になる。
【発明を実施するための最良の形態】
【００３４】
以下、添付図面に基づいて、本発明の好ましい実施態様につき、詳細に説明を加える。
【００３５】
図１は、本発明の好ましい実施態様にかかる紙幣束入出金機の略縦断面図である。
【００３６】
本実施態様にかかる紙幣束入出金機は、銀行などの金融機関内で使用されるように構成され、第一の所定数の紙幣、たとえば、１００枚の紙幣を含み、帯封処理が施された単位紙幣束（小束紙幣）を、入金して、貯留し、必要に応じて、出金することができるように構成されている。単位紙幣束を構成する各紙幣には、紙幣の発行権限を有する機関によって、インレットが一体的に形成され、インレット中のＩＣチップに、紙幣のＩＤデータ、紙幣の金種データなどのＲＦＩＤデータが、特定のフォーマットで、記録されている。ここに、紙幣に一体的に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００３７】
また、単位紙幣束には、ＩＣチップとアンテナを含むインレットが一体的に形成された結束テープが巻回されて、帯封が付されており、結束テープのインレット中のＩＣチップには、単位紙幣束に含まれる紙幣のＩＤデータ、金種データなどの単位紙幣束を構成する紙幣に関するＲＦＩＤデータおよび単位紙幣束に含まれる紙幣の枚数、単位紙幣束に帯封処理を施した日時、単位紙幣束に帯封処理を施した金融機関名、単位紙幣束の帯封処理の実行者などの単位紙幣束の帯封処理に関するＲＦＩＤデータが書き込まれている。
【００３８】
インレットを結束テープに一体的に形成する方法としては、結束テープ用の紙を抄く際に、結束テープ用の紙にインレットを埋め込む方法、結束テープにインレットを印刷する方法などが挙げられるが、とくに限定されるものではない。
【００３９】
図１に示されるように、本実施態様にかかる紙幣束入出金機は、ハウジング１を備え、ハウジング１の上部には、第一の所定数の紙幣、たとえば、１００枚の紙幣を含む単位紙幣束がセットされる紙幣束入金口２と、単位紙幣束を出金する紙幣束出金口３と、紙幣束入金口２にセットされた単位紙幣束のうち、偽造紙幣、外国紙幣などの受け入れ不能な紙幣を含んでいると判別された単位紙幣束を返却する第一の紙幣束返却口４と、単位紙幣束を構成している紙幣は受け入れ可能であるが、単位紙幣束に異なる金種の紙幣が含まれていると判別された単位紙幣束、単位紙幣束に含まれている紙幣の枚数に過不足があると判別された単位紙幣束、単位紙幣束を構成している各紙幣のＲＦＩＤデータと結束テープに一体的に形成されたインレット中のＩＣチップに書き込まれた紙幣に関するＲＦＩＤデータとが一致していないと判別された単位紙幣束および単位紙幣束を作成する権限がない者によって作成されたと認められた単位紙幣束を返却する第二の紙幣束返却口５が設けられている。
【００４０】
紙幣束入金口２は、１束ずつ、単位紙幣束をセット可能に構成されており、図１に示されるように、紙幣束入金口２にセットされた単位紙幣束は、繰り出しローラ（図示せず）によって、紙幣束入金口２から、紙幣束搬送路９内に繰り出されるように構成されている。
【００４１】
図１に示されるように、紙幣束搬送路９は、データ読み取り手段１０に接続されている。
【００４２】
データ読み取り手段１０は、単位紙幣束に巻き付けられた結束テープに一体的に形成されているインレット内のＩＣチップに書き込まれたＲＦＩＤデータを読み取る第一のＲＦＩＤリーダー（図示せず）と、単位紙幣束に含まれた紙幣に一体的に形成されているインレット内のＩＣチップに書き込まれたＲＦＩＤデータを読み取る第二のＲＦＩＤリーダー（図示せず）と、単位紙幣束の結束テープに、ＲＦＩＤデータを書き込むＲＦＩＤライター（図示せず）を備え、第一のＲＦＩＤリーダー、第二のＲＦＩＤリーダーおよびＲＦＩＤライターから発信される周波数の電波を遮蔽する材料によって形成されたケーシング１０ｄによって覆われている。
【００４３】
図１に示されるように、データ読み取り手段１０の下流側には、紙幣束搬送路１１が接続されており、紙幣束搬送路１１から、第一の紙幣束返却口４に接続された分岐搬送路１２が分岐し、分岐搬送路１２の分岐部には、単位紙幣束を、紙幣束搬送路１１および分岐搬送路１２のいずれかに選択的に導くゲート部材１３が設けられている。
【００４４】
データ読み取り手段１０の第一のＲＦＩＤリーダーおよび第二のＲＦＩＤリーダーによって読み取られたＲＦＩＤデータに基づき、受け入れ不能な紙幣を含んでいると判別された単位紙幣束は、紙幣束搬送路１１、ゲート部材１３および分岐搬送路１２を介して、第一の紙幣束返却口４に送られて、オペレータに返却される。
【００４５】
さらに、分岐搬送路１２の分岐部の下流側の紙幣束搬送路１１から、第二の紙幣束返却口５に接続された分岐搬送路１４が分岐し、分岐搬送路１４の分岐部には、紙幣を、紙幣束搬送路１１および分岐搬送路１４のいずれかに選択的に導くゲート部材１５が設けられている。
【００４６】
データ読み取り手段１０の第一のＲＦＩＤリーダーおよび第二のＲＦＩＤリーダーによって読み取られたＲＦＩＤデータに基づき、単位紙幣束を構成している紙幣は受け入れ可能であるが、単位紙幣束に異なる金種の紙幣が含まれていると判別された単位紙幣束、単位紙幣束に含まれている紙幣の枚数に過不足があると判別された単位紙幣束、単位紙幣束を構成している各紙幣のＲＦＩＤデータと結束テープに一体的に形成されたインレット中のＩＣチップに書き込まれた紙幣に関するＲＦＩＤデータとが一致していないと判別された単位紙幣束および単位紙幣束を作成する権限がない者によって作成されたと認められた単位紙幣束は、紙幣束搬送路１１、ゲート部材１５および分岐搬送路１４を介して、第二の紙幣束返却口５に送られて、オペレータに返却される。
【００４７】
図１に示されるように、分岐搬送路１４の分岐部の下流側の紙幣束搬送路１１からは、分岐搬送路１６、分岐搬送路１７および分岐搬送路１８が、この順に分岐しており、分岐搬送路１６の分岐部には、紙幣束を紙幣束搬送路１１および分岐搬送路１６のいずれかに選択的に導くゲート部材２１が設けられ、分岐搬送路１７の分岐部には、紙幣束を紙幣束搬送路１１および分岐搬送路１７のいずれかに選択的に導くゲート部材２２が設けられている。さらに、分岐搬送路１８の分岐部には、紙幣束を紙幣束搬送路１１および分岐搬送路１８のいずれかに選択的に導くゲート部材２３が設けられている。
【００４８】
図１に示されるように、紙幣束搬送路１１の下方には、紙幣束収納ユニット２５が設けられ、分岐搬送路１６、分岐搬送路１７および分岐搬送路１８は、紙幣束収納ユニット２５内に延び、紙幣束搬送路１１は、分岐搬送路１８の分岐部の下流側において、紙幣束収納ユニット２５内に延びている。
【００４９】
紙幣束収納ユニット２５は、通常は、ロック部材（図示せず）によって、ロックされて、紙幣束入出金機に固定され、ロック部材によるロックが解除されたときは、スライドさせて、紙幣束入出金機から取り出し可能に構成されている。
【００５０】
本実施態様にかかる紙幣束入出金機は、４種類の金種の紙幣束を入出金可能に構成されており、図１に示されるように、紙幣束収納ユニット２５は、第一の金種の単位紙幣束を収納する第一の紙幣束収納ボックス２５ａと、第二の金種の単位紙幣束を収納する第二の紙幣束収納ボックス２５ｂと、第三の金種の単位紙幣束を収納する第三の紙幣束収納ボックス２５ｃと、第四の金種の単位紙幣束を収納する第四の紙幣束収納ボックス２５ｄを備えている。紙幣束入金口２から投入された受け容れ可能な単位紙幣束は、金種にしたがって、第一の紙幣束収納ボックス２５ａ、第二の紙幣束収納ボックス２５ｂ、第三の紙幣束収納ボックス２５ｃおよび第四の紙幣束収納ボックス２５ｄのいずれかに選択的に送られて、収納される。
【００５１】
図１に示されるように、第一の紙幣束収納ボックス２５ａの下部には、第一の紙幣束収納ボックス２５ａ内に収納された単位紙幣束を、１つずつ、紙幣束出金搬送路２６に繰り出す第一の紙幣束繰り出し部２７ａが設けられ、第二の紙幣束収納ボックス２５ｂの下部には、第二の紙幣束収納ボックス２５ｂ内に収納された単位紙幣束を、１つずつ、紙幣束出金搬送路２６に繰り出す第二の紙幣束繰り出し部２７ｂが設けられている。さらに、第三の紙幣束収納ボックス２５ｃの下部には、第三の紙幣束収納ボックス２５ｃ内に収納された単位紙幣束を、１つずつ、紙幣束出金搬送路２６に繰り出す第三の紙幣束繰り出し部２７ｃが設けられ、第四の紙幣束収納ボックス２５ｄの下部には、第四の紙幣束収納ボックス２５ｄ内に収納された単位紙幣束を、１つずつ、紙幣束出金搬送路２６に繰り出す第四の紙幣束繰り出し部２７ｄが設けられている。
【００５２】
紙幣束出金搬送路２６は、ハウジング１の上部に設けられた紙幣束出金口３に接続され、紙幣束出金搬送路２６には、紙幣束検出部２８が設けられている。
【００５３】
紙幣束検出部２８は、ＲＦＩＤリーダー（図示せず）を備え、ＲＦＩＤリーダーから発信される周波数の電波を遮蔽する性質を有する材料によって形成されたケーシング２８ｂによって覆われている。
【００５４】
図２は、図１に示された紙幣束入出金機の制御系、検出系、駆動系、入力系および表示系を示すブロックダイアグラムである。
【００５５】
図２に示されるように、本実施態様にかかる紙幣束入出金機の制御系は、紙幣束入出金機全体の動作を制御するＣＰＵ３０と、紙幣入出金機の制御プログラムなどが格納されたＲＯＭ３１と、各種データを記憶するＲＡＭ３２を備えている。
【００５６】
図２に示されるように、ＲＡＭ３２のメモリ領域は、紙幣束に関するデータを格納する第一のメモリ領域３２ａと、単位紙幣束を構成する紙幣に関するＲＦＩＤデータおよび帯封処理に関するＲＦＩＤデータを格納する第二のメモリ領域３２ｂと、各紙幣のＲＦＩＤデータを格納する第三のメモリ領域３２ｃと、出金すべき単位紙幣束を管理するデータを格納する第四のメモリ領域３２ｄとに分割されている。また、ＣＰＵ３０は、紙幣束に帯封処理を施す権限を有する金融機関によって、共同管理されている中央管理サーバ３５に接続されており、中央管理サーバ３５には、各金融機関が、所定枚数の紙幣に、結束テープを巻回して、帯封をし、紙幣束を作成する際に、結束テープに形成されたインレット内のＩＣチップに書き込んだ帯封処理に関するデータが記憶されている。
【００５７】
図２に示されるように、本実施態様にかかる紙幣束入出金機の検出系は、データ読み取り手段１０と、紙幣束出金搬送路２６に設けられた紙幣束検出部２８を備えている。
【００５８】
図２に示されるように、データ読み取り手段１０は、単位紙幣束に巻き付けられた結束テープに一体的に形成されているインレット内のＩＣチップに書き込まれたＲＦＩＤデータを読み取る第一のＲＦＩＤリーダー１０ａと、単位紙幣束に含まれた紙幣に一体的に形成されているインレット内のＩＣチップに書き込まれたＲＦＩＤデータを読み取る第二のＲＦＩＤリーダー１０ｂと、単位紙幣束に巻き付けられた結束テープにＲＦＩＤデータを書き込むＲＦＩＤライター１０ｃを備え、紙幣束検出部２８は、ＲＦＩＤリーダー２８ａを備えている。
【００５９】
図２に示されるように、本実施態様にかかる紙幣束入出金機の駆動系は、繰り出しローラ（図示せず）を駆動する繰り出しローラ駆動手段４０と、紙幣束搬送路９、紙幣束搬送路１１、分岐搬送路１２、分岐搬送路１４、分岐搬送路１６、分岐搬送路１７、分岐搬送路１８および紙幣束出金搬送路２６に設けられた搬送ローラ（図示せず）を駆動する搬送ローラ駆動手段４１と、ゲート部材１３を駆動するソレノイド４２と、ゲート部材１５を駆動するソレノイド４３と、ゲート部材２１を駆動するソレノイド４４と、ゲート部材２２を駆動するソレノイド４５と、ゲート部材２３を駆動するソレノイド４６と、第一の紙幣束収納ボックス２５ａの下部に設けられ、第一の紙幣束収納ボックス２５ａ内に収納された単位紙幣束を、１つずつ、紙幣束出金搬送路２６に繰り出す第一の紙幣束繰り出し部２７ａと、第二の紙幣束収納ボックス２５ｂの下部に設けられ、第二の紙幣束収納ボックス２５ｂ内に収納された単位紙幣束を、１つずつ、紙幣束出金搬送路２６に繰り出す第二の紙幣束繰り出し部２７ｂと、第三の紙幣束収納ボックス２５ｃの下部に設けられ、第三の紙幣束収納ボックス２５ｃ内に収納された単位紙幣束を、１つずつ、紙幣束出金搬送路２６に繰り出す第三の紙幣束繰り出し部２７ｃと、第四の紙幣束収納ボックス２５ｄの下部に設けられ、第四の紙幣束収納ボックス２５ｄ内に収納された単位紙幣束を、１つずつ、紙幣束出金搬送路２６に繰り出す第四の紙幣束繰り出し部２７ｄと、ＲＦＩＤライター１０ｃを駆動するＲＦＩＤライター駆動手段４７とを備えている。
【００６０】
図２に示されるように、本実施態様にかかる紙幣入出金機の入力系は、オペレータによって操作され、種々の指示信号が入力されるキーボード５０を備えており、紙幣入出金機の表示系は、紙幣の計数結果などを表示するディスプレイ５５を備えている。
【００６１】
以上のように構成された本実施態様にかかる紙幣入出金機は、以下のようにして、紙幣束入金口２にセットされた紙幣束を入金して、第一の紙幣束収納ボックス２５ａ、第二の紙幣束収納ボックス２５ｂ、第三の紙幣束収納ボックス２５ｃあるいは第四の紙幣束収納ボックス２５ｄ内に収納し、第一の紙幣束収納ボックス２５ａ、第二の紙幣束収納ボックス２５ｂ、第三の紙幣束収納ボックス２５ｃあるいは第四の紙幣束収納ボックス２５ｄ内に収納された紙幣束を、紙幣束出金口３に出金する。
【００６２】
まず、オペレータによって、単位紙幣束が、紙幣束入金口２内にセットされる。
【００６３】
次いで、オペレータによって、キーボード５０に、単位紙幣束に含まれている紙幣の枚数を特定する紙幣束入金データと単位紙幣束を入金すべき旨を指示する紙幣束入金信号が入力される。
【００６４】
紙幣束入金データおよび紙幣束入金信号は、ＣＰＵ３０に出力され、ＣＰＵ３０は紙幣束入金データおよび紙幣束入金信号を受けると、単位紙幣束に含まれている紙幣の枚数を、入金すべき単位紙幣束に関するデータを格納するＲＡＭ３２の第一のメモリ領域３２ａに書き込むとともに、繰り出しローラ駆動手段４０、搬送ローラ駆動手段４１に駆動信号を出力して、繰り出しローラ（図示せず）ならびに紙幣束搬送路９、紙幣束搬送路１１、分岐搬送路１２、分岐搬送路１４、分岐搬送路１６、分岐搬送路１７、分岐搬送路１８および紙幣束出金搬送路２６に設けられた搬送ローラを駆動する。
【００６５】
その結果、紙幣束入金口２にセットされた単位紙幣束は、繰り出しローラによって、紙幣束搬送路９内に繰り出され、データ読み取り手段１０に送られる。
【００６６】
単位紙幣束が、データ読み取り手段１０に送られると、データ読み取り手段１０に設けられた第一のＲＦＩＤリーダー１０ａによって、単位紙幣束に巻き付けられた結束テープに一体的に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、第二のＲＦＩＤリーダー１０ｂによって、単位紙幣束に含まれた紙幣に一体的に形成されているインレット内のＩＣチップに書き込まれた紙幣のＩＤデータ、金種データなどの各紙幣のＲＦＩＤデータが読み取られ、第一のＲＦＩＤリーダー１０ａによって読み取られた紙幣に関するＲＦＩＤデータおよび帯封処理に関するＲＦＩＤデータならびに第二のＲＦＩＤリーダー１０ｂによって読み取られた各紙幣のＲＦＩＤデータは、データ読み取り手段１０からＣＰＵ３０に出力される。
【００６７】
ＣＰＵ３０は、データ読み取り手段１０から、紙幣に関するＲＦＩＤデータおよび帯封処理に関するＲＦＩＤデータならびに各紙幣のＲＦＩＤデータを受けると、紙幣に関するＲＦＩＤデータおよび帯封処理に関するＲＦＩＤデータをＲＡＭ３２の第二のメモリ領域３２ｂに書き込み、各紙幣のＲＦＩＤデータをＲＡＭ３２の第三のメモリ領域３２ｃに書き込むとともに、オペレータに、次の単位紙幣束を紙幣束入金口２にセットすべき旨を促すメッセージを、ディスプレイ５５に表示する。
【００６８】
次いで、ＣＰＵ３０は、データ読み取り手段１０から入力された各紙幣のＲＦＩＤデータに基づいて、検出された単位紙幣束に含まれているすべての紙幣が、現に流通している真正な紙幣か否か、すべての紙幣が、現に流通している真正な紙幣であるときは、その単位紙幣束を構成している紙幣の金種がすべて同一であるか否かおよびその単位紙幣束に含まれている紙幣の枚数がＲＡＭ３２の第一のメモリ領域３２ａに書き込まれた単位紙幣束に含まれている紙幣の枚数と一致するか否かを判定する。
【００６９】
その結果、検出された単位紙幣束に、偽造紙幣、外国紙幣などが含まれ、単位紙幣束に含まれている紙幣がすべて、現に流通している真正な紙幣ではないと判別したときは、その単位紙幣束を構成している紙幣の一部が、偽造紙幣、外国紙幣などに差し替えられているおそれが高く、その単位紙幣束を入金することはできないから、ＣＰＵ３０は、ディスプレイ５５に、受け入れ不能な単位紙幣束が検出された旨を表示するとともに、ゲート部材１３を駆動するソレノイド４２に駆動信号を出力して、ゲート部材１３を、紙幣束搬送路１１と分岐搬送路１２とを連通させる位置に移動させ、その単位紙幣束を、紙幣束搬送路１１、ゲート部材１３および分岐搬送路１２を介して、第一の紙幣束返却口４に送って、オペレータに返却する。
【００７０】
これに対して、検出された単位紙幣束に含まれているすべての紙幣が、現に流通している真正な紙幣ではあるが、単位紙幣束を構成している紙幣の金種がすべて同一でないと判別したときは、その単位紙幣束を入金すると、所望のように、入金した紙幣束の管理ができなくなるから、ＣＰＵ３０は、ディスプレイ５５に、入金すべきでない単位紙幣束が検出された旨を表示するとともに、ゲート部材１５を駆動するソレノイド４３に駆動信号を出力して、ゲート部材１５を、紙幣束搬送路１１と分岐搬送路１４とを連通させる位置に移動させ、その単位紙幣束を、紙幣束搬送路１１、ゲート部材１５および分岐搬送路１４を介して、第二の紙幣束返却口５に送って、オペレータに返却する。
【００７１】
一方、検出された単位紙幣束に含まれているすべての紙幣が、現に流通している真正な紙幣であり、かつ、単位紙幣束を構成している紙幣の金種がすべて同一ではあるが、その単位紙幣束に含まれている紙幣の枚数と、ＲＡＭ３２の第一のメモリ領域３２ａに書き込まれた単位紙幣束に含まれている紙幣の枚数とが一致していないと判定したときは、その単位紙幣束を入金すると、入金された単位紙幣束の管理ができなくなるから、ＣＰＵ３０は、ディスプレイ５５に、入金すべきでない単位紙幣束が検出された旨を表示するとともに、ゲート部材１５を駆動するソレノイド４３に駆動信号を出力して、ゲート部材１５を、紙幣束搬送路１１と分岐搬送路１４とを連通させる位置に移動させ、その単位紙幣束を、紙幣束搬送路１１、ゲート部材１５および分岐搬送路１４を介して、第二の紙幣束返却口５に送って、オペレータに返却する。
【００７２】
これに対して、検出された単位紙幣束に含まれているすべての紙幣が、現に流通している同一金種の真正な紙幣であり、かつ、その単位紙幣束に含まれている紙幣の枚数と、ＲＡＭ３２の第一のメモリ領域３２ａに書き込まれた単位紙幣束に含まれている紙幣の枚数とが一致していると判定したときは、ＣＰＵ３０は、さらに、データ読み取り手段１０から入力された単位紙幣束を構成している各紙幣のＲＦＩＤデータと結束テープに一体的に形成されたインレット中のＩＣチップに書き込まれた紙幣に関するＲＦＩＤデータとが一致しているか否かを判別する。
【００７３】
その結果、単位紙幣束を構成している各紙幣のＲＦＩＤデータと結束テープに一体的に形成されたインレット中のＩＣチップに書き込まれた紙幣に関するＲＦＩＤデータとが一致していないと判別したときは、その単位紙幣束を構成している紙幣の一部が他の紙幣に差し替えられていると認められ、その単位紙幣束を入金すると、入金した紙幣束の管理が困難になるから、ＣＰＵ３０は、ディスプレイ５５に、入金すべきでない単位紙幣束が検出された旨を表示するとともに、ゲート部材１５を駆動するソレノイド４３に駆動信号を出力して、ゲート部材１５を、紙幣束搬送路１１と分岐搬送路１４とを連通させる位置に移動させ、その単位紙幣束を、紙幣束搬送路１１、ゲート部材１５および分岐搬送路１４を介して、第二の紙幣束返却口５に送って、オペレータに返却する。
【００７４】
これに対して、単位紙幣束を構成している各紙幣のＲＦＩＤデータと結束テープに一体的に形成されたインレット中のＩＣチップに書き込まれた紙幣に関するＲＦＩＤデータとが一致していると判別したときは、ＣＰＵ３０は、さらに、中央管理サーバ３５にアクセスして、データ読み取り手段１０から入力された帯封処理に関するＲＦＩＤデータが、中央管理サーバ３５に格納されているか否かを判別する。
【００７５】
その結果、データ読み取り手段１０から入力された帯封処理に関するＲＦＩＤデータが、中央管理サーバ３５に格納されていないと判別したときは、その単位紙幣束は、単位紙幣束を作成する権限がない者によって作成されたと認められ、その単位紙幣束を受け容れると、所望のように、入金された紙幣束の管理ができなくなるから、ＣＰＵ３０は、ディスプレイ５５に、入金すべきでない単位紙幣束が検出された旨を表示するとともに、ゲート部材１５を駆動するソレノイド４３に駆動信号を出力して、ゲート部材１５を、紙幣束搬送路１１と分岐搬送路１４とを連通させる位置に移動させ、その単位紙幣束を、紙幣束搬送路１１、ゲート部材１５および分岐搬送路１４を介して、第二の紙幣束返却口５に送って、オペレータに返却する。
【００７６】
これに対して、データ読み取り手段１０から入力された帯封処理に関するＲＦＩＤデータが、中央管理サーバ３５に格納されていると判別したときは、ＣＰＵ３０は、データ読み取り手段１０から入力されたＲＦＩＤデータに基づいて計数した単位紙幣束に含まれた紙幣の計数結果および１束の単位紙幣束が入金された旨を、ＲＡＭ３２の第一のメモリ領域３２ａに書き込む。
【００７７】
ここに、本実施態様においては、第一のＲＦＩＤリーダー１０ｂによって、単位紙幣束に含まれた紙幣に一体的に形成されているインレット内のＩＣチップに書き込まれたＲＦＩＤデータを読み取り、読み取った紙幣のＲＦＩＤデータに基づいて、単位紙幣束に含まれる紙幣の枚数を計数しているから、容易にかつ正確に、単位紙幣束に含まれた紙幣の枚数を計数することができる。
【００７８】
同時に、ＣＰＵ３０は、ゲート部材１３を駆動するソレノイド４２およびゲート部材１５を駆動するソレノイド４３には駆動信号を出力することなく、ＲＦＩＤライター駆動手段４７に駆動信号を出力して、データ読み取り手段１０のＲＦＩＤライター１０ｃに、データ読み取り手段１０によって検出された単位紙幣束が、真正な単位紙幣束である旨のＲＦＩＤデータを、その単位紙幣束を入金した日時、入金した金融機関名、入金処理の実行者などに関するＲＦＩＤデータとともに、その単位紙幣束に巻き付けられた結束テープに一体的に形成されているインレット内のＩＣチップに書き込ませる。
【００７９】
したがって、データ読み取り手段１０によって検出された単位紙幣束は、紙幣束搬送路１１内を、紙幣束収納ユニット２５に向けて送られる。
【００８０】
同時に、ＣＰＵ３０は、データ読み取り手段１０から入力されたＲＦＩＤデータに基づいて判別した単位紙幣束を構成している紙幣の金種にしたがって、ゲート部材２１、ゲート部材２２あるいはゲート部材２３を選択的に駆動させ、あるいは、ゲート部材２１、ゲート部材２２およびゲート部材２３を駆動させることなく、単位紙幣束を、対応する金種の単位紙幣束を収納する紙幣束収納ボックスに収納させる。
【００８１】
すなわち、データ読み取り手段１０から入力されたＲＦＩＤデータに基づいて、単位紙幣束を構成している紙幣の金種が第一の金種であると判定したときは、ＣＰＵ３０は、ゲート部材２１を駆動するソレノイド４４に駆動信号を出力する。
【００８２】
その結果、第一の金種の単位紙幣束は、分岐搬送路１６の分岐部に達すると、ゲート部材２１によって、分岐搬送路１６に導かれ、第一の紙幣束収納ボックス２５ａ内に送られて、収納される。
【００８３】
これに対して、データ読み取り手段１０から入力されたＲＦＩＤデータに基づいて、単位紙幣束を構成している紙幣の金種が第二の金種であると判定したときは、ＣＰＵ３０は、ゲート部材２１を駆動するソレノイド４４には駆動信号を出力せず、ゲート部材２２を駆動するソレノイド４５に駆動信号を出力する。
【００８４】
その結果、第二の金種の単位紙幣束は、分岐搬送路１６の分岐部を通過して、紙幣束搬送路１１内を下流側に送られ、分岐搬送路１７の分岐部に達すると、ゲート部材２２によって、分岐搬送路１７に導かれ、第二の紙幣束収納ボックス２５ｂ内に送られて、収納される。
【００８５】
一方、データ読み取り手段１０から入力されたＲＦＩＤデータに基づいて、単位紙幣束を構成している紙幣の金種が第三の金種であると判定したときは、ＣＰＵ３０は、ゲート部材２１を駆動するソレノイド４４およびゲート部材２２を駆動するソレノイド４５には駆動信号を出力せず、ゲート部材２３を駆動するソレノイド４６に駆動信号を出力する。
【００８６】
その結果、第三の金種の単位紙幣束は、分岐搬送路１６の分岐部および分岐搬送路１７の分岐部を通過して、紙幣束搬送路１１内をさらに下流側に送られ、分岐搬送路１８の分岐部に達すると、ゲート部材２３によって、分岐搬送路１８に導かれ、第三の紙幣束収納ボックス２５ｃ内に送られて、収納される。
【００８７】
これに対して、データ読み取り手段１０から入力されたＲＦＩＤデータに基づいて、単位紙幣束を構成している紙幣の金種が第四の金種であると判定したときは、ＣＰＵ３０は、ゲート部材２１を駆動するソレノイド４４、ゲート部材２２を駆動するソレノイド４５およびゲート部材２３を駆動するソレノイド４６に駆動信号を出力しない。
【００８８】
その結果、第四の金種の単位紙幣束は、分岐搬送路１６の分岐部、分岐搬送路１７の分岐部および分岐搬送路１８の分岐部を通過して、紙幣束搬送路１１内をさらに下流側に送られ、第四の紙幣束収納ボックス２５ｄ内に送られて、収納される。
【００８９】
同様にして、オペレータによって、次々に、単位紙幣束が紙幣束入金口２にセットされ、紙幣束入金口２にセットされた単位紙幣束は、データ読み取り手段１０に送られて、第一のＲＦＩＤリーダー１０ａおよび第二のＲＦＩＤリーダー１０ｂによって、単位紙幣束に巻き付けられた結束テープに一体的に形成されているインレット内のＩＣチップに書き込まれたＲＦＩＤデータおよび単位紙幣束に含まれた紙幣に一体的に形成されているインレット内のＩＣチップに書き込まれたＲＦＩＤデータが読み取られ、読み取られたＲＦＩＤデータに基づいて、ＣＰＵ３０が入金可能と判定した単位紙幣束は、第一の紙幣束収納ボックス２５ａ、第二の紙幣束収納ボックス２５ｂ、第三の紙幣束収納ボックス２５ｃあるいは第四の紙幣束収納ボックス２５ｄ内に、選択的に、収納される。この際、ＣＰＵ３０によって、ＲＡＭ３２の第一のメモリ領域３２ａ内の対応する金種のメモリ領域に書き込まれた紙幣の入金枚数および単位紙幣束の入金数に関するデータが更新される。
【００９０】
こうして、オペレータによって、紙幣束入金口２内にセットされたすべての単位紙幣束が、第一の紙幣束返却口４または第二の紙幣束返却口５に返却され、あるいは、第一の紙幣束収納ボックス２５ａ、第二の紙幣束収納ボックス２５ｂ、第三の紙幣束収納ボックス２５ｃまたは第四の紙幣束収納ボックス２５ｄ内に収納されると、単位紙幣束の入金処理が完了する。
【００９１】
一方、紙幣入出金機から、単位紙幣束を出金する場合には、オペレータによって、出金すべき金種ごとの単位紙幣束の数を特定する紙幣束出金データと単位紙幣束を出金すべき旨を指示する紙幣束出金信号がキーボード５０に入力される。
【００９２】
オペレータによって入力された紙幣束出金データと紙幣束出金信号は、ＣＰＵ３０に出力され、ＣＰＵ３０は、入力された出金すべき金種ごとの単位紙幣束の数を特定する紙幣束出金データを、出金すべき単位紙幣束を管理するデータを格納するＲＡＭ３２の第四のメモリ領域３２ｄに書き込む。
【００９３】
次いで、ＣＰＵ３０は、ＲＡＭ３２の第四のメモリ領域３２ｄに書き込んだ紙幣束出金データにしたがって、第一の紙幣束収納ボックス２５ａの下部に設けられた第一の紙幣束繰り出し部２７ａ、第二の紙幣収納束ボックス２５ｂの下部に設けられた第二の紙幣束繰り出し部２７ｂ、第三の紙幣束収納ボックス２５ｃの下部に設けられた第三の紙幣束繰り出し部２７ｃおよび第四の紙幣束収納ボックス２５ｄの下部に設けられた第四の紙幣束繰り出し部２７ｄを選択的に駆動する。
【００９４】
すなわち、第一の金種の単位紙幣束を出金すべきときは、ＣＰＵ３０は、第一の紙幣束繰り出し部２７ａに駆動信号を出力して、第一の紙幣束収納ボックス２５ａ内に収納されている第一の金種の単位紙幣束を、１束ずつ、紙幣束出金搬送路２６に繰り出させ、第二の金種の単位紙幣束を出金すべきときは、ＣＰＵ３０は、第二の紙幣束繰り出し部２７ｂに駆動信号を出力して、第二の紙幣束収納ボックス２５ｂ内に収納されている第二の金種の単位紙幣束を、１束ずつ、紙幣束出金搬送路２６に繰り出させる。一方、第三の金種の単位紙幣束を出金すべきときは、ＣＰＵ３０は、第三の紙幣束繰り出し部２７ｃに駆動信号を出力して、第三の紙幣束収納ボックス２５ｃ内に収納されている第三の金種の単位紙幣束を、１束ずつ、紙幣束出金搬送路２６に繰り出させ、第四の金種の単位紙幣束を出金すべきときは、ＣＰＵ３０は、第四の紙幣束繰り出し部２７ｄに駆動信号を出力して、第四の紙幣束収納ボックス２５ｄ内に収納されている第四の金種の単位紙幣束を、１束ずつ、紙幣束出金搬送路２６に繰り出させる。
【００９５】
紙幣束出金搬送路２６に繰り出された単位紙幣束は、紙幣束検出部２８に送られる。
【００９６】
単位紙幣束が、紙幣束検出部２８に送られると、ＲＦＩＤリーダー２８ａによって、単位紙幣束に巻き付けられた結束テープに形成されたインレット内のＩＣチップに書き込まれたＲＦＩＤデータが読み取られ、紙幣束検出部２８から、ＣＰＵ３０に出力される。
【００９７】
ＣＰＵ３０は、紙幣束検出部２８から入力されたＲＦＩＤデータに基づき、出金のために、紙幣束出金口３に向けて送られた単位紙幣束の金種および数に関する出金紙幣束データを、ＲＡＭ３２の第四のメモリ領域３２ｄに書き込む。
【００９８】
さらに、単位紙幣束は、紙幣束検出部２８から、紙幣束出金口３に送られて、出金される。
【００９９】
ＣＰＵ３０は、同様の処理を繰り返し、ＲＡＭ３２の第四のメモリ領域３２ｄに書き込まれている出金紙幣束データ中の出金された単位紙幣束の数が、いずれの金種においても、ＲＡＭ３２の第四のメモリ領域３２ｄに書き込まれている紙幣束出金データ中の出金すべき単位紙幣束の数に等しくなると、第一の紙幣束収納ボックス２５ａ、第二の紙幣束収納ボックス２５ｂ、第三の紙幣束収納ボックス２５ｃおよび／または第四の紙幣束収納ボックス２５ｄに収納された単位紙幣束の出金処理を完了させる。
【０１００】
本実施態様によれば、紙幣束入出金機は、第一のＲＦＩＤリーダー１０ａと第二のＲＦＩＤリーダー１０ｂを備えたデータ読み取り手段１０を備え、第二のＲＦＩＤリーダー１０ｂによって、紙幣に形成されたインレット中のＩＣチップに記録された紙幣のＩＤデータ、紙幣の金種データなどのＲＦＩＤデータを読み取り、読み取った紙幣のＲＦＩＤデータに基づいて、単位紙幣束に含まれた紙幣の枚数を計数しているから、紙幣束入出金機に、単位紙幣束を入金するのに先立って、専用の紙幣計数機を用い、あるいは、手で、単位紙幣束に含まれた紙幣の枚数を計数するという煩雑な操作を強いられることなく、容易にかつ正確に、単位紙幣束に含まれた紙幣の枚数を計数して、紙幣束を入金し、収納することが可能になる。
【０１０１】
また、本実施態様によれば、データ読み取り手段１０に設けられた第一のＲＦＩＤリーダー１０ａによって、単位紙幣束に巻き付けられた結束テープに一体的に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを読み取るとともに、第二のＲＦＩＤリーダー１０ｂによって、単位紙幣束に含まれた紙幣に一体的に形成されているインレット内のＩＣチップに書き込まれた紙幣のＩＤデータ、金種データなどの各紙幣のＲＦＩＤデータを読み取り、単位紙幣束を構成している各紙幣のＲＦＩＤデータと結束テープに一体的に形成されたインレット中のＩＣチップに書き込まれた紙幣に関するＲＦＩＤデータとが一致しているか否かを判定するように構成されているから、所望のように、管理可能な単位紙幣束のみを入金することが可能になる。
【０１０２】
さらに、本実施態様によれば、中央管理サーバ３５に、各金融機関が、所定枚数の紙幣に、結束テープを巻回して、帯封をし、紙幣束を作成する際に、結束テープに形成されたインレット内のＩＣチップに書き込んだ帯封処理に関するデータが記憶され、紙幣束入出金機によって、データ読み取り手段１０から入力された帯封処理に関するデータが、中央管理サーバ３５に格納されているか否かが判別されるように構成されているから、単位紙幣束を作成する権限がない者によって作成され、管理することができない単位紙幣束が入金されることを、確実に防止して、所望のように、管理可能な単位紙幣束のみを入金することが可能になる。
【０１０３】
また、本実施態様によれば、第二のＲＦＩＤリーダー１０ｂによって、単位紙幣束に含まれた紙幣に一体的に形成されているインレット内のＩＣチップに書き込まれた紙幣のＩＤデータ、金種データなどの各紙幣のＲＦＩＤデータを読み取るように構成されているから、容易にかつ正確に、異なる金種の紙幣が含まれている単位紙幣束を検出することができ、管理可能な単位紙幣束のみを、確実に入金することが可能になる。
【０１０４】
図３は、本発明の別の好ましい実施態様にかかる紙幣処理機の略縦断面図である。
【０１０５】
本実施態様にかかる紙幣処理機は、銀行などの金融機関内で使用されるように構成され、図１および図２に示された紙幣処理機と同様に、紙幣の発行権限を有する機関によって、インレット中の読み取り専用のＩＣチップに、紙幣のＩＤデータ、紙幣の金種データなどのＲＦＩＤデータが、特定のフォーマットで、記録された紙幣を処理するように構成されている。
【０１０６】
図３に示されるように、本実施態様にかかる紙幣処理機は、ハウジング６０と、ハウジング６０内に、紙幣入出金機構１００と、第一の紙幣帯封機構２００と、第二の紙幣帯封機構３００を備えている。
【０１０７】
紙幣入出金機構１００は、紙幣処理機に投入された紙幣のうち、真正な紙幣を入金紙幣として、金種別に収納し、収納された真正な紙幣を出金するもので、従来の紙幣入出金機の機能を備えている。
【０１０８】
一方、第一の紙幣帯封機構２００は、第一の所定数に等しい枚数、たとえば、１００枚の紙幣を重ね合わせ、重ね合わされた紙幣に結束テープを巻回して、帯封をし、第一の所定数に等しい枚数の紙幣を含む紙幣束、すなわち、単位紙幣束（小束紙幣）を生成するものであり、従来の紙幣帯封装置の機能を備え、また、第二の紙幣帯封機構３００は、それぞれが、第二の所定数に等しい数の単位紙幣束を、たとえば、１０束の単位紙幣束を重ね合わせ、重ね合わされた単位紙幣束に結束テープを巻回して、帯封をし、第二の所定数に等しい数の単位紙幣束を含む紙幣束（大束紙幣）を生成するものであり、第二の所定数に等しい数の単位紙幣束に帯封する従来の紙幣帯封装置の機能を備えている。
【０１０９】
したがって、本実施態様にかかる紙幣処理機は、従来の紙幣入出金機、第一の所定数に等しい枚数の紙幣を重ね合わせて、帯封をし、第一の所定数に等しい枚数の紙幣を含む単位紙幣束（小束紙幣）を生成する従来の紙幣帯封装置および第二の所定数に等しい数の単位紙幣束を重ね合わせて、第二の所定数に等しい数の単位紙幣束に帯封する従来の紙幣帯封装置が一体的に結合された構造を有している。
【０１１０】
図３に示されるように、本実施態様にかかる紙幣処理機の紙幣入出金機構１００は、サブハウジング６０ａ内に設けられ、紙幣が投入される紙幣入金口１０１、紙幣を出金する紙幣出金口１０２および投入された紙幣で、受け入れ不能と判別された紙幣を返却する紙幣返却口１０３を、サブハウジング６０ａの上部に備えている。
【０１１１】
図３に示されるように、本実施態様にかかる紙幣処理機の紙幣入出金機構１００は、さらに、搬送路１０４を介して、紙幣入金口１０１に接続され、紙幣繰り出し手段（図示せず）により、紙幣入金口１０１から、１枚ずつ、繰り出された紙幣を判別する紙幣判別部１０５を備えている。
【０１１２】
紙幣判別部１０５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット（図示せず）と、紙幣に形成されたインレット中のＩＣチップに記録された紙幣のＩＤデータ、紙幣の金種データなどのＲＦＩＤデータを読み取るＲＦＩＤリーダー（図示せず）とを備えており、紙幣判別部１０５のセンサユニットによって生成された紙幣の光学データおよび磁気データならびにＲＦＩＤリーダーによって読み取られたＲＦＩＤデータは、ＣＰＵ（図示せず）に出力され、ＣＰＵによって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている真正でかつ現に流通している紙幣が金種別に計数されるように構成されている。
【０１１３】
このように、紙幣判別部１０５は、ＲＦＩＤリーダーを備えているため、ＲＦＩＤリーダーが紙幣判別部１０５外に存在する紙幣のＲＦＩＤデータを読み取ることがないように、ＲＦＩＤリーダーから発信される周波数の電波を遮蔽する性質を有する材料によって形成されたケーシング１０５ｃによって覆われている。
【０１１４】
図３に示されるように、紙幣判別部１０５の下流側には、搬送路１０６が接続されており、搬送路１０６から、紙幣返却口１０３に接続された分岐搬送路１０７が分岐し、分岐搬送路１０７の分岐部には、紙幣を、搬送路１０６および分岐搬送路１０７のいずれかに選択的に導くゲート部材１０８が設けられている。
【０１１５】
紙幣判別部１０５のセンサユニットによって生成された紙幣の光学データおよび磁気データならびにＲＦＩＤリーダーによって読み取られたＲＦＩＤデータに基づき、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１０６、ゲート部材１０８および分岐搬送路１０７を介して、紙幣返却口１０３に送られて、オペレータに返却される。
【０１１６】
一方、分岐搬送路１０７の分岐部の下流側の搬送路１０６からは、分岐搬送路１０９、分岐搬送路１１０、分岐搬送路１１１および分岐搬送路１１２が、この順に分岐しており、分岐搬送路１０９の分岐部には、紙幣を搬送路１０６および分岐搬送路１０９のいずれかに選択的に導くゲート部材１１３が設けられ、分岐搬送路１１０の分岐部には、紙幣を搬送路１０６および分岐搬送路１１０のいずれかに選択的に導くゲート部材１１４が設けられている。また、分岐搬送路１１１の分岐部には、紙幣を搬送路１０６および分岐搬送路１１１のいずれかに選択的に導くゲート部材１１５が設けられ、分岐搬送路１１２の分岐部には、紙幣を搬送路１０６および分岐搬送路１１２のいずれかに選択的に導くゲート部材１１６が設けられている。
【０１１７】
図３に示されるように、搬送路１０６の下方には、紙幣一時貯留ユニット１１７が設けられ、分岐搬送路１０９、分岐搬送路１１０、分岐搬送路１１１および分岐搬送路１１２は、紙幣一時貯留ユニット１１７内に延び、搬送路１０６は、分岐搬送路１１２の分岐部の下流側において、紙幣一時貯留ユニット１１７内に延びている。
【０１１８】
紙幣一時貯留ユニット１１７は、紙幣処理機に入金されるべき紙幣を、金種別に、一時的に貯留するものであり、通常は、ロック部材（図示せず）によって、ロックされて、紙幣処理機に固定され、ロック部材によるロックが解除されたときは、スライドさせて、紙幣処理機から取り出し可能に構成されている。
【０１１９】
本実施態様においては、紙幣処理機は、４種類の金種の紙幣を処理可能で、かつ、汚損レベルが所定レベルを超えた汚損紙幣を回収可能に構成されており、したがって、紙幣一時貯留ユニット１１７は、汚損紙幣一時貯留ボックス１１８、第一の紙幣一時貯留ボックス１１７ａ、第二の紙幣一時貯留ボックス１１７ｂ、第三の紙幣一時貯留ボックス１１７ｃおよび第四の紙幣一時貯留ボックス１１７ｄを備えている。
【０１２０】
図３に示されるように、分岐搬送路１０９は、汚損紙幣一時貯留ボックス１１８に接続されている。一方、分岐搬送路１１０、分岐搬送路１１１および分岐搬送路１１２は、それぞれ、第一の紙幣一時貯留ボックス１１７ａ、第二の紙幣一時貯留ボックス１１７ｂおよび第三の紙幣一時貯留ボックス１１７ｃに接続され、搬送路１０６は、分岐搬送路１１２の分岐部の下流側で、第四の紙幣一時貯留ボックス１１７ｄに接続されている。
【０１２１】
したがって、紙幣判別部１０５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られているが、汚損のレベルが所定レベルを超えていると判別された汚損紙幣は、搬送路１０６、ゲート部材１０８、搬送路１０６、ゲート部材１１３および分岐搬送路１０９を介して、汚損紙幣一時貯留ボックス１１８内に送られて、一時的に貯留される。
【０１２２】
また、紙幣判別部１０５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られていると判別された紙幣のうち、第一の金種の紙幣は、搬送路１０６、ゲート部材１０８、搬送路１０６、ゲート部材１１３、搬送路１０６、ゲート部材１１４および分岐搬送路１１０を介して、第一の紙幣一時貯留ボックス１１７ａ内に送られて、一時的に貯留され、第二の金種の紙幣は、搬送路１０６、ゲート部材１０８、搬送路１０６、ゲート部材１１３、搬送路１０６、ゲート部材１１４、搬送路１０６、ゲート部材１１５および分岐搬送路１１１を介して、第二の紙幣一時貯留ボックス１１７ｂ内に送られて、一時的に貯留される。
【０１２３】
一方、真正でかつ現に流通している紙幣で、１枚ずつ、その短辺が紙幣の搬送方向と平行になるように送られていると判別された紙幣のうち、第三の金種の紙幣は、搬送路１０６、ゲート部材１０８、搬送路１０６、ゲート部材１１３、搬送路１０６、ゲート部材１１４、搬送路１０６、ゲート部材１１５、搬送路１０６、ゲート部材１１６および分岐搬送路１１２を介して、第三の紙幣一時貯留ボックス１１７ｃ内に送られて、一時的に貯留され、第四の金種の紙幣は、搬送路１０６、ゲート部材１０８、搬送路１０６、ゲート部材１１３、搬送路１０６、ゲート部材１１４、搬送路１０６、ゲート部材１１５、搬送路１０６、ゲート部材１１６および搬送路１０６を介して、第四の紙幣一時貯留ボックス１１７ｄ内に送られて、一時的に貯留される。
【０１２４】
図３に示されるように、紙幣一時貯留ユニット１１７の下方には、紙幣処理機に入金された紙幣を、金種別に収納する紙幣収納ユニット１２０が設けられており、紙幣収納ユニット１２０は、通常は、ロック部材（図示せず）によって、ロックされて、紙幣処理機に固定され、ロック部材によるロックが解除されたときは、スライドさせて、紙幣処理機から取り出し可能に構成されている。
【０１２５】
図３に示されるように、紙幣収納ユニット１２０は、汚損紙幣一時貯留ボックス１１８に一時的に貯留された汚損紙幣を収納する汚損紙幣収納ボックス１２１と、第一の紙幣一時貯留ボックス１１７ａ内に一時的に貯留された第一の金種の紙幣を収納する第一の紙幣収納ボックス１２０ａと、第二の紙幣一時貯留ボックス１１７ｂ内に一時的に貯留された第二の金種の紙幣を収納する第二の紙幣収納ボックス１２０ｂと、第三の紙幣一時貯留ボックス１１７ｃ内に一時的に貯留された第三の金種の紙幣を収納する第三の紙幣収納ボックス１２０ｃと、第四の紙幣一時貯留ボックス１１７ｄ内に一時的に貯留された第四の金種の紙幣を収納する第四の紙幣収納ボックス１２０ｄとを備えている。
【０１２６】
汚損紙幣一時貯留ボックス１１８、第一の紙幣一時貯留ボックス１１７ａ、第二の紙幣一時貯留ボックス１１７ｂ、第三の紙幣一時貯留ボックス１１７ｃおよび第四の紙幣一時貯留ボックス１１７ｄの底部は、シャッタによって構成され、シャッタを開放することによって、汚損紙幣一時貯留ボックス１１８内に一時的に貯留された汚損紙幣、第一の紙幣一時貯留ボックス１１７ａ内に一時的に貯留された第一の金種の紙幣、第二の紙幣一時貯留ボックス１１７ｂ内に一時的に貯留された第二の金種の紙幣、第三の紙幣一時貯留ボックス１１７ｃ内に一時的に貯留された第三の金種の紙幣および第四の紙幣一時貯留ボックス１１７ｄ内に一時的に貯留された第四の金種の紙幣が、それぞれ、汚損紙幣収納ボックス１２１、第一の紙幣収納ボックス１２０ａ、第二の紙幣収納ボックス１２０ｂ、第三の紙幣収納ボックス１２０ｃおよび第四の紙幣収納ボックス１２０ｄ内に送られて、収納されるように構成されている。
【０１２７】
第一の紙幣収納ボックス１２０ａの下部には、第一の紙幣収納ボックス１２０ａ内に収納された紙幣を、出金すべき紙幣として、１枚ずつ、出金紙幣搬送路１２５内に繰り出す第一の紙幣繰り出し部１２３ａが設けられ、第二の紙幣収納ボックス１２０ｂの下部には、第二の紙幣収納ボックス１２０ｂ内に収納された紙幣を、出金すべき紙幣として、１枚ずつ、出金紙幣搬送路１２５内に繰り出す第二の紙幣繰り出し部１２３ｂが設けられている。さらに、第三の紙幣収納ボックス１２０ｃの下部には、第三の紙幣収納ボックス１２０ｃ内に収納された紙幣を、出金すべき紙幣として、１枚ずつ、出金紙幣搬送路１２５内に繰り出す第三の紙幣繰り出し部１２３ｃが設けられ、第四の紙幣収納ボックス１２０ｄの下部には、第四の紙幣収納ボックス１２０ｄ内に収納された紙幣を、出金すべき紙幣として、１枚ずつ、出金紙幣搬送路１２５内に繰り出す第四の紙幣繰り出し部１２３ｄが設けられている。
【０１２８】
汚損紙幣収納ボックス１２１内に収納された汚損紙幣は回収され、出金には利用されないため、汚損紙幣収納ボックス１２１内に収納された汚損紙幣を、出金紙幣搬送路１２５内に繰り出すための紙幣繰り出し部は設けられていない。
【０１２９】
図３に示されるように、出金紙幣搬送路１２５には、第一の紙幣収納ボックス１２０ａ、第二の紙幣収納ボックス１２０ｂ、第三の紙幣収納ボックス１２０ｃあるいは第四の紙幣収納ボックス１２０ｄから繰り出された出金すべき紙幣を判別するとともに、出金すべき紙幣を金種別に計数する出金紙幣判別部１３０が設けられている。
【０１３０】
出金紙幣判別部１３０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、第一の紙幣収納ボックス１２０ａ、第二の紙幣収納ボックス１２０ｂ、第三の紙幣収納ボックス１２０ｃあるいは第四の紙幣収納ボックス１２０ｄから繰り出された出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット（図示せず）と、出金すべき紙幣に形成されたインレット中のＩＣチップに記録された紙幣のＩＤデータ、紙幣の金種データなどのＲＦＩＤデータを読み取るＲＦＩＤリーダー（図示せず）とを備えている。
【０１３１】
このように、出金紙幣判別部１３０は、ＲＦＩＤリーダーを備えているため、ＲＦＩＤリーダーが出金紙幣判別部１３０外に存在する紙幣のＲＦＩＤデータを読み取ることがないように、ＲＦＩＤリーダーから発信される周波数の電波を遮蔽する性質を有する材料によって形成されたケーシング１３０ｃによって覆われている。
【０１３２】
図３に示されるように、出金紙幣判別部１３０の下流側において、出金紙幣搬送路１２５から、分岐搬送路１３１が分岐し、分岐搬送路１３１は、紙幣回収ボックス１３３に接続されている。分岐搬送路１３１の分岐部には、出金すべき紙幣を出金紙幣搬送路１２５および分岐搬送路１３１のいずれかに選択的に導くゲート部材１３２が設けられている。
【０１３３】
本実施態様においては、出金紙幣判別部１３０によって、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、出金紙幣搬送路１２５、ゲート部材１３２および分岐搬送路１３１を介して、紙幣回収ボックス１３３内に送られて、回収されるように構成されている。
【０１３４】
さらに、図３に示されるように、分岐搬送路１３１の分岐部の下流側において、出金紙幣搬送路１２５から分岐し、第一の紙幣帯封機構２００内に延びる接続搬送路１３７が設けられており、接続搬送路１３７の分岐部には、紙幣を出金紙幣搬送路１２５および接続搬送路１３７のいずれか一方に選択的に導くゲート部材１３８が設けられている。
【０１３５】
真正でかつ現に流通している紙幣が、１枚ずつ、その短辺が紙幣の搬送方向と平行になるように送られている場合には、その紙幣は、出金紙幣判別部１３０から、出金紙幣搬送路１２５、ゲート部材１３２、出金紙幣搬送路１２５、ゲート部材１３８および出金紙幣搬送路１２５を介して、紙幣出金口１０２に送られて、出金される。
【０１３６】
図３に示されるように、接続搬送路１３７を介して、紙幣入出金機構１００と接続された第一の紙幣帯封機構２００は、サブハウジング６０ｂ内に収容され、所定枚数の紙幣を集積して、集積紙幣を生成する第一の紙幣集積ボックス２１１および所定枚数の紙幣を集積して、集積紙幣を生成する第二の紙幣集積ボックス２１２を備えた第一の紙幣帯封ユニット２１０を備えている。本実施態様においては、第一の紙幣集積ボックス２１１および第二の紙幣集積ボックス２１２は、それぞれ、１００枚の紙幣を集積可能に構成されている。
【０１３７】
接続搬送路１３７は、第一の紙幣帯封機構２００内において、第一の分岐搬送路２２３および第二の分岐搬送路２２４に分岐し、第一の分岐搬送路２２３は、第一の紙幣集積ボックス２１１に接続され、第二の分岐搬送路２２４は、第二の紙幣集積ボックス２１２に接続されている。
【０１３８】
図３に示されるように、第一の分岐搬送路２２３と第二の分岐搬送路２２４の分岐部には、ゲート部材２２５が設けられている。
【０１３９】
図３に示されるように、第一の紙幣帯封機構２００の第一の紙幣帯封ユニット２１０は、第一の紙幣集積ボックス２１１および第二の紙幣集積ボックス２１２の出口に隣接して、上下方向に移動可能な紙幣保持手段２１６を備えている。紙幣保持手段２１６は、一対の挟持部材２１６ａ、２１６ｂを備えている。
【０１４０】
図３に示されるように、第一の紙幣帯封機構２００の第一の紙幣帯封ユニット２１０は、さらに、紙幣保持手段２１６によって挟持された１００枚の集積紙幣に向けて、ＩＣチップとアンテナを含むインレット（図示せず）が所定の間隔で形成された結束テープＴ１を供給する結束テープ供給部材２１７と、結束テープ供給部材２１７によって供給された結束テープＴ１を、紙幣保持手段２１６の一対の挟持部材２１６ａ、２１６ｂによって挟持された１００枚の集積紙幣の略中央部に巻き付けて、帯封をし、第一の所定数に等しい枚数、たとえば、１００枚の紙幣を含む単位紙幣束を生成する巻き付け手段（図示せず）を備え、さらに、結束テープ供給部材２１７の近傍には、結束テープＴ１に形成されたインレット内のＩＣチップに、結束テープＴ１を巻き付けて、生成されるべき単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター２１８が設けられている。
【０１４１】
インレットを結束テープＴ１に形成する方法としては、結束テープＴ１用の紙を抄く際に、結束テープＴ１用の紙にインレットを埋め込む方法、結束テープＴ１にインレットを貼り付ける方法、結束テープＴ１にインレットを印刷する方法などが挙げられるが、とくに限定されるものではない。
【０１４２】
第一の紙幣帯封ユニット２１０の第一の紙幣集積ボックス２１１および第二の紙幣集積ボックス２１２、紙幣保持手段２１６、巻き付け手段、ＲＦＩＤライター２１８およびＲＦＩＤライター２１８の近傍の結束テープＴ１の搬送路は、結束テープＴ１に形成されたインレット内のＩＣチップにＲＦＩＤデータを書き込む際に、ＲＦＩＤライター２１８から発信される周波数の電波を遮蔽する材料によって形成されたケーシング２１９によって覆われている。
【０１４３】
図３に示されるように、第一の紙幣帯封機構２００は、第一の紙幣帯封ユニット２１０の下方に、紙幣束収納ユニット２３０を備えている。紙幣束収納ユニット２３０は、通常は、ロック部材（図示せず）によって、ロックされて、紙幣処理機に固定され、ロック部材によるロックが解除されたときは、スライドさせて、紙幣処理機から取り出し可能に構成されている。
【０１４４】
図３に示されるように、紙幣束収納ユニット２３０は、第一の金種の単位紙幣束を収納する第一の紙幣束収納ボックス２３０ａと、第二の金種の単位紙幣束を収納する第二の紙幣束収納ボックス２３０ｂと、第三の金種の単位紙幣束を収納する第三の紙幣束収納ボックス２３０ｃと、第四の金種の単位紙幣束を収納する第四の紙幣束収納ボックス２３０ｄを備えており、第一の紙幣帯封ユニット２１０によって生成された単位紙幣束は、金種にしたがって、紙幣束搬送機構２３１によって、第一の紙幣束収納ボックス２３０ａ、第二の紙幣束収納ボックス２３０ｂ、第三の紙幣束収納ボックス２３０ｃおよび第四の紙幣束収納ボックス２３０ｄのいずれかに選択的に送られて、収納されるように構成されている。
【０１４５】
図３に示されるように、第一の紙幣束収納ボックス２３０ａの下部には、第一の紙幣束収納ボックス２３０ａ内に収納された単位紙幣束を、１つずつ、紙幣束搬送路２３２に繰り出す第一の紙幣束繰り出し部２３３ａが設けられ、第二の紙幣束収納ボックス２３０ｂの下部には、第二の紙幣束収納ボックス２３０ｂ内に収納された単位紙幣束を、１つずつ、紙幣束搬送路２３２に繰り出す第二の紙幣束繰り出し部２３３ｂが設けられている。さらに、第三の紙幣束収納ボックス２３０ｃの下部には、第三の紙幣束収納ボックス２３０ｃ内に収納された単位紙幣束を、１つずつ、紙幣束搬送路２３２に繰り出す第三の紙幣束繰り出し部２３３ｃが設けられ、第四の紙幣束収納ボックス２３０ｄの下部には、第四の紙幣束収納ボックス２３０ｄ内に収納された単位紙幣束を、１つずつ、紙幣束搬送路２３２に繰り出す第四の紙幣束繰り出し部２３３ｄが設けられている。
【０１４６】
図３に示されるように、紙幣束搬送路２３２は、紙幣束出金搬送路２３５および第二の紙幣帯封機構３００内に延びる接続搬送路２３６に分岐しており、紙幣束出金搬送路２３５および接続搬送路２３６の分岐部には、紙幣束搬送路２３２を、紙幣束出金搬送路２３５および接続搬送路２３６の一方に選択的に接続するゲート部材２３７が設けられている。
【０１４７】
紙幣束出金搬送路２３５は、ハウジング６０ｂの上部に設けられた紙幣束出金口２３８に接続され、紙幣束出金搬送路２３５には、紙幣束検出部２３９が設けられている。
【０１４８】
紙幣束検出部２３９は、ＲＦＩＤリーダー（図示せず）を備え、図３に示されるように、ＲＦＩＤリーダーから発信される周波数の電波を遮蔽する性質を有する材料によって形成されたケーシング２３９ｂによって覆われている。
【０１４９】
第二の紙幣帯封機構３００は、第一の所定数に等しい枚数の紙幣、たとえば、１００枚の紙幣に帯封が付された単位紙幣束を、第二の所定数に等しい数、たとえば、１０束だけ、束ねて、帯封を付し、単位紙幣束が積層された紙幣束を作成するものであり、図３に示されるように、接続搬送路２３６を介して、第一の紙幣帯封機構２００と接続され、サブハウジング６０ｃ内に収容されている。
【０１５０】
また、図３に示されるように、サブハウジング６０ｃの紙幣入出金機構１００と反対側の側部には、第一の所定数に等しい枚数の紙幣、たとえば、１００枚の紙幣に、ＩＣチップとアンテナを含むインレットが形成された結束テープＴ１が巻き付けられて、帯封が付された単位紙幣束が投入される紙幣束入金口３１０と、第二の所定数に等しい数の単位紙幣束が積層され、結束テープが巻き付けられて、帯封がされた紙幣束が出金される紙幣束出金口３１１が設けられている。
【０１５１】
したがって、本実施態様にかかる第二の紙幣帯封機構３００は、第一の紙幣帯封機構２００によって生成された単位紙幣束を、第二の所定数に等しい数だけ、束ねて、帯封を付し、単位紙幣束が積層された紙幣束を作成可能であるとともに、紙幣束入金口３１０から投入された単位紙幣束を、第二の所定数に等しい数だけ、束ねて、帯封を付し、単位紙幣束が積層された紙幣束を作成可能に構成されている。
【０１５２】
図３に示されるように、接続搬送路２３６と、紙幣束入金口３１０に接続された入金紙幣束搬送路３１２とは、紙幣束搬送路３１３に合流し、紙幣束搬送路３１３は、データ読み取り部３１５に接続されている。データ読み取り部３１５は、単位紙幣束に巻き付けられた結束テープＴ１に形成されているインレット内のＩＣチップに書き込まれたＲＦＩＤデータを読み取る第一のＲＦＩＤリーダー（図示せず）と、単位紙幣束に含まれた紙幣に形成されているインレット内のＩＣチップに書き込まれたＲＦＩＤデータを読み取る第二のＲＦＩＤリーダー（図示せず）を備え、第一のＲＦＩＤリーダーおよび第二のＲＦＩＤリーダーから発信される周波数の電波を遮蔽する材料によって形成されたケーシング３１５ｃによって覆われている。
【０１５３】
図３に示されるように、第二の紙幣帯封機構３００は、さらに、紙幣束搬送路３１３を介して、データ読み取り部３１５に接続された第二の紙幣帯封ユニット３２０を備えている。
【０１５４】
第二の紙幣帯封機構３００の第二の紙幣帯封ユニット３２０は、第一の所定数に等しい枚数の紙幣、たとえば、１００枚の紙幣に、ＩＣチップとアンテナを含むインレットが形成された結束テープＴ１が巻き付けられて、帯封が付された単位紙幣束を、第二の所定数に等しい数だけ、たとえば、１０束だけ、集積させる紙幣束集積手段３２１と、一対の挟持部材（図示せず）を備え、紙幣束集積手段３２１によって集積された第二の所定数に等しい数の単位紙幣束を、一対の挟持部材の間に挟持する紙幣束保持部材３２２と、紙幣束保持部材３２２によって挟持された第二の所定数に等しい数の単位紙幣束にＩＣチップとアンテナを含むインレットが所定の間隔で形成された結束テープＴ２を供給する結束テープ供給部材３２３と、結束テープ供給部材３２３によって供給された結束テープＴ２を、紙幣束保持部材３２２によって挟持された第二の所定数に等しい数の単位紙幣束の略中央部に巻き付けて、帯封を付す巻き付け手段３２４と、第二の所定数に等しい数の単位紙幣に巻き付けられるべき結束テープＴ２に形成されたインレット内のＩＣチップに、生成されるべき紙幣束に含まれる紙幣のＩＤデータ、金種データなどの紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター３２５を備えている。
【０１５５】
インレットを結束テープＴ２に形成する方法としては、結束テープＴ２用の紙を抄く際に、インレットを結束テープＴ２用の紙に埋め込む方法、結束テープＴ２にインレットを貼り付ける方法、結束テープＴ２にインレットを印刷する方法などが挙げられるが、とくに限定されるものではない。
【０１５６】
第二の紙幣帯封ユニット３２０の紙幣束集積手段３２１、紙幣束保持部材３２２、巻き付け手段３２４、ＲＦＩＤライター３２５およびＲＦＩＤライター３２５の近傍の結束テープＴ２の搬送路は、結束テープＴ２に形成されたインレット内のＩＣチップにＲＦＩＤデータを書き込む際に、ＲＦＩＤライター３２５から発信される周波数の電波を遮蔽する材料によって形成されたケーシング３２６によって覆われている。
【０１５７】
図３に示されるように、第二の紙幣帯封ユニット３２０は、紙幣束搬送路３２７を介して、紙幣束出金口３１１に接続されており、第二の紙幣帯封ユニット３２０によって、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束出金口３１１から出金されるように構成されている。
【０１５８】
図４は、図３に示された紙幣処理機の制御系、検出系、駆動系、入力系および表示系を示すブロックダイアグラムである。
【０１５９】
図４に示されるように、本実施態様にかかる紙幣処理機の制御系は、紙幣処理機の動作を制御するＣＰＵ４００と、紙幣処理機の制御プログラムなどが格納されたＲＯＭ４０１と、各種データを記憶するＲＡＭ４０２と、時計４０３を備えている。
【０１６０】
図５は、ＲＡＭ４０２の詳細を示すブロックダイアグラムである。
【０１６１】
図５に示されるように、ＲＡＭ４０２のメモリ領域は、紙幣入出金機構１００に関するデータを格納する第一のメモリ領域４０２ａと、第一の紙幣帯封機構２００に関するデータを格納する第二のメモリ領域４０２ｂと、第二の紙幣帯封機構３００に関するデータを格納する第三のメモリ領域４０２ｃとに分割されている。
【０１６２】
ＲＡＭ４０２の第一のメモリ領域４０２ａは、入金紙幣に関するデータを格納するメモリ領域４０２ａａと、出金すべき紙幣に関するデータを格納するメモリ領域４０２ａｂとに分割されている。
【０１６３】
また、ＲＡＭ４０２の第二のメモリ領域４０２ｂは、さらに、紙幣束に関するデータを格納するメモリ領域４０２ｂａと、単位紙幣束を構成する紙幣に関するＲＦＩＤデータならびに金融機関名、支店名、紙幣処理機のＩＤデータおよびオペレータの名前などの帯封処理に関するＲＦＩＤデータを格納するメモリ領域４０２ｂｂと、紙幣入出金機構１００から、第一の紙幣帯封機構２００に送られた紙幣に関するデータを格納するメモリ領域４０２ｂｃと、出金すべき単位紙幣束に関するデータを格納するメモリ領域４０２ｂｄとに分割されている。
【０１６４】
さらに、ＲＡＭ４０２の第三のメモリ領域４０２ｃは、さらに、紙幣束に関するデータを格納するメモリ領域４０２ｃａと、紙幣束を構成する単位紙幣束に関するＲＦＩＤデータおよび帯封処理に関するＲＦＩＤデータを格納するメモリ領域４０２ｃｂと、各紙幣に関するデータを格納するメモリ領域４０２ｃｃとに分割されている。
【０１６５】
また、図４に示されるように、ＣＰＵ４００は、紙幣束に帯封処理を施す権限を有する金融機関によって、共同管理されている中央管理サーバ４０５に接続されており、中央管理サーバ４０５には、各金融機関が、所定枚数の紙幣に、結束テープを巻回して、帯封をし、紙幣束を生成する際に、結束テープに形成されたインレット内のＩＣチップに書き込んだ帯封処理に関するデータが記憶されている。
【０１６６】
図４に示されるように、本実施態様にかかる紙幣処理機の検出系は、紙幣入出金機構１００の検出系１５０、第一の紙幣帯封機構２００の検出系２５０および第二の紙幣帯封機構３００の検出系３５０を備えている。
【０１６７】
紙幣入出金機構１００の検出系１５０は、紙幣判別部１０５および出金紙幣判別部１３０を備えている。紙幣判別部１０５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１０５ａと、紙幣に形成されたインレット中のＩＣチップに記録された紙幣のＩＤデータ、紙幣の金種データなどのＲＦＩＤデータを読み取るＲＦＩＤリーダー１０５ｂとを備えている。また、出金紙幣判別部１３０も、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット１３０ａと、出金すべき紙幣に形成されたインレット中のＩＣチップに記録された紙幣のＩＤデータ、紙幣の金種データなどのＲＦＩＤデータを読み取るＲＦＩＤリーダー１３０ｂとを備えている。
【０１６８】
図４に示されるように、第一の紙幣帯封機構２００の検出系２５０は、紙幣束出金搬送路２３５に設けられたＲＦＩＤリーダー２３９ａを備えた紙幣束検出部２３９を備えている。
【０１６９】
図４に示されるように、第二の紙幣帯封機構３００の検出系３５０は、データ読み取り部３１５を備え、データ読み取り部３１５は、単位紙幣束に巻き付けられた結束テープＴ１に形成されているインレット内のＩＣチップに書き込まれたＲＦＩＤデータを読み取る第一のＲＦＩＤリーダー３１５ａと、単位紙幣束に含まれた紙幣に形成されているインレット内のＩＣチップに書き込まれたＲＦＩＤデータを読み取る第二のＲＦＩＤリーダー３１５ｂを備えている。
【０１７０】
図４に示されるように、本実施態様にかかる紙幣処理機の駆動系は、紙幣入出金機構１００の駆動系１６０、第一の紙幣帯封機構２００の駆動系２６０および第二の紙幣帯封機構３００の駆動系３６０を備えている。
【０１７１】
図６は、図３に示された紙幣処理機の紙幣入出金機構１００の駆動系１６０を示すブロックダイアグラムである。
【０１７２】
図６に示されるように、紙幣入出金機構１００の駆動系１６０は、ゲート部材１０８を駆動するソレノイド１６６と、ゲート部材１１３を駆動するソレノイド１６７と、ゲート部材１１４を選択的に駆動するソレノイド１６８と、ゲート部材１１５を駆動するソレノイド１６９と、ゲート部材１１６を駆動するソレノイド１７０と、ゲート部材１３２を駆動するソレノイド１７１と、汚損紙幣一時貯留ボックス１１８の底部を構成するシャッタを駆動するソレノイド１７５と、第一の紙幣一時貯留ボックス１１７ａの底部を構成するシャッタを駆動するソレノイド１７６と、第二の紙幣一時貯留ボックス１１７ｂの底部を構成するシャッタを駆動するソレノイド１７７と、第三の紙幣一時貯留ボックス１１７ｃの底部を構成するシャッタを駆動するソレノイド１７８と、第四の紙幣一時貯留ボックス１１７ｄの底部を構成するシャッタを駆動するソレノイド１７９と、第一の紙幣収納ボックス１２０ａの下部に設けられ、第一の紙幣収納ボックス１２０ａ内に収納された紙幣を、出金すべき紙幣として、１枚ずつ、出金紙幣搬送路１２５内に繰り出す第一の紙幣繰り出し部１２３ａと、第二の紙幣収納ボックス１２０ｂの下部に設けられ、第二の紙幣収納ボックス１２０ｂ内に収納された紙幣を、出金すべき紙幣として、１枚ずつ、出金紙幣搬送路１２５内に繰り出す第二の紙幣繰り出し部１２３ｂと、第三の紙幣収納ボックス１２０ｃの下部に設けられ、第三の紙幣収納ボックス１２０ｃ内に収納された紙幣を、出金すべき紙幣として、１枚ずつ、出金紙幣搬送路１２５内に繰り出す第三の紙幣繰り出し部１２３ｃと、第四の紙幣収納ボックス１２０ｄの下部に設けられ、第四の紙幣収納ボックス１２０ｄ内に収納された紙幣を、出金すべき紙幣として、１枚ずつ、出金紙幣搬送路１２５内に繰り出す第四の紙幣繰り出し部１２３ｄとを備えている。
【０１７３】
図６に示されるように、紙幣入出金機構１００の駆動系１６０は、さらに、紙幣入出金機構１の搬送路１０４、搬送路１０６、分岐搬送路１０７、分岐搬送路１０９、分岐搬送路１１０、分岐搬送路１１１、分岐搬送路１１２、出金紙幣搬送路１２５および分岐搬送路１３１に設けられた搬送ローラ（図示せず）を駆動するローラ駆動手段１６５ａと、紙幣入出金機構１００と第一の紙幣帯封機構２００を接続する接続搬送路１３７、紙幣束搬送路２３２および紙幣束出金搬送路２３５に設けられた搬送ローラ（図示せず）を駆動するローラ駆動手段１６５ｂと、第一の紙幣帯封機構２００と第二の紙幣帯封機構３００を接続する接続搬送路２３６、入金紙幣束搬送路３１２、紙幣束搬送路３１３および紙幣束搬送路３２７に設けられた搬送ローラ（図示せず）を駆動するローラ駆動手段１６５ｃと、ゲート部材１３８を駆動するソレノイド１７３を備えている。
【０１７４】
図７は、図３に示された紙幣処理機の第一の紙幣帯封機構２００の駆動系２６０を示すブロックダイアグラムである。
【０１７５】
図７に示されるように、第一の紙幣帯封機構２００の駆動系２６０は、ゲート部材２２５を駆動するソレノイド２７０と、第一の紙幣帯封ユニット２１０の第一の紙幣集積ボックス２１１内に集積された紙幣を送り出す第一の集積紙幣送り出し手段２７１と、第一の紙幣帯封ユニット２１０の第二の紙幣集積ボックス２１２内に集積された紙幣を送り出す第二の集積紙幣送り出し手段２７２と、第一の紙幣帯封ユニット２１０の紙幣保持手段２１６を上下方向に移動させるモータ２７３と、第一の紙幣帯封ユニット２１０の紙幣保持手段２１６の一対の挟持部材２１６ａ、２１６ｂを相対的に移動させるモータ２７４と、第一の紙幣帯封ユニット２１０の結束テープ供給部材２１７を駆動するモータ２７５と、第一の紙幣帯封ユニット２１０の巻き付け手段（図示せず）を駆動する巻き付けモータ２７６と、第一の紙幣帯封ユニット２１０のＲＦＩＤライター２１８を駆動するＲＦＩＤライター駆動手段２７７と、紙幣束搬送機構２３１を駆動する紙幣束搬送機構駆動手段２７８と、第一の紙幣束収納ボックス２３０ａ内に収納された単位紙幣束を、１つずつ、紙幣束搬送路２３２に繰り出す第一の紙幣束繰り出し部２３３ａと、第二の紙幣束収納ボックス２３０ｂ内に収納された単位紙幣束を、１つずつ、紙幣束搬送路２３２に繰り出す第二の紙幣束繰り出し部２３３ｂと、第三の紙幣束収納ボックス２３０ｃ内に収納された単位紙幣束を、１つずつ、紙幣束搬送路２３２に繰り出す第三の繰り出し部２３３ｃと、第四の紙幣束収納ボックス２３０ｄ内に収納された単位紙幣束を、１つずつ、紙幣束搬送路２３２に繰り出す第四の紙幣束繰り出し部２３３ｄと、第一の紙幣帯封機構２００に設けられたゲート部材２３７を駆動するソレノイド２７９を備えている。
【０１７６】
図８は、図３に示された紙幣処理機の第二の紙幣帯封機構３００の駆動系３６０を示すブロックダイアグラムである。
【０１７７】
図８に示されるように、第二の紙幣帯封機構３００の駆動系３６０は、第二の紙幣帯封ユニット３２０の紙幣束集積手段３２１内で集積された第二の所定数に等しい数の単位紙幣束を、紙幣束保持手段３２２に向けて、送り出す紙幣束送り出し手段３７０と、第二の紙幣帯封ユニット３２０の紙幣束保持手段３２２の一対の挟持部材を相対的に移動させるモータ３７１と、第二の紙幣帯封ユニット３２０の結束テープ供給部材３２３を駆動するモータ３７２と、第二の紙幣帯封ユニット３２０の巻き付け手段３２４を駆動する巻き付けモータ３７３と、第二の紙幣帯封ユニット３２０のＲＦＩＤライター３２５を駆動するＲＦＩＤライター駆動手段３７５とを備えている。
【０１７８】
図４に示されるように、本実施態様にかかる紙幣処理機の入力系は、オペレータによって操作され、種々の指示信号が入力されるキーボード４１０を備えており、紙幣入出金機の表示系は、紙幣の計数結果などを表示するディスプレイ４１５を備えている。
【０１７９】
以上のように構成された本実施態様にかかる紙幣処理機は、以下のようにして、紙幣入金口１０１に投入された紙幣を入金し、第一の紙幣収納ボックス１２０ａ、第二の紙幣収納ボックス１２０ｂ、第三の紙幣収納ボックス１２０ｃあるいは第四の紙幣収納ボックス１２０ｄに収納する。
【０１８０】
まず、オペレータによって、入金信号がキーボード４１０に入力され、紙幣が紙幣入金口１０１に投入されると、ＣＰＵ４００は、ローラ駆動手段１６５ａに駆動信号を出力する。
【０１８１】
その結果、紙幣は、１枚づつ、紙幣入金口１０１から搬送路１０４内に繰り出され、紙幣判別部１０５に送られる。
【０１８２】
紙幣判別部１０５においては、センサユニット１０５ａによって、紙幣の光学データおよび磁気データが読み取られるとともに、ＲＦＩＤリーダー１０５ｂによって、紙幣に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ４００に出力される。
【０１８３】
ＣＰＵ４００は、紙幣判別部１０５のＲＦＩＤリーダー１０５ｂから入力されたＲＦＩＤデータをＲＡＭ４０２の第一のメモリ領域４０２ａ内の入金紙幣に関するデータを格納するメモリ領域４０２ａａに書き込むとともに、ＲＡＭ４０２に書き込まれたＲＦＩＤデータに基づいて、紙幣が、現に流通している真正な紙幣か否かおよび紙幣の金種を暫定的に判別する。
【０１８４】
ここに、紙幣のＩＤデータ、紙幣の金種データなどのＲＦＩＤデータは、紙幣の発行権限を有する機関によって、特定のフォーマットで、インレット中のＩＣチップに記録されているから、ＣＰＵ４００は、紙幣判別部１０５のＲＦＩＤリーダー１０５ｂから入力されたＲＦＩＤデータに基づいて、紙幣が、現に流通している真正な紙幣か否かを判別し、その金種を判別することができる。
【０１８５】
その結果、ＲＦＩＤデータに基づいて、紙幣判別部１０５によって検出された紙幣が、現に流通している真正な紙幣ではないと判別したときは、ＣＰＵ４００は、判別結果をＲＡＭ４０２の第一のメモリ領域４０２ａ内の入金紙幣に関するデータを格納するメモリ領域４０２ａａに書き込み、これに対して、ＲＦＩＤデータに基づいて、紙幣が、現に流通している真正な紙幣と判別したときは、ＣＰＵ４００は、ＲＦＩＤデータに基づいて、紙幣の金種を暫定的に決定し、さらに、暫定的に決定した紙幣の金種に対応する金種の紙幣の基準光学データおよび基準磁気データをＲＯＭ４０１から読み出す。
【０１８６】
次いで、ＣＰＵ４００は、紙幣判別部１０５のセンサユニット１０５ａから入力された紙幣の光学データおよび磁気データを、ＲＯＭ４０１から読み出した紙幣の基準光学データおよび基準磁気データと比較し、紙幣の金種および汚損レベル、紙幣が１枚ずつ送られているか否かならびに紙幣の短辺が紙幣の搬送方向と平行になるように送られているか否かを判別する。
【０１８７】
すなわち、光学センサ手段の反射光センサが検出した紙幣の表面パターンデータと、暫定的に決定した金種の紙幣の基準表面パターンデータとを比較した結果、両者の差が第一のしきい値以下と判定したときは、ＣＰＵ４００は、紙幣判別部１０５によって検出された紙幣は、ＲＦＩＤデータに基づいて暫定的に決定した金種の紙幣であると最終的に判別する。
【０１８８】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ４００は、その紙幣は、現に流通している真正な紙幣であるが、紙幣の短辺が紙幣の搬送方向と平行になるように送られていないと判別する。
【０１８９】
一方、光学センサ手段の反射光センサが検出した紙幣の表面パターンデータと、暫定的に決定した金種の紙幣の基準表面パターンデータとを比較した結果、両者の差が第一のしきい値以上を超えているが、第二のしきい値以下であると判定したときは、ＣＰＵ４００は、紙幣判別部１０５によって検出された紙幣は、ＲＦＩＤデータに基づいて暫定的に決定した金種の紙幣であるが、汚損レベルが所定レベルを超えた汚損紙幣であると判別する。
【０１９０】
これに対して、光学センサ手段の透過光センサが検出した紙幣の透過光データと、暫定的に決定した金種の紙幣の基準透過光データとを比較した結果、両者が実質的に一致しているときは、ＣＰＵ４００は、その紙幣は、１枚ずつ送られていると判別し、両者が実質的に一致していないときは、２枚以上の紙幣が、全部あるいはその一部が重なり合って、送られていると判別する。
【０１９１】
その結果、紙幣判別部１０５によって検出された紙幣が、偽造紙幣もしくは外国紙幣と判別した場合、２枚以上の紙幣の全部あるいは一部が重なり合って、送られていると判別した場合あるいは紙幣の短辺が紙幣の搬送方向と角度をなして送られていると判別した場合には、ＣＰＵ４００は、判別結果をＲＡＭ４０２の第一のメモリ領域４０２ａ内の入金紙幣に関するデータを格納するメモリ領域４０２ａａに書き込むとともに、ゲート部材１０８を駆動するソレノイド１６６に駆動信号を出力して、その紙幣を、分岐搬送路１０７を介して、紙幣返却口１０３に送り、オペレータに返却する。
【０１９２】
本実施態様においては、紙幣判別部１０５は、ＲＦＩＤリーダー１０５ｂを備えており、ＲＦＩＤリーダー１０５ｂによって、紙幣に形成されたインレット中のＩＣチップに記録された紙幣のＩＤデータ、紙幣の金種データなどのＲＦＩＤデータが読み取られるから、２枚以上の紙幣の全部あるいは一部が重なり合って、送られている場合や、紙幣の短辺が紙幣の搬送方向と角度をなして送られている場合においても、その紙幣の金種を正確に判別することができるが、２枚以上の紙幣の全部あるいは一部が重なり合って、送られている場合や、紙幣の短辺が紙幣の搬送方向と角度をなして送られている場合には、それらの紙幣は、搬送路１０６の下流側においてジャミングを起こすおそれがあるため、紙幣返却口１０３に送って、オペレータに返却するように構成されている。
【０１９３】
一方、紙幣判別部１０５によって検出された紙幣が、現に流通している真正な紙幣で、かつ、１枚ずつ、その短辺が紙幣の搬送方向と平行になるように送られているが、汚損レベルが所定レベルを超えた汚損紙幣であると判別したときは、ＣＰＵ４００は、判別結果を、ＲＡＭ４０２の第一のメモリ領域４０２ａ内の入金紙幣に関するデータを格納するメモリ領域４０２ａａに書き込むとともに、その紙幣を金種別に計数して、計数結果を、汚損紙幣の計数データとして、ＲＡＭ４０２の第一のメモリ領域４０２ａ内の入金紙幣に関するデータを格納するメモリ領域４０２ａａに書き込み、ゲート部材１０８を駆動するソレノイド１６６に駆動信号を出力することなく、ゲート部材１１３を駆動するソレノイド１６７に駆動信号を出力する。
【０１９４】
したがって、汚損紙幣は、搬送路１０６内を、分岐搬送路１０７の分岐部の下流側に送られ、分岐搬送路１０９の分岐部に達すると、ゲート部材１１３によって、選択的に分岐搬送路１０９に導かれ、汚損紙幣一時貯留ボックス１１８内に送られて、一時的に貯留される。
【０１９５】
これに対して、その紙幣が、汚損レベルが所定レベル以下の現に流通している真正な紙幣であり、かつ、第一の金種の紙幣であると判別したときは、ＣＰＵ４００は、第一の金種の紙幣が検出された旨を、ＲＡＭ４０２の第一のメモリ領域４０２ａ内の入金紙幣に関するデータを格納するメモリ領域４０２ａａに書き込むとともに、その紙幣を計数して、計数結果を、第一の金種の紙幣の計数データとして、ＲＡＭ４０２の第一のメモリ領域４０２ａ内の入金紙幣に関するデータを格納するメモリ領域４０２ａａに書き込み、ゲート部材１０８を駆動するソレノイド１６６およびゲート部材１１３を駆動するソレノイド１６７に駆動信号を出力することなく、ゲート部材１１４を駆動するソレノイド１６８に駆動信号を出力する。
【０１９６】
したがって、第一の金種の紙幣は、分岐搬送路１０７の分岐部および分岐搬送路１０９の分岐部を通過して、搬送路１０６内をさらに下流側に送られ、分岐搬送路１１０の分岐部に達すると、ゲート部材１１４によって、選択的に分岐搬送路１１０に導かれ、第一の紙幣一時貯留ボックス１１７ａ内に送られて、一時的に貯留される。
【０１９７】
一方、その紙幣が、汚損レベルが所定レベル以下の現に流通している真正な紙幣であり、かつ、第二の金種の紙幣であると判別したときは、ＣＰＵ４００は、第二の金種の紙幣が検出された旨を、ＲＡＭ４０２の第一のメモリ領域４０２ａ内の入金紙幣に関するデータを格納するメモリ領域４０２ａａに書き込むとともに、その紙幣を計数して、計数結果を、第二の金種の紙幣の計数データとして、ＲＡＭ４０２の第一のメモリ領域４０２ａ内の入金紙幣に関するデータを格納するメモリ領域４０２ａａに書き込み、ゲート部材１０８を駆動するソレノイド１６６、ゲート部材１１３を駆動するソレノイド１６７およびゲート部材１１４を駆動するソレノイド１６８に駆動信号を出力することなく、ゲート部材１１５を駆動するソレノイド１６９に駆動信号を出力する。
【０１９８】
したがって、第二の金種の紙幣は、分岐搬送路１０７の分岐部、分岐搬送路１０９の分岐部および分岐搬送路１１０の分岐部を通過して、搬送路１０６内をさらに下流側に送られ、分岐搬送路１１１の分岐部に達すると、ゲート部材１１５によって、選択的に分岐搬送路１１１に導かれ、第二の紙幣一時貯留ボックス１１７ｂ内に送られて、一時的に貯留される。
【０１９９】
これに対して、その紙幣が、汚損レベルが所定レベル以下の現に流通している真正な紙幣であり、かつ、第三の金種の紙幣であると判別したときは、ＣＰＵ４００は、第三の金種の紙幣が検出された旨を、ＲＡＭ４０２の第一のメモリ領域４０２ａ内の入金紙幣に関するデータを格納するメモリ領域４０２ａａに書き込むとともに、その紙幣を計数して、計数結果を、第三の金種の紙幣の計数データとして、ＲＡＭ４０２の第一のメモリ領域４０２ａ内の入金紙幣に関するデータを格納するメモリ領域４０２ａａに書き込み、ゲート部材１０８を駆動するソレノイド１６６、ゲート部材１１３を駆動するソレノイド１６７、ゲート部材１１４を駆動するソレノイド１６８およびゲート部材１１５を駆動するソレノイド１６９に駆動信号を出力することなく、ゲート部材１１６を駆動するソレノイド１７０に駆動信号を出力する。
【０２００】
したがって、第三の金種の紙幣は、分岐搬送路１０７の分岐部、分岐搬送路１０９の分岐部、分岐搬送路１１０の分岐部および分岐搬送路１１１の分岐部を通過して、搬送路１０６内をさらに下流側に送られ、分岐搬送路１１２の分岐部に達すると、ゲート部材１１６によって、選択的に分岐搬送路１１２に導かれ、第三の紙幣一時貯留ボックス１１７ｃ内に送られて、一時的に貯留される。
【０２０１】
一方、その紙幣が、汚損レベルが所定レベル以下の現に流通している真正な紙幣であり、かつ、第四の金種の紙幣であると判別したときは、ＣＰＵ４００は、第四の金種の紙幣が検出された旨を、ＲＡＭ４０２の第一のメモリ領域４０２ａ内の入金紙幣に関するデータを格納するメモリ領域４０２ａａに書き込むとともに、その紙幣を計数して、計数結果を、第四の金種の紙幣の計数データとして、ＲＡＭ４０２の第一のメモリ領域４０２ａ内の入金紙幣に関するデータを格納するメモリ領域４０２ａａに書き込み、ゲート部材１０８を駆動するソレノイド１６６、ゲート部材１１３を駆動するソレノイド１６７、ゲート部材１１４を駆動するソレノイド１６８、ゲート部材１１５を駆動するソレノイド１６９およびゲート部材１１６を駆動するソレノイド１７０のいずれにも駆動信号を出力しない。
【０２０２】
その結果、第四の金種の紙幣は、分岐搬送路１０７の分岐部、分岐搬送路１０９の分岐部、分岐搬送路１１０の分岐部、分岐搬送路１１１の分岐部および分岐搬送路１１２の分岐部を通過して、搬送路１０６内をさらに下流側に送られ、第四の紙幣一時貯留ボックス１１７ｄ内に送られて、一時的に貯留される。
【０２０３】
本実施態様においては、このように、紙幣のＲＦＩＤデータに基づき、紙幣判別部１０５によって検出された紙幣が、現に流通している真正な紙幣であるか否かを判別し、現に流通している真正な紙幣であると判別したときは、紙幣のＲＦＩＤデータに基づき、紙幣の金種を暫定的に決定し、暫定的に決定した紙幣の金種に対応する金種の紙幣の基準光学データおよび基準磁気データをＲＯＭ４０１から読み出し、紙幣判別部１０５のセンサユニット１０５ａから入力された紙幣の光学データおよび磁気データを、ＲＯＭ４０１から読み出した紙幣の基準光学データおよび基準磁気データと比較して、紙幣の金種を最終的に判別するとともに、その紙幣の汚損のレベル、紙幣が１枚ずつ送られているか否かならびに紙幣の短辺が紙幣の搬送方向と平行になるように送られているか否かを判別するように構成されているから、紙幣の判別に要する時間を大幅に短縮することが可能になる。
【０２０４】
次いで、ＣＰＵ４００は、ＲＡＭ４０２の第一のメモリ領域４０２ａ内の入金紙幣に関するデータを格納するメモリ領域４０２ａａに書き込まれた計数結果に基づき、汚損紙幣一時貯留ボックス１１８、第一の紙幣一時貯留ボックス１１７ａ、第二の紙幣一時貯留ボックス１１７ｂ、第三の紙幣一時貯留ボックス１１７ｃおよび第四の紙幣一時貯留ボックス１１７ｄ内に送られた紙幣の合計金額を算出し、ディスプレイ４１５に表示する。
【０２０５】
ディスプレイ４１５に表示された紙幣の合計金額が予期していた紙幣の合計金額と一致しないなどの理由で、オペレータが、入金処理を中止させるために、入金中止信号を、キーボード４１０に入力し、入金中止信号がＣＰＵ４００に入力されたときは、ＣＰＵ４００は、ＲＡＭ４０２の第一のメモリ領域４０２ａ内の入金紙幣に関するデータを格納するメモリ領域４０２ａａに格納された汚損紙幣の計数データ、第一の金種の紙幣の計数データ、第二の金種の紙幣の計数データ、第三の金種の紙幣の計数データおよび第四の金種の紙幣の計数データを消去するとともに、紙幣一時貯留ユニット１１７をロックしているロック部材（図示せず）のロックを解除し、さらに、ディスプレイ４１５に、ロックが解除され、紙幣一時貯留ユニット１１７が取り出し可能な状態になった旨を表示する。
【０２０６】
したがって、オペレータは、紙幣一時貯留ユニット１１７を紙幣処理機から引き出し、汚損紙幣一時貯留ボックス１１８、第一の紙幣一時貯留ボックス１１７ａ、第二の紙幣一時貯留ボックス１１７ｂ、第三の紙幣一時貯留ボックス１１７ｃおよび第四の紙幣一時貯留ボックス１１７ｄ内に貯留されていた紙幣を回収することができる。
【０２０７】
これに対して、オペレータが、ディスプレイ４１５に表示された紙幣の合計金額を確認して、入金指示信号を、キーボード４１０に入力し、入金指示信号がＣＰＵ４００に入力されたときは、ＣＰＵ４００は、汚損紙幣一時貯留ボックス１１８の底部を構成するシャッタを駆動するソレノイド１７５、第一の紙幣一時貯留ボックス１１７ａの底部を構成するシャッタを駆動するソレノイド１７６、第二の紙幣一時貯留ボックス１１７ｂの底部を構成するシャッタを駆動するソレノイド１７７、第三の紙幣一時貯留ボックス１１７ｃの底部を構成するシャッタを駆動するソレノイド１７８および第四の紙幣一時貯留ボックス１１７ｄの底部を構成するシャッタを駆動するソレノイド１７９に駆動信号を出力する。
【０２０８】
その結果、汚損紙幣一時貯留ボックス１１８内に一時的に貯留されていた汚損紙幣は、汚損紙幣収納ボックス１２１内に落下して、汚損紙幣収納ボックス１２１内に収納されるとともに、第一の紙幣一時貯留ボックス１１７ａ内に一時的に貯留されていた第一の金種の紙幣は、第一の紙幣収納ボックス１２０ａ内に落下して、第一の紙幣収納ボックス１２０ａ内に収納され、第二の紙幣一時貯留ボックス１１７ｂ内に一時的に貯留されていた第二の金種の紙幣は、第二の紙幣収納ボックス１２０ｂ内に落下して、第二の紙幣収納ボックス１２０ｂ内に収納される。同時に、第三の紙幣一時貯留ボックス１１７ｃ内に一時的に貯留されていた第三の金種の紙幣は、第三の紙幣収納ボックス１２０ｃ内に落下して、第三の紙幣収納ボックス１２０ｃ内に収納され、第四の紙幣一時貯留ボックス１１７ｄ内に一時的に貯留されていた第四の金種の紙幣は、第四の紙幣収納ボックス１２０ｄ内に落下し、第四の紙幣収納ボックス１２０ｄ内に収納される。
【０２０９】
第一の紙幣収納ボックス１２０ａ内に送られた第一の金種の紙幣は、第一の紙幣収納ボックス１２０ａの底板上に集積され、第二の紙幣収納ボックス１２０ｂ内に送られた第二の金種の紙幣は、第二の紙幣収納ボックス１２０ｂの底板上に集積される。同様に、第三の紙幣収納ボックス１２０ｃ内に送られた第三の金種の紙幣は、第三の紙幣収納ボックス１２０ｃの底板上に集積され、第四の紙幣収納ボックス１２０ｄ内に送られた第四の金種紙幣は、第四の紙幣収納ボックス１２０ｄの底板上に集積される。
【０２１０】
こうして、紙幣の入金処理が完了する。
【０２１１】
紙幣処理機から、紙幣を出金する場合には、オペレータによって、出金すべき金種ごとの紙幣の枚数を特定する出金データと出金信号がキーボード４１０に入力される。
【０２１２】
オペレータによって入力された出金データと出金信号は、ＣＰＵ４００に出力され、ＣＰＵ４００は、入力された出金すべき金種ごとの紙幣の枚数を特定する紙幣出金データを、ＲＡＭ４０２の第一のメモリ領域４０２ａ内の出金すべき紙幣に関するデータを格納するメモリ領域４０２ａｂに書き込む。
【０２１３】
次いで、ＣＰＵ４００は、ＲＡＭ４０２の第一のメモリ領域４０２ａ内の出金すべき紙幣に関するデータを格納するメモリ領域４０２ａｂに書き込んだ紙幣出金データにしたがって、第一の紙幣収納ボックス１２０ａの下部に設けられた第一の紙幣繰り出し部１２３ａ、第二の紙幣収納ボックス１２０ｂの下部に設けられた第二の紙幣繰り出し部１２３ｂ、第三の紙幣収納ボックス１２０ｃの下部に設けられた第三の紙幣繰り出し部１２３ｃおよび第四の紙幣収納ボックス１２０ｄの下部に設けられた第四の紙幣繰り出し部１２３ｄを選択的に駆動する。
【０２１４】
すなわち、第一の金種の紙幣を出金すべきときは、ＣＰＵ４００は、第一の紙幣繰り出し部１２３ａに駆動信号を出力して、第一の紙幣収納ボックス１２０ａ内に収納されている第一の金種の紙幣を、１枚ずつ、出金紙幣搬送路１２５に繰り出させ、第二の金種の紙幣を出金すべきときは、ＣＰＵ４００は、第二の紙幣繰り出し部１２３ｂに駆動信号を出力して、第二の紙幣収納ボックス１２０ｂ内に収納されている第二の金種の紙幣を、１枚ずつ、出金紙幣搬送路１２５に繰り出させる。一方、第三の金種の紙幣を出金すべきときは、ＣＰＵ４００は、第三の紙幣繰り出し部１２３ｃに駆動信号を出力して、第三の紙幣収納ボックス１２０ｃ内に収納されている第三の金種の紙幣を、１枚ずつ、出金紙幣搬送路１２５に繰り出させ、第四の金種の紙幣を出金すべきときは、ＣＰＵ４００は、第四の紙幣繰り出し部１２３ｄに駆動信号を出力して、第四の紙幣収納ボックス１２０ｄ内に収納されている第四の金種の紙幣を、１枚ずつ、出金紙幣搬送路１２５に繰り出させる。
【０２１５】
出金紙幣搬送路１２５に繰り出された紙幣は、出金紙幣判別部１３０に送られる。
【０２１６】
出金すべき紙幣が、出金紙幣判別部１３０に送られると、センサユニット１３０ａによって、紙幣の光学データおよび磁気データが読み取られるとともに、ＲＦＩＤリーダー１３０ｂによって、紙幣に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ４００に出力される。
【０２１７】
ＣＰＵ４００は、出金紙幣判別部１３０から入力された紙幣の光学データ、磁気データおよびＲＦＩＤデータに基づいて、紙幣が、現に流通している真正な紙幣か否かを判別し、紙幣が現に流通している真正な紙幣であると判別したときは、その金種を判別するとともに、紙幣が１枚ずつ送られているか否かおよび紙幣の短辺が紙幣の搬送方向と平行になるように送られているか否かを判別する。
【０２１８】
ここに、紙幣判別部１０５から入力された紙幣の光学データ、磁気データおよびＲＦＩＤデータに基づき、現に流通している真正な紙幣と判別された紙幣のみが、第一の紙幣収納ボックス１２０ａ、第二の紙幣収納ボックス１２０ｂ、第三の紙幣収納ボックス１２０ｃおよび第四の紙幣収納ボックス１２０ｄに送られて、収納され、第一の紙幣収納ボックス１２０ａ、第二の紙幣収納ボックス１２０ｂ、第三の紙幣収納ボックス１２０ｃおよび第四の紙幣収納ボックス１２０ｄ内には、それぞれ、第一の金種の紙幣、第二の金種の紙幣、第三の金種の紙幣および第四の金種の紙幣が収納されており、したがって、第一の紙幣収納ボックス１２０ａ、第二の紙幣収納ボックス１２０ｂ、第三の紙幣収納ボックス１２０ｃおよび第四の紙幣収納ボックス１２０ｄから繰り出されて、出金紙幣判別部１３０に送られる紙幣はすべて、現に流通している真正な紙幣であるはずであり、また、その紙幣が、第一の紙幣収納ボックス１２０ａ、第二の紙幣収納ボックス１２０ｂ、第三の紙幣収納ボックス１２０ｃおよび第四の紙幣収納ボックス１２０ｄのうち、いずれの紙幣収納ボックスから繰り出されたかによって、その紙幣の金種を知ることができるから、出金紙幣判別部１３０から入力された紙幣の光学データ、磁気データおよびＲＦＩＤデータに基づいて、ＣＰＵ４００が、出金すべき紙幣が、現に流通している真正な紙幣か否かを判別することは必ずしも必要ではないし、また、出金すべき紙幣の金種を判別することも必ずしも必要ではないが、本実施態様においては、紙幣処理機から、出金された紙幣の金種および枚数ならびに紙幣処理機内に収納されている紙幣の金種ごとの枚数を正確に管理するために、出金紙幣判別部１３０から入力された紙幣の光学データ、磁気データおよびＲＦＩＤデータに基づいて、ＣＰＵ４００が、出金すべき紙幣が、現に流通している真正な紙幣か否かおよび出金すべき紙幣の金種を判別するように構成されている。
【０２１９】
ＣＰＵ４００は、出金紙幣判別部１３０のＲＦＩＤリーダー１３０ｂから入力されたＲＦＩＤデータをＲＡＭ４０２に書き込むとともに、ＲＡＭ４０２に書き込まれたＲＦＩＤデータに基づいて、紙幣が、現に流通している真正な紙幣か否かおよび紙幣の金種を暫定的に判別する。
【０２２０】
その結果、ＲＦＩＤデータに基づいて、出金紙幣判別部１３０によって検出された紙幣が、現に流通している真正な紙幣ではないと判別したときは、ＣＰＵ４００は、判別結果をＲＡＭ４０２の第一のメモリ領域４０２ａ内の出金すべき紙幣に関するデータを格納するメモリ領域４０２ａｂに書き込み、これに対して、ＲＦＩＤデータに基づいて、紙幣が、現に流通している真正な紙幣と判別したときは、ＣＰＵ４００は、ＲＦＩＤデータに基づいて、紙幣の金種を暫定的に決定し、さらに、暫定的に決定した紙幣の金種に対応する金種の紙幣の基準光学データおよび基準磁気データをＲＯＭ４０１から読み出す。
【０２２１】
次いで、ＣＰＵ４００は、出金紙幣判別部１３０のセンサユニット１３０ａから入力された紙幣の光学データおよび磁気データを、ＲＯＭ４０１から読み出した紙幣の基準光学データおよび基準磁気データと比較し、紙幣の金種を最終的に判別するとともに、紙幣が１枚ずつ送られているか否かならびに紙幣の短辺が紙幣の搬送方向と平行になるように送られているか否かを判別する。
【０２２２】
すなわち、光学センサ手段の反射光センサが検出した紙幣の表面パターンデータと、暫定的に決定した金種の紙幣の基準表面パターンデータとを比較した結果、両者の差が第一のしきい値以下と判定したときは、ＣＰＵ４００は、出金紙幣判別部１３０によって検出された紙幣は、ＲＦＩＤデータに基づいて暫定的に決定した金種の紙幣であると最終的に判別する。
【０２２３】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ４００は、その紙幣は、現に流通している真正な紙幣であるが、紙幣の短辺が紙幣の搬送方向と平行になるように送られていないと判別する。
【０２２４】
ここに、紙幣が、現に流通している真正な紙幣であるが、汚損レベルが所定レベルを超えている場合には、光学センサ手段の反射光センサが検出した紙幣の表面パターンデータと、暫定的に決定した金種の紙幣の基準表面パターンデータとの差が、第一のしきい値を超え、第二のしきい値未満になるが、汚損レベルが所定レベルを超えた汚損紙幣は、汚損紙幣収納ボックス１２１内に回収されているから、光学センサ手段の反射光センサが検出した紙幣の表面パターンデータと、暫定的に決定した金種の紙幣の基準表面パターンデータとの差が、第一のしきい値を超え、第二のしきい値未満になるということはない。
【０２２５】
これに対して、光学センサ手段の透過光センサが検出した紙幣の透過光データと、暫定的に決定した金種の紙幣の基準透過光データとを比較した結果、両者が実質的に一致しているときは、ＣＰＵ４００は、その紙幣は、１枚ずつ送られていると判別し、両者が実質的に一致していないときは、２枚以上の紙幣が、全部あるいはその一部が重なり合って、送られていると判別する。
【０２２６】
判別の結果、出金紙幣判別部１３０によって検出された紙幣が、現に流通している真正な紙幣で、１枚ずつ、その短辺が紙幣の搬送方向と平行になるように送られていると判別したときは、ＣＰＵ４００は、判別した金種の紙幣が１枚出金された旨を、出金紙幣データとして、ＲＡＭ４０２の第一のメモリ領域４０２ａ内の出金すべき紙幣に関するデータを格納するメモリ領域４０２ａｂに書き込むとともに、ＲＡＭ４０２の第一のメモリ領域４０２ａ内の出金すべき紙幣に関するデータを格納するメモリ領域４０２ａｂに書き込まれた紙幣出金データ中の対応する金種の紙幣の出金すべき枚数を１枚分だけ減じた上で、その紙幣を、出金紙幣搬送路１２５、ゲート部材１３２、出金紙幣搬送路１２５、ゲート部材１３８および出金紙幣搬送路１２５を介して、紙幣出金口１０２に送って、出金する。
【０２２７】
一方、出金紙幣判別部１３０によって検出された紙幣が、偽造紙幣もしくは外国紙幣と判別した場合には、ＣＰＵ４００は、ＲＡＭ４０２の第一のメモリ領域４０２ａ内の出金すべき紙幣に関するデータを格納するメモリ領域４０２ａｂに、偽造紙幣あるいは外国紙幣が検出され、偽造紙幣あるいは外国紙幣が１枚回収された旨を書き込み、さらに、ゲート部材１３２を駆動するソレノイド１７１に駆動信号を出力して、出金紙幣搬送路１２５を分岐搬送路１３１に連通させ、偽造紙幣あるいは外国紙幣と判別した紙幣を紙幣回収ボックス１３３に導いて、紙幣回収ボックス１３３内に回収させる。
【０２２８】
これに対して、ＣＰＵ４００が、２枚以上の紙幣の全部あるいは一部が重なり合って、送られていると判別した場合あるいは紙幣の短辺が紙幣の搬送方向と角度をなして送られていると判別した場合には、これらの紙幣を紙幣出金口１０２に送ると、紙幣が出金紙幣搬送路１２５内で、ジャミングを起こすおそれがあるため、ゲート部材１３２を駆動するソレノイド１７１に駆動信号を出力して、出金紙幣搬送路１２５を分岐搬送路１３１に連通させ、これらの紙幣を紙幣回収ボックス１３３に導いて、紙幣回収ボックス１３３内に回収させる。
【０２２９】
この際、ＣＰＵ４００は、ＲＦＩＤリーダー１３０ｂによって読み取られた紙幣のＲＦＩＤデータに基づいて、紙幣回収ボックス１３３内に回収された紙幣の金種および枚数を判別して、ＲＡＭ４０２の第一のメモリ領域４０２ａ内の出金すべき紙幣に関するデータを格納するメモリ領域４０２ａｂに、紙幣回収ボックス１３３内に回収された紙幣の金種および枚数を書き込む。
【０２３０】
ここに、出金紙幣判別部１３０が、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えているに過ぎない従来の紙幣処理機にあっては、２枚以上の紙幣の全部あるいは一部が重なり合って、送られている場合あるいは紙幣の短辺が紙幣の搬送方向と角度をなして送られている場合には、それらの金種を精度よく判別することが不可能であり、また、２枚以上の紙幣の全部あるいは一部が重なり合って、送られている場合には、何枚の紙幣が重なり合って送られているかを精度よく判別することが不可能であるため、紙幣回収ボックス１３３内に回収された紙幣の金種別枚数を、精度よく、把握することができず、したがって、第一の紙幣収納ボックス１２０ａ、第二の紙幣収納ボックス１２０ｂ、第三の紙幣収納ボックス１２０ｃおよび第四の紙幣収納ボックス１２０ｄから、出金のために繰り出された紙幣の金種別枚数を精度よく把握することが不可能であるため、第一の紙幣収納ボックス１２０ａ、第二の紙幣収納ボックス１２０ｂ、第三の紙幣収納ボックス１２０ｃおよび第四の紙幣収納ボックス１２０ｄに収納されている紙幣の金種別枚数を正確に管理することが不可能であった。
【０２３１】
しかしながら、本実施態様においては、紙幣処理機の出金紙幣判別部１３０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えたセンサユニット１３０ａに加えて、紙幣に形成されたインレット中のＩＣチップに記録された紙幣のＩＤデータ、紙幣の金種データなどのＲＦＩＤデータを読み取るＲＦＩＤリーダー１３０ｂを備えているため、２枚以上の紙幣の全部あるいは一部が重なり合って、送られている場合あるいは紙幣の短辺が紙幣の搬送方向と角度をなして送られている場合においても、ＣＰＵ４００は、ＲＦＩＤリーダー１３０ｂによって読み取られた紙幣のＲＦＩＤデータに基づいて、それらの紙幣の金種を精度よく判別することができ、また、２枚以上の紙幣の全部あるいは一部が重なり合って、送られている場合に、ＣＰＵ４００は、ＲＦＩＤリーダー１３０ｂによって読み取られた紙幣のＲＦＩＤデータに基づいて、何枚の紙幣が重なり合って送られているかを精度よく判別することができ、したがって、第一の紙幣収納ボックス１２０ａ、第二の紙幣収納ボックス１２０ｂ、第三の紙幣収納ボックス１２０ｃおよび第四の紙幣収納ボックス１２０ｄから、出金のために繰り出された紙幣の金種別枚数を精度よく把握して、第一の紙幣収納ボックス１２０ａ、第二の紙幣収納ボックス１２０ｂ、第三の紙幣収納ボックス１２０ｃおよび第四の紙幣収納ボックス１２０ｄに収納されている紙幣の金種別枚数を正確に管理することができ、紙幣処理機の紙幣管理機能を大幅に向上させることが可能になる。
【０２３２】
こうして、第一の紙幣収納ボックス１２０ａ、第二の紙幣収納ボックス１２０ｂ、第三の紙幣収納ボックス１２０ｃおよび第四の紙幣収納ボックス１２０ｄから、選択的に、紙幣が繰り出され、出金紙幣判別部１３０が紙幣を検出するたびに、ＣＰＵ４００は、ＲＡＭ４０２の第一のメモリ領域４０２ａ内の出金すべき紙幣に関するデータを格納するメモリ領域４０２ａｂに書き込まれたデータを書き換える。すなわち、出金紙幣判別部１３０が検出した紙幣が、現に流通している真正な紙幣で、１枚ずつ、その短辺が紙幣の搬送方向と平行になるように送られていると判別したときは、その金種の紙幣が１枚出金された旨を、ＲＡＭ４０２の第一のメモリ領域４０２ａ内の出金すべき紙幣に関するデータを格納するメモリ領域４０２ａｂに書き込んで、出金紙幣データを書き換え、一方、紙幣を紙幣回収ボックス１３３内に回収すべきと判別したときは、ＲＡＭ４０２の第一のメモリ領域４０２ａ内の出金すべき紙幣に関するデータを格納するメモリ領域４０２ａｂに、偽造紙幣あるいは外国紙幣が１枚回収された旨あるいは紙幣回収ボックス１３３内に回収された紙幣の金種と枚数を書き込む。
【０２３３】
こうして、ＲＡＭ４０２に書き込まれた出金紙幣データに基づき、すべての金種の紙幣において、出金された紙幣の枚数が、ＲＡＭ４０２に書き込まれた紙幣出金データ中の出金すべき紙幣の枚数に等しくなると、紙幣の出金処理が完了する。
【０２３４】
これに対して、第一の紙幣帯封機構２００を用いて、紙幣入出金機構１００の第一の紙幣収納ボックス１２０ａ、第二の紙幣収納ボックス１２０ｂ、第三の紙幣収納ボックス１２０ｃおよび／または第四の紙幣収納ボックス１２０ｄに収納された紙幣の単位紙幣束を生成する場合には、まず、オペレータによって、単位紙幣束を生成すべき紙幣の金種および単位紙幣束に含まれるべき紙幣の枚数を特定するとともに、生成すべき単位紙幣束の数を特定する第一の紙幣束データと、単位紙幣束の生成を指示する第一の紙幣束生成信号とが、キーボード４１０に入力される。同時に、オペレータによって、金融機関名、支店名、紙幣処理機のＩＤデータならびにオペレータの名前などの帯封処理に関するデータがキーボード４１０に入力される。
【０２３５】
オペレータによって入力された第一の紙幣束データおよび帯封処理に関するデータならびに第一の紙幣束生成信号はＣＰＵ４００に出力され、オペレータによって入力された第一の紙幣束データおよび帯封処理に関するデータならびに第一の紙幣束生成信号を受けると、ＣＰＵ４００は、オペレータによって入力された第一の紙幣束生成データを、ＲＡＭ４０２の第二のメモリ領域４０２ｂ内の紙幣束に関するデータを格納するメモリ領域４０２ｂａに書き込むとともに、帯封処理に関するデータを、ＲＡＭ４０２の第二のメモリ領域４０２ｂ内の単位紙幣束を構成する紙幣に関するＲＦＩＤデータおよび帯封処理に関するＲＦＩＤデータを格納するメモリ領域４０２ｂｂに書き込み、さらに、ゲート部材１３８を駆動するソレノイド１７３に駆動信号を出力して、出金紙幣搬送路１２５と接続搬送路１３７とを連通させ、さらに、ローラ駆動手段１６５ｂに駆動信号を出力して、紙幣入出金機構１００と第一の紙幣帯封機構２００を接続する接続搬送路１３７、紙幣束搬送路２３２および紙幣束出金搬送路２３５に設けられた搬送ローラ（図示せず）を駆動する点を除き、紙幣入出金機構１００の第一の紙幣収納ボックス１２０ａ、第二の紙幣収納ボックス１２０ｂ、第三の紙幣収納ボックス１２０ｃあるいは第四の紙幣収納ボックス１２０ｄから、紙幣を紙幣出金口１０２に出金する場合と同様にして、紙幣入出金機構１００の第一の紙幣収納ボックス１２０ａ、第二の紙幣収納ボックス１２０ｂ、第三の紙幣収納ボックス１２０ｃあるいは第四の紙幣収納ボックス１２０ｄから、出金紙幣搬送路１２５内に、１枚ずつ、紙幣を繰り出す。
【０２３６】
第一の紙幣収納ボックス１２０ａ、第二の紙幣収納ボックス１２０ｂ、第三の紙幣収納ボックス１２０ｃあるいは第四の紙幣収納ボックス１２０ｄから繰り出され、出金紙幣判別部１３０によって検出されたデータに基づいて、真正でかつ現に流通している紙幣で、１枚ずつ、その短辺が紙幣の搬送方向と平行になるように送られていると判別された紙幣は、出金紙幣搬送路１２５、ゲート部材１３２および出金紙幣搬送路１２５を介して、出金紙幣搬送路１２５と接続搬送路１３７の分岐部に送られる。
【０２３７】
この際、ＣＰＵ４００は、出金紙幣判別部１３０から入力された紙幣の光学データ、磁気データおよびＲＦＩＤデータに基づいて、ＲＡＭ４０２の第一のメモリ領域４０２ａ内の出金すべき紙幣に関するデータを格納するメモリ領域４０２ａｂに、第一の紙幣帯封機構２００に送られた紙幣の金種と枚数を書き込むとともに、ＲＡＭ４０２の第二のメモリ領域４０２ｂ内の第一の紙幣帯封機構２００から送られた紙幣に関するデータを格納するメモリ領域４０２ｂｃに、紙幣入出金機構１００から、第一の紙幣帯封機構２００に送られた紙幣のＩＤデータ、金種データなどのＲＦＩＤデータおよび金種別の枚数データを書き込む。
【０２３８】
ここに、ゲート部材１３８は、あらかじめ、出金紙幣搬送路１２５と接続搬送路１３７とを連通させる位置に移動されているから、紙幣は、接続搬送路１３７内を進み、第一の紙幣帯封機構２００内に送られる。
【０２３９】
一方、出金紙幣判別部１３０によって検出されたデータに基づいて、偽造紙幣、外国紙幣などの流通していない紙幣と判別された紙幣、２枚以上の紙幣の全部あるいは一部が重なり合って、搬送されていると判別された紙幣ならびにその短辺が紙幣の搬送方向と角度をなして搬送されていると判別された紙幣は、紙幣回収ボックス１３３内に導かれて、回収される。
【０２４０】
この際、ＣＰＵ４００は、ＲＦＩＤリーダー１３０ｂによって読み取られた紙幣のＲＦＩＤデータに基づいて、紙幣回収ボックス１３３内に回収された紙幣の金種および枚数を判別して、ＲＡＭ４０２の第一のメモリ領域４０２ａ内の出金すべき紙幣に関するデータを格納するメモリ領域４０２ａｂに、偽造紙幣あるいは外国紙幣が１枚回収された旨あるいは紙幣回収ボックス１３３内に回収された紙幣の金種と枚数を書き込む。
【０２４１】
第一の紙幣帯封機構２００内に送られた紙幣は、第一の紙幣集積ボックス２１１内に送られて、集積される。
【０２４２】
こうして、次々に、紙幣入出金機構１００の第一の紙幣収納ボックス１２０ａ、第二の紙幣収納ボックス１２０ｂ、第三の紙幣収納ボックス１２０ｃあるいは第四の紙幣収納ボックス１２０ｄから繰り出された紙幣が、第一の紙幣集積ボックス２１１内に送られて、集積された結果、ＲＡＭ４０２の第二のメモリ領域４０２ｂ内の紙幣束に関するデータを格納するメモリ領域４０２ｂａに書き込まれた第一の紙幣束データ中の単位紙幣束を生成すべき紙幣の金種単位紙幣束に含まれるべき紙幣の枚数ならびにＲＡＭ４０２の第二のメモリ領域４０２ｂ内の第一の紙幣帯封機構２００から送られた紙幣に関するデータを格納するメモリ領域４０２ｂｃに書き込まれた紙幣入出金機構１００から、第一の紙幣帯封機構２００に送られた紙幣のＩＤデータ、金種データなどのＲＦＩＤデータおよび金種別の枚数データに基づいて、第一の紙幣集積ボックス２１１内に、所定枚数の単位紙幣束に含まれるべき金種の紙幣、たとえば、１００枚のその金種の紙幣が集積され、ＲＡＭ４０２に書き込まれた単位紙幣束に含まれるべき紙幣の枚数に等しくなったと判別すると、ＣＰＵ４００は、ゲート部材２２５を駆動するソレノイド２７０に駆動信号を出力して、接続搬送路１３７を第二の分岐搬送路２２４に接続し、その後に、第一の紙幣帯封機構２００に送られてくる紙幣を、第二の紙幣集積ボックス２１２内に導く。
【０２４３】
さらに、ＣＰＵ４００は、第一の紙幣帯封ユニット２１０の紙幣保持手段２１６を上下方向に移動させるモータ２７３に駆動信号を出力して、紙幣保持手段２１６を第一の紙幣集積ボックス２１１の出口に隣接するように位置させ、さらに、第一の集積紙幣送り出し手段２７１に駆動信号を出力して、第一の紙幣集積ボックス２１１内に集積された紙幣を、紙幣保持手段２１６の一対の挟持部材２１６ａ、２１６ｂの間に送り出す。
【０２４４】
次いで、ＣＰＵ４００は、モータ２７４に駆動信号を出力して、紙幣保持手段２１６の一対の挟持部材２１６ａ、２１６ｂを近接させ、第一の紙幣集積ボックス２１１から送り出された集積紙幣を挟持させる。
【０２４５】
次いで、ＣＰＵ４００は、第一の紙幣帯封ユニット２１０の結束テープ供給部材２１７を駆動するモータ２７５に駆動信号を出力して、結束テープ供給部材２１７を駆動させ、結束テープＴ１を、紙幣保持手段２１６の一対の挟持部材２１６ａ、２１６ｂによって挟持された第二の所定数に等しい数の単位紙幣束に向けて、繰り出させる。
【０２４６】
さらに、ＣＰＵ４００は、ＲＡＭ４０２の第二のメモリ領域４０２ｂ内の第一の紙幣帯封機構２００から送られた紙幣に関するデータを格納するメモリ領域４０２ｂｃ書き込まれた紙幣入出金機構１００から送られた紙幣のＩＤデータ、金種データなどのＲＦＩＤデータを読み出すとともに、ＲＡＭ４０２の第二のメモリ領域４０２ｂ内の単位紙幣束を構成する紙幣に関するＲＦＩＤデータおよび帯封処理に関するＲＦＩＤデータを格納するメモリ領域４０２ｂｂに書き込まれた金融機関名、支店名、紙幣処理機のＩＤデータならびにオペレータの名前などの帯封処理に関するデータを読み出し、さらに、時計４０３の計時データを読み出す。
【０２４７】
次いで、ＣＰＵ４００は、第一の紙幣帯封ユニット２１０のＲＦＩＤライター２１８を駆動するＲＦＩＤライター駆動手段２７７に駆動信号およびＲＡＭ４０２から読み出したデータを出力し、結束テープ供給部材２１７によって繰り出された結束テープＴ１に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込む。
【０２４８】
さらに、ＣＰＵ４００は、結束テープＴ１に形成されたインレット内のＩＣチップに書き込んだ帯封処理に関するデータを、紙幣束に帯封処理を施す権限を有する金融機関によって、共同管理されている中央管理サーバ４０５に出力する。こうして、中央管理サーバ４０５に、紙幣束に巻回された結束テープＴ１に、紙幣処理機の第一の紙幣帯封機構２００によって、書き込まれた帯封処理に関するデータが格納される。
【０２４９】
ＣＰＵ４００は、第一の紙幣帯封ユニット２１０の結束テープ供給部材２１７を駆動するモータ２７５に、さらに、駆動信号を出力して、結束テープ供給部材２１７を駆動させ、結束テープＴ１を、紙幣保持手段２１６の一対の挟持部材２１６ａ、２１６ｂによって挟持された集積紙幣に供給させ、次いで、第一の紙幣帯封ユニット２１０の巻き付け手段（図示せず）を駆動する巻き付けモータ２７６に駆動信号を出力して、巻き付け手段により、紙幣保持手段２１６の一対の挟持部材２１６ａ、２１６ｂによって挟持された集積紙幣の略中央部に、結束テープＴ１を巻き付けさせ、第一の所定数に等しい枚数の紙幣、たとえば、１００枚の紙幣を含む単位紙幣束を生成する。
【０２５０】
こうして、集積紙幣に帯封がされて、第一の所定数に等しい枚数の紙幣を含む単位紙幣束が生成されると、ＣＰＵ４００は、紙幣束搬送機構２３１を駆動する紙幣束搬送機構駆動手段２７８に、ＲＡＭ４０２から読み出した単位紙幣束に含まれている紙幣の金種データおよび駆動信号を出力して、単位紙幣束に含まれた紙幣の金種に応じて、第一の紙幣束収納ボックス２３０ａ、第二の紙幣束収納ボックス２３０ｂ、第三の紙幣束収納ボックス２３０ｃおよび第四の紙幣束収納ボックス２３０ｄのいずれかに、生成された単位紙幣束を収納させる。
【０２５１】
同時に、ＣＰＵ４００は、ＲＡＭ４０２の第二のメモリ領域４０２ｂ内の紙幣束に関するデータを格納するメモリ領域４０２ｂａに、生成された単位紙幣束の金種および数ならびにその単位紙幣束が収納された紙幣束収納ボックスを特定する第一の紙幣束収納データを書き込む。
【０２５２】
ＣＰＵ４００は、ＲＡＭ４０２の第二のメモリ領域４０２ｂ内の紙幣束に関するデータを格納するメモリ領域４０２ｂａに書き込まれている第一の紙幣束収納データ中の生成された単位紙幣束の数が、ＲＡＭ４０２の第二のメモリ領域４０２ｂ内の紙幣束に関するデータを格納するメモリ領域４０２ｂａに書き込まれている第一の紙幣束データ中の生成すべき単位紙幣束の数に等しくなるまで、同様の処理を繰り返し、生成された単位紙幣束は、単位紙幣束に含まれた紙幣の金種に応じて、第一の紙幣束収納ボックス２３０ａ、第二の紙幣束収納ボックス２３０ｂ、第三の紙幣束収納ボックス２３０ｃおよび第四の紙幣束収納ボックス２３０ｄのいずれかに収納される。
【０２５３】
こうして、第一の紙幣帯封機構２００による単位紙幣束の生成処理が完了する。
【０２５４】
一方、第一の紙幣帯封機構２００の第一の紙幣束収納ボックス２３０ａ、第二の紙幣束収納ボックス２３０ｂ、第三の紙幣束収納ボックス２３０ｃおよび／または第四の紙幣束収納ボックス２３０ｄに収納された単位紙幣束を出金するときは、オペレータによって、出金すべき単位紙幣束の金種および出金すべき単位紙幣束の数を特定する第一の紙幣束出金データと、単位紙幣束を出金すべき旨を指示する第一の紙幣束出金信号が、キーボード４１０に入力される。
【０２５５】
オペレータによって入力された第一の紙幣束出金データおよび第一の紙幣束出金信号は、ＣＰＵ４００に出力され、第一の紙幣束出金データおよび第一の紙幣束出金信号を受けると、ＣＰＵ４００は、第一の紙幣束出金データを、ＲＡＭ４０２の第二のメモリ領域４０２ｂ内の出金すべき単位紙幣束に関するデータを格納するメモリ領域４０２ｂｄに書き込むとともに、ローラ駆動手段１６５ｂに駆動信号を出力して、紙幣入出金機構１００と第一の紙幣帯封機構２００を接続する接続搬送路１３７、紙幣束搬送路２３２および紙幣束出金搬送路２３５に設けられた搬送ローラ（図示せず）を駆動し、さらに、第一の紙幣束出金データに基づいて、第一の紙幣束収納ボックス２３０ａ、第二の紙幣束収納ボックス２３０ｂ、第三の紙幣束収納ボックス２３０ｃおよび第四の紙幣束収納ボックス２３０ｄのうち、単位紙幣束を繰り出すべき紙幣束収納ボックスを決定し、対応する紙幣束繰り出し部に駆動信号を出力する。このとき、ＣＰＵ４００は、第一の紙幣帯封機構２００に設けられたゲート部材２３７を駆動するソレノイド２７９には駆動信号を出力せず、したがって、ゲート部材２３７は、紙幣束搬送路２３２を紙幣束出金搬送路２３５に接続する位置に保持される。
【０２５６】
その結果、オペレータによって指定された金種の単位紙幣束が、対応する紙幣束収納ボックスから、紙幣束搬送路２３２内に、１つずつ繰り出され、紙幣束搬送路２３２内に繰り出された単位紙幣束は、紙幣束出金搬送路２３５に設けられた紙幣束検出部２３９に送られる。
【０２５７】
単位紙幣束が、紙幣束検出部２３９に送られると、ＲＦＩＤリーダー２３９ａによって、単位紙幣束に巻き付けられた結束テープＴ１に形成されたインレット内のＩＣチップに書き込まれたＲＦＩＤデータが読み取られ、紙幣束検出部２３９から、ＣＰＵ４００に出力される。
【０２５８】
ＣＰＵ４００は、紙幣束検出部２３９から入力されたＲＦＩＤデータに基づき、紙幣束出金口２３８に向けて、送られた単位紙幣束の金種および数を特定する出金紙幣束データを、ＲＡＭ４０２の第二のメモリ領域４０２ｂ内の出金すべき単位紙幣束に関するデータを格納するメモリ領域４０２ｂｄに書き込む。
【０２５９】
さらに、単位紙幣束は、紙幣束検出部２３９から、紙幣束出金口２３８に送られて、出金される。
【０２６０】
ＣＰＵ４００は、同様の処理を繰り返し、ＲＡＭ４０２の第二のメモリ領域４０２ｂ内の出金すべき単位紙幣束に関するデータを格納するメモリ領域４０２ｂｄに書き込まれている出金紙幣束データによって特定される紙幣束出金口２３８に送られた単位紙幣束の金種および数が、ＲＡＭ４０２の第二のメモリ領域４０２ｂ内の出金すべき単位紙幣束に関するデータを格納するメモリ領域４０２ｂｄに書き込まれている第一の紙幣束出金データ中の出金すべき単位紙幣束の数に等しくなると、第一の紙幣帯封機構２００の第一の紙幣束収納ボックス２３０ａ、第二の紙幣束収納ボックス２３０ｂ、第三の紙幣束収納ボックス２３０ｃおよび／または第四の紙幣束収納ボックス２３０ｄに収納された単位紙幣束の出金処理を完了させる。
【０２６１】
本実施態様にかかる紙幣処理機は、さらに、第一の紙幣帯封機構２００の第一の紙幣束収納ボックス２３０ａ、第二の紙幣束収納ボックス２３０ｂ、第三の紙幣束収納ボックス２３０ｃおよび第四の紙幣束収納ボックス２３０ｄに収納された単位紙幣束を、第二の紙幣帯封機構３００に送って、第一の所定数に等しい枚数の紙幣、たとえば、１００枚の紙幣を含む単位紙幣束を、第二の所定数に等しい数だけ、たとえば、１０束の単位紙幣束を重ね合わせ、帯封をし、第二の所定数に等しい数の単位紙幣束を含む紙幣束を生成可能に構成されており、第一の紙幣帯封機構２００の第一の紙幣束収納ボックス２３０ａ、第二の紙幣束収納ボックス２３０ｂ、第三の紙幣束収納ボックス２３０ｃおよび第四の紙幣束収納ボックス２３０ｄに収納された単位紙幣束を、第二の紙幣帯封機構３００に送って、第二の所定数に等しい数だけ、重ね合わせて、帯封をし、第二の所定数に等しい数の単位紙幣束を含む紙幣束を生成する場合には、オペレータによって、生成すべき紙幣束の金種、重ね合わせて、紙幣束を生成すべき単位紙幣束の数および単位紙幣束に含まれている紙幣の枚数を特定するとともに、生成すべき紙幣束の数を特定する第二の紙幣束データと、単位紙幣束を重ね合わせて、紙幣束を生成すべき旨を指示する第二の紙幣束生成信号とが、キーボード４１０に入力される。同時に、オペレータによって、金融機関名、支店名、紙幣処理機のＩＤデータならびにオペレータの名前などの帯封処理に関するデータがキーボード４１０に入力される。
【０２６２】
オペレータによって入力された第二の紙幣束データおよび帯封処理に関するデータならびに第二の紙幣束生成信号はＣＰＵ４００に出力され、オペレータによって入力された第二の紙幣束データおよび帯封処理に関するデータならび第二の紙幣束生成信号を受けると、ＣＰＵ４００は、オペレータによって入力された第二の紙幣束データを、ＲＡＭ４０２の第三のメモリ領域４０２ｃ内の紙幣束に関するデータを格納するメモリ領域４０２ｃａに書き込むとともに、帯封処理に関するデータを、ＲＡＭ４０２の第三のメモリ領域４０２ｃ内の紙幣束を構成する単位紙幣束に関するＲＦＩＤデータおよび帯封処理に関するＲＦＩＤデータを格納するメモリ領域４０２ｃｂに書き込む。
【０２６３】
さらに、ＣＰＵ４００は、第一の紙幣帯封機構２００に設けられたゲート部材２３７を駆動するソレノイド２７９に駆動信号を出力して、紙幣束搬送路２３２を、第一の紙幣帯封機構２００と第二の紙幣帯封機構３００とを接続する接続搬送路２３６に連通させるとともに、ローラ駆動手段１６５ｃに駆動信号を出力して、第一の紙幣帯封機構２００と第二の紙幣帯封機構３００を接続する接続搬送路２３６、入金紙幣束搬送路３１２、紙幣束搬送路３１３および紙幣束搬送路３２７に設けられた搬送ローラ（図示せず）を駆動する。
【０２６４】
次いで、ＣＰＵ４００は、第二の紙幣束出金データに基づいて、第一の紙幣束収納ボックス２３０ａ、第二の紙幣束収納ボックス２３０ｂ、第三の紙幣束収納ボックス２３０ｃおよび第四の紙幣束収納ボックス２３０ｄのうち、単位紙幣束を繰り出すべき紙幣束収納ボックスを決定し、対応する紙幣束繰り出し部に駆動信号を出力する。
【０２６５】
その結果、オペレータによって指定された金種の単位紙幣束が、対応する紙幣束収納ボックスから、紙幣束搬送路２３２内に、１つずつ繰り出され、紙幣束搬送路２３２内に繰り出された単位紙幣束は、ゲート部材２３７によって、第一の紙幣帯封機構２００と第二の紙幣帯封機構３００とを接続する接続搬送路２３６に導かれる。
【０２６６】
接続搬送路２３６に導かれた単位紙幣束は、データ読み取り部３１５に送られ、データ読み取り部３１５に設けられた第一のＲＦＩＤリーダー３１５ａによって、単位紙幣束に巻き付けられた結束テープＴ１に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、第二のＲＦＩＤリーダー３１５ｂによって、単位紙幣束に含まれた紙幣に形成されているインレット内のＩＣチップに書き込まれた紙幣のＩＤデータ、金種データなどの各紙幣のＲＦＩＤデータが読み取られる。
【０２６７】
第一のＲＦＩＤリーダー３１５ａによって読み取られた単位紙幣束に含まれた紙幣に関するＲＦＩＤデータおよび帯封処理に関するＲＦＩＤデータならびに第二のＲＦＩＤリーダー３１５ｂによって読み取られた各紙幣のＲＦＩＤデータは、データ読み取り部３１５からＣＰＵ４００に出力される。
【０２６８】
ＣＰＵ４００は、データ読み取り部３１５から、単位紙幣束に含まれた紙幣に関するＲＦＩＤデータおよび帯封処理に関するＲＦＩＤデータならびに各紙幣のＲＦＩＤデータを受けると、単位紙幣束に含まれた紙幣に関するＲＦＩＤデータおよび帯封処理に関するＲＦＩＤデータを、ＲＡＭ４０２の第三のメモリ領域４０２ｃ内の紙幣束を構成する単位紙幣束に関するＲＦＩＤデータおよび帯封処理に関するＲＦＩＤデータを格納するメモリ領域４０２ｃｂに書き込むとともに、各紙幣のＲＦＩＤデータを、ＲＡＭ４０２の第三のメモリ領域４０２ｃ内の各紙幣に関するデータを格納するメモリ領域４０２ｃｃに書き込む。
【０２６９】
次いで、ＣＰＵ４００は、中央管理サーバ４０５にアクセスして、データ読み取り部３１５から入力された帯封処理に関するＲＦＩＤデータが、中央管理サーバ４０５に格納されているか否かを判別する。
【０２７０】
その結果、データ読み取り部３１５から入力された帯封処理に関するＲＦＩＤデータが、中央管理サーバ４０５に格納されていないと判別したときは、その単位紙幣束は、単位紙幣束を作成する権限がない者によって作成されたと認められ、その単位紙幣束を受け容れて、紙幣束を生成することはできないから、ＣＰＵ４００は、ディスプレイ４１５に、帯封処理を施すべきでない単位紙幣束が検出された旨を表示するとともに、ローラ駆動手段１６５ｃに、逆駆動信号を出力して、入金紙幣束搬送路３１２および紙幣束搬送路３１３に設けられた搬送ローラを逆方向に回転させて、単位紙幣束を、紙幣束入金口３１０に送り出す。
【０２７１】
これに対して、データ読み取り部３１５から入力された帯封処理に関するＲＦＩＤデータが、中央管理サーバ４０５に格納されていると判別したときは、ＣＰＵ４００は、さらに、データ読み取り部３１５から入力された各紙幣のＲＦＩＤデータに基づいて、検出された単位紙幣束に含まれているすべての紙幣が、現に流通している真正な紙幣か否か、すべての紙幣が、現に流通している真正な紙幣であるときは、その単位紙幣束を構成している紙幣の金種がすべて、オペレータによって指定された生成すべき紙幣束の金種と同一であるか否かおよびその単位紙幣束に含まれている紙幣の枚数が、ＲＡＭ４０２の第三のメモリ領域４０２ｃ内の紙幣束に関するデータを格納するメモリ領域４０２ｃａに書き込まれている単位紙幣束に含まれるべき紙幣の枚数と一致するか否かを判定する。
【０２７２】
本実施態様においては、データ読み取り部３１５に設けられた第二のＲＦＩＤリーダー３１５ｂによって、各紙幣のＲＦＩＤデータが読み取られ、ＣＰＵ４００は、第二のＲＦＩＤリーダー３１５ｂによって読み取られた各紙幣のＲＦＩＤデータに基づいて、単位紙幣束に含まれている紙幣の枚数を計数するように構成されているから、容易にかつ正確に、単位紙幣束に含まれた紙幣の枚数を計数することが可能になる。
【０２７３】
その結果、検出された単位紙幣束に、偽造紙幣、外国紙幣などが含まれ、単位紙幣束に含まれている紙幣がすべて、現に流通している真正な紙幣ではないと判別したとき、検出された単位紙幣束に含まれているすべての紙幣が、現に流通している真正な紙幣ではあるが、その単位紙幣束を構成している紙幣の金種がすべて、オペレータによって指定された生成すべき紙幣束の金種と同一でないと判別したとき、あるいは、検出された単位紙幣束に含まれているすべての紙幣が、現に流通している真正な紙幣であり、かつ、その単位紙幣束を構成している紙幣の金種がすべて、オペレータによって指定された生成すべき紙幣束の金種と同一ではあるが、その単位紙幣束に含まれている紙幣の枚数と、ＲＡＭ４０２の第三のメモリ領域４０２ｃ内の紙幣束に関するデータを格納するメモリ領域４０２ｃａに書き込まれている単位紙幣束に含まれている紙幣の枚数と一致しないと判別したときは、その単位紙幣束を構成している紙幣の一部が差し替えられ、あるいは、抜き取られているおそれが高く、その単位紙幣束を受け容れて、紙幣束を生成することはできないから、ＣＰＵ４００は、ディスプレイ４１５に、帯封処理を施すべきでない単位紙幣束が検出された旨を表示するとともに、ローラ駆動手段１６５ｃに、逆駆動信号を出力して、入金紙幣束搬送路３１２および紙幣束搬送路３１３に設けられた搬送ローラを逆方向に回転させて、単位紙幣束を、紙幣束入金口３１０に送り出す。
【０２７４】
これに対して、検出された単位紙幣束に含まれているすべての紙幣が、現に流通している同一金種の真正な紙幣であり、かつ、その単位紙幣束に含まれている紙幣の枚数と、ＲＡＭ４０２の第三のメモリ領域４０２ｃ内の紙幣束に関するデータを格納するメモリ領域４０２ｃａに書き込まれている単位紙幣束に含まれている紙幣の枚数と一致していると判別したときは、ＣＰＵ４００は、さらに、データ読み取り部３１５から入力された単位紙幣束を構成している各紙幣のＲＦＩＤデータと結束テープＴ１に一体的に形成されたインレット中のＩＣチップに書き込まれた紙幣に関するＲＦＩＤデータとが一致しているか否かを判別する。
【０２７５】
その結果、単位紙幣束を構成している各紙幣のＲＦＩＤデータと結束テープＴ１に一体的に形成されたインレット中のＩＣチップに書き込まれた紙幣に関するＲＦＩＤデータとが一致していないと判別したときは、その単位紙幣束を構成している紙幣の一部が他の紙幣に差し替えられていると認められ、その単位紙幣束を受け容れて、紙幣束を生成することはできないから、ＣＰＵ４００は、ディスプレイ４１５に、帯封処理を施すべきでない単位紙幣束が検出された旨を表示するとともに、ローラ駆動手段１６５ｃに、逆駆動信号を出力して、入金紙幣束搬送路３１２および紙幣束搬送路３１３に設けられた搬送ローラを逆方向に回転させて、単位紙幣束を、紙幣束入金口３１０に送り出す。
【０２７６】
これに対して、単位紙幣束を構成している各紙幣のＲＦＩＤデータと結束テープＴ１に一体的に形成されたインレット中のＩＣチップに書き込まれた紙幣に関するＲＦＩＤデータとが一致していると判別したときは、単位紙幣束は、データ読み取り部３１５から、第二の紙幣帯封ユニット３２０の紙幣束集積手段３２１に送られて、集積される。
【０２７７】
この場合には、データ読み取り部３１５に送られた単位紙幣束は、第一の紙幣帯封機構２００によって生成され、オペレータによって特定された紙幣束の金種にしたがって、第一の紙幣帯封機構２００の第一の紙幣束収納ボックス２３０ａ、第二の紙幣束収納ボックス２３０ｂ、第三の紙幣束収納ボックス２３０ｃあるいは第四の紙幣束収納ボックス２３０ｄから繰り出されたものであるから、データ読み取り部３１５から入力された帯封処理に関するＲＦＩＤデータは、中央管理サーバ４０５に格納されており、単位紙幣束に含まれているすべての紙幣が、オペレータによって指定された生成すべき紙幣束の金種と同一の現に流通している真正な紙幣であり、かつ、その単位紙幣束に含まれている紙幣の枚数と、ＲＡＭ４０２の第三のメモリ領域４０２ｃ内の紙幣束に関するデータを格納するメモリ領域４０２ｃａに書き込まれている単位紙幣束に含まれている紙幣の枚数と一致し、単位紙幣束を構成している各紙幣のＲＦＩＤデータと結束テープＴ１に一体的に形成されたインレット中のＩＣチップに書き込まれた紙幣に関するＲＦＩＤデータとが一致している。したがって、単位紙幣束は、データ読み取り部３１５から、第二の紙幣帯封ユニット３２０の紙幣束集積手段３２１に送られて、集積される。
【０２７８】
こうして、第一の紙幣束収納ボックス２３０ａ、第二の紙幣束収納ボックス２３０ｂ、第三の紙幣束収納ボックス２３０ｃおよび第四の紙幣束収納ボックス２３０ｄのうち、第二の紙幣束出金データに基づいて決定された紙幣束収納ボックスから、紙幣束搬送路２３２内に、次々に、単位紙幣束が繰り出され、接続搬送路２３６およびデータ読み取り部３１５を介して、第二の紙幣帯封ユニット３２０の紙幣束集積手段３２１内に送られて、集積された結果、データ読み取り部３１５から出力されたＲＦＩＤデータに基づいて、ＲＡＭ４０２の第三のメモリ領域４０２ｃ内の紙幣束に関するデータを格納するメモリ領域４０２ｃａに書き込まれた第二の紙幣束出金データ中の生成されるべき紙幣束に含まれる単位紙幣束の数に等しい数の単位紙幣束が、第二の紙幣帯封ユニット３２０の紙幣束集積手段３２１内に送られて、集積されたと判定したときは、ＣＰＵ４００は、第二の紙幣帯封ユニット３２０の紙幣束送り出し手段３７０に駆動信号を出力して、紙幣束集積手段３２１内に集積された第二の所定数に等しい数の単位紙幣束を、紙幣束保持手段３２２の一対の挟持部材（図示せず）の間に、送り出し、さらに、第二の紙幣帯封ユニット３２０の紙幣束保持手段３２２の一対の挟持部材を相対的に移動させるモータ３７１に駆動信号を出力して、紙幣束保持手段３２２の一対の挟持部材によって、第二の所定数に等しい数の単位紙幣束が重ね合わされて形成された紙幣束を挟持させる。
【０２７９】
次いで、ＣＰＵ４００は、第二の紙幣帯封ユニット３２０の結束テープ供給部材３２３を駆動するモータ３７２に駆動信号を出力して、結束テープ供給部材３２３を駆動させ、結束テープＴ２を、紙幣束保持手段３２２の一対の挟持部材によって挟持された第二の所定数に等しい数の単位紙幣束に向けて、繰り出させる。
【０２８０】
さらに、ＣＰＵ４００は、ＲＡＭ４０２の第三のメモリ領域４０２ｃ内の紙幣束を構成する単位紙幣束に関するＲＦＩＤデータおよび帯封処理に関するＲＦＩＤデータを格納するメモリ領域４０２ｃｂに書き込まれているＲＦＩＤデータを読み出して、駆動信号とともに、第二の紙幣帯封ユニット３２０のＲＦＩＤライター３２５を駆動するＲＦＩＤライター駆動手段３７５に出力する。
【０２８１】
その結果、第二の紙幣帯封ユニット３２０のＲＦＩＤライター３２５によって、結束テープ供給部材３２３によって繰り出された結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれる。
【０２８２】
次いで、ＣＰＵ４００は、結束テープＴ２に形成されたインレット内のＩＣチップに書き込んだ帯封処理に関するＲＦＩＤデータを、紙幣束に帯封処理を施す権限を有する金融機関によって、共同管理されている中央管理サーバ４０５に出力する。こうして、中央管理サーバ４０５に、紙幣束に巻回された結束テープＴ２に、紙幣処理機の第二の紙幣帯封機構３００によって、書き込まれた帯封処理に関するＲＦＩＤデータが格納される。
【０２８３】
ＣＰＵ４００は、第二の紙幣帯封ユニット３２０の結束テープ供給部材３２３を駆動するモータ３７２に、さらに、駆動信号を出力して、結束テープ供給部材３２３を駆動させ、結束テープＴ２を、紙幣束保持手段３２２の一対の挟持部材によって挟持された紙幣束に供給させ、次いで、第二の紙幣帯封ユニット３２０の巻き付け手段３２４を駆動する巻き付けモータ３７３に駆動信号を出力して、巻き付け手段３２４により、紙幣保持手段３２２の一対の挟持部材によって挟持された紙幣束の略中央部に、結束テープＴ２を巻き付けさせ、第二の所定数に等しい数の単位紙幣束、たとえば、１０束の単位紙幣束を含む紙幣束を生成する。
【０２８４】
以上のように、第二の所定数に等しい数の単位紙幣束、たとえば、１０束の単位紙幣束を含む紙幣束が生成されると、ＣＰＵ４００は、生成された紙幣束の数を特定する第二の紙幣束生成データを、ＲＡＭ４０２の第三のメモリ領域４０２ｃ内の紙幣束に関するデータを格納するメモリ領域４０２ｃａに書き込む。
【０２８５】
こうして、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束搬送路３２７を介して、紙幣束出金口３１１に出金される。
【０２８６】
同様の処理が繰り返され、ＲＡＭ４０２に書き込まれている第二の紙幣束生成データによって特定された生成された紙幣束の数が、ＲＡＭ４０２の第三のメモリ領域４０２ｃ内の紙幣束に関するデータを格納するメモリ領域４０２ｃａに書き込まれている第二の紙幣束データ中の生成すべき紙幣束の数に等しくなると、ＣＰＵ４００は、第二の所定数に等しい数の単位紙幣束を含む紙幣束の生成処理を終了させる。
【０２８７】
本実施態様にかかる紙幣処理機は、さらに、第一の所定数に等しい枚数の紙幣、たとえば、１００枚の紙幣を含み、紙幣束入金口３１０に投入された単位紙幣束を、第二の所定数に等しい数だけ、たとえば、１０束の単位紙幣束を重ね合わせて、帯封をし、第二の所定数に等しい数の単位紙幣束を含む紙幣束を生成可能に構成されており、第一の所定数に等しい枚数の紙幣を含み、紙幣束入金口３１０に投入された単位紙幣束を、第二の所定数に等しい数だけ、重ね合わせて、帯封をし、第二の所定数に等しい数の単位紙幣束を含む紙幣束を生成する場合には、オペレータによって、生成すべき紙幣束の金種、重ね合わせて、紙幣束を生成すべき単位紙幣束の数および単位紙幣束に含まれている紙幣の枚数を特定するとともに、生成すべき紙幣束の数を特定する第二の紙幣束データと、紙幣束入金口３１０に投入された単位紙幣束を重ね合わせて、紙幣束を生成すべき旨を指示する第三の紙幣束生成信号とが、キーボード４１０に入力される。同時に、オペレータによって、金融機関名、支店名、紙幣処理機のＩＤデータならびにオペレータの名前などの帯封処理に関するデータがキーボード４１０に入力される。
【０２８８】
オペレータによって入力された第二の紙幣束データおよび帯封処理に関するデータならびに第三の紙幣束生成信号はＣＰＵ４００に出力され、オペレータによって入力された第二の紙幣束データおよび帯封処理に関するデータならび第三の紙幣束生成信号を受けると、ＣＰＵ４００は、オペレータによって入力された第二の紙幣束データを、ＲＡＭ４０２の第三のメモリ領域４０２ｃ内の紙幣束に関するデータを格納するメモリ領域４０２ｃａに書き込むとともに、帯封処理に関するデータを、ＲＡＭ４０２の第三のメモリ領域４０２ｃ内の紙幣束を構成する単位紙幣束に関するＲＦＩＤデータおよび帯封処理に関するＲＦＩＤデータを格納するメモリ領域４０２ｃｂに書き込む。
【０２８９】
さらに、ＣＰＵ４００は、ローラ駆動手段１６５ｃに駆動信号を出力して、入金紙幣束搬送路３１２、紙幣束搬送路３１３および紙幣束搬送路３２７に設けられた搬送ローラ（図示せず）を駆動する。
【０２９０】
次いで、オペレータによって、新たに生成されるべき紙幣束を構成する単位紙幣束が、紙幣束入金口３１０に投入される。
【０２９１】
紙幣束入金口３１０に投入された単位紙幣束は、入金紙幣束搬送路３１２および紙幣束搬送路３１３を介して、データ読み取り部３１５に送られ、データ読み取り部３１５に設けられたＲＦＩＤリーダー３１５ａによって、単位紙幣束に巻き付けられた結束テープに形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、ＲＦＩＤリーダー３１５ｂによって、単位紙幣束に含まれた紙幣に形成されているインレット内のＩＣチップに書き込まれた紙幣のＩＤデータ、金種データなどの各紙幣のＲＦＩＤデータが読み取られる。
【０２９２】
第一のＲＦＩＤリーダー３１５ａによって読み取られた単位紙幣束に含まれた紙幣に関するＲＦＩＤデータおよび帯封処理に関するＲＦＩＤデータならびに第二のＲＦＩＤリーダー３１５ｂによって読み取られた各紙幣のＲＦＩＤデータは、データ読み取り部３１５からＣＰＵ４００に出力される。
【０２９３】
ＣＰＵ４００は、データ読み取り部３１５から、単位紙幣束に含まれた紙幣に関するＲＦＩＤデータおよび帯封処理に関するＲＦＩＤデータならびに各紙幣のＲＦＩＤデータを受けると、単位紙幣束に含まれた紙幣に関するＲＦＩＤデータおよび帯封処理に関するＲＦＩＤデータを、ＲＡＭ４０２の第三のメモリ領域４０２ｃ内の紙幣束を構成する単位紙幣束に関するＲＦＩＤデータおよび帯封処理に関するＲＦＩＤデータを格納するメモリ領域４０２ｃｂに書き込むとともに、各紙幣のＲＦＩＤデータを、ＲＡＭ４０２の第三のメモリ領域４０２ｃ内の各紙幣に関するデータを格納するメモリ領域４０２ｃｃに書き込む。
【０２９４】
次いで、ＣＰＵ４００は、中央管理サーバ４０５にアクセスして、データ読み取り部３１５から入力された帯封処理に関するＲＦＩＤデータが、中央管理サーバ４０５に格納されているか否かを判別する。
【０２９５】
その結果、データ読み取り部３１５から入力された帯封処理に関するＲＦＩＤデータが、中央管理サーバ４０５に格納されていないと判別したときは、その単位紙幣束は、単位紙幣束を作成する権限がない者によって作成されたと認められ、その単位紙幣束を受け容れて、紙幣束を生成することはできないから、ＣＰＵ４００は、ディスプレイ４１５に、帯封処理を施すべきでない単位紙幣束が検出された旨を表示するとともに、ローラ駆動手段１６５ｃに、逆駆動信号を出力して、入金紙幣束搬送路３１２および紙幣束搬送路３１３に設けられた搬送ローラを逆方向に回転させて、単位紙幣束を、紙幣束入金口３１０に送り出す。
【０２９６】
これに対して、データ読み取り部３１５から入力された帯封処理に関するＲＦＩＤデータが、中央管理サーバ４０５に格納されていると判別したときは、ＣＰＵ４００は、さらに、データ読み取り部３１５から入力された各紙幣のＲＦＩＤデータに基づいて、検出された単位紙幣束に含まれているすべての紙幣が、現に流通している真正な紙幣か否かを判別する。
【０２９７】
その結果、単位紙幣束に含まれているすべての紙幣が、現に流通している真正な紙幣ではないと判別したときは、単位紙幣束を構成している紙幣の一部が偽造紙幣、外国紙幣などの受け容れ不能な紙幣に差し替えられているおそれが高いから、ＣＰＵ４００は、ディスプレイ４１５に、帯封処理を施すべきでない単位紙幣束が検出された旨を表示するとともに、ローラ駆動手段１６５ｃに、逆駆動信号を出力して、入金紙幣束搬送路３１２および紙幣束搬送路３１３に設けられた搬送ローラを逆方向に回転させて、単位紙幣束を、紙幣束入金口３１０に送り出す。
【０２９８】
一方、単位紙幣束に含まれているすべての紙幣が、現に流通している真正な紙幣であるときは、ＣＰＵ４００は、さらに、その単位紙幣束を構成している紙幣の金種がすべて、オペレータによって指定された生成すべき紙幣束の金種と同一であるか否かを判別する。
【０２９９】
その結果、その単位紙幣束を構成している紙幣の金種がすべて、オペレータによって指定された生成すべき紙幣束の金種と同一ではないと判別したときは、その単位紙幣束を構成している紙幣の一部が他の紙幣に差し替えられているおそれが高いから、ＣＰＵ４００は、ディスプレイ４１５に、帯封処理を施すべきでない単位紙幣束が検出された旨を表示するとともに、ローラ駆動手段１６５ｃに、逆駆動信号を出力して、入金紙幣束搬送路３１２および紙幣束搬送路３１３に設けられた搬送ローラを逆方向に回転させて、単位紙幣束を、紙幣束入金口３１０に送り出す。
【０３００】
これに対して、その単位紙幣束を構成している紙幣の金種がすべて、オペレータによって指定された生成すべき紙幣束の金種と同一であると判別したときは、ＣＰＵ４００は、さらに、その単位紙幣束に含まれている紙幣の枚数が、ＲＡＭ４０２の第三のメモリ領域４０２ｃ内の紙幣束に関するデータを格納するメモリ領域４０２ｃａに書き込まれている単位紙幣束に含まれるべき紙幣の枚数と一致するか否かを判定する。
【０３０１】
ここに、その単位紙幣束は、オペレータによって、紙幣束入金口３１０から、第二の紙幣帯封機構３００に投入されているから、その単位紙幣束に、所定枚数の紙幣が含まれているという保証はなく、したがって、従来の紙幣帯封機にあっては、単位紙幣束の投入に先立って、専用の紙幣計数機を用い、あるいは、手で、単位紙幣束に含まれた紙幣の枚数を計数するという煩雑な操作が必要であった。しかしながら、本実施態様においては、データ読み取り部３１５に設けられた第二のＲＦＩＤリーダー３１５ｂによって、各紙幣のＲＦＩＤデータが読み取られ、ＣＰＵ４００は、第二のＲＦＩＤリーダー３１５ｂによって読み取られた各紙幣のＲＦＩＤデータに基づいて、単位紙幣束に含まれている紙幣の枚数を計数するように構成されているから、単位紙幣束を、第二の紙幣帯封機構３００に投入するのに先立って、専用の紙幣計数機を用い、あるいは、手で、単位紙幣束に含まれた紙幣の枚数を計数するという煩雑な操作を強いられることなく、容易にかつ正確に、単位紙幣束に含まれた紙幣の枚数を計数することが可能になる。
【０３０２】
その結果、その単位紙幣束に含まれている紙幣の枚数がＲＡＭ４０２の第三のメモリ領域４０２ｃ内の紙幣束に関するデータを格納するメモリ領域４０２ｃａに書き込まれている単位紙幣束に含まれている紙幣の枚数と一致しないと判別したときは、その単位紙幣束から、紙幣の一部が抜き取られているおそれが高いから、ＣＰＵ４００は、ディスプレイ４１５に、帯封処理を施すべきでない単位紙幣束が検出された旨を表示するとともに、ローラ駆動手段１６５ｃに、逆駆動信号を出力して、入金紙幣束搬送路３１２および紙幣束搬送路３１３に設けられた搬送ローラを逆方向に回転させて、単位紙幣束を、紙幣束入金口３１０に送り出す。
【０３０３】
これに対して、その単位紙幣束に含まれている紙幣の枚数がＲＡＭ４０２の第三のメモリ領域４０２ｃ内の紙幣束に関するデータを格納するメモリ領域４０２ｃａに書き込まれている単位紙幣束に含まれている紙幣の枚数と一致していると、判別したときは、ＣＰＵ４００は、さらに、データ読み取り部３１５から入力された単位紙幣束を構成している各紙幣のＲＦＩＤデータと結束テープＴ１に一体的に形成されたインレット中のＩＣチップに書き込まれた紙幣に関するＲＦＩＤデータとが一致しているか否かを判別する。
【０３０４】
その結果、単位紙幣束を構成している各紙幣のＲＦＩＤデータと結束テープＴ１に一体的に形成されたインレット中のＩＣチップに書き込まれた紙幣に関するＲＦＩＤデータとが一致していないと判別したときは、その単位紙幣束を構成している紙幣の一部が他の紙幣に差し替えられていると認められ、その単位紙幣束を受け容れて、紙幣束を生成することはできないから、ＣＰＵ４００は、ディスプレイ４１５に、帯封処理を施すべきでない単位紙幣束が検出された旨を表示するとともに、ローラ駆動手段１６５ｃに、逆駆動信号を出力して、入金紙幣束搬送路３１２および紙幣束搬送路３１３に設けられた搬送ローラを逆方向に回転させて、単位紙幣束を、紙幣束入金口３１０に送り出す。
【０３０５】
これに対して、単位紙幣束を構成している各紙幣のＲＦＩＤデータと結束テープＴ１に一体的に形成されたインレット中のＩＣチップに書き込まれた紙幣に関するＲＦＩＤデータとが一致していると判別したときは、単位紙幣束は、データ読み取り部３１５から、第二の紙幣帯封ユニット３２０の紙幣束集積手段３２１に送られて、集積される。
【０３０６】
こうして、第一の紙幣束収納ボックス２３０ａ、第二の紙幣束収納ボックス２３０ｂ、第三の紙幣束収納ボックス２３０ｃおよび第四の紙幣束収納ボックス２３０ｄのうち、第二の紙幣束出金データに基づいて決定された紙幣束収納ボックスから、紙幣束搬送路２３２内に、次々に、単位紙幣束が繰り出され、接続搬送路２３６およびデータ読み取り部３１５を介して、第二の紙幣帯封ユニット３２０の紙幣束集積手段３２１内に送られて、集積された結果、データ読み取り部３１５から出力されたＲＦＩＤデータに基づいて、ＲＡＭ４０２の第三のメモリ領域４０２ｃ内の紙幣束に関するデータを格納するメモリ領域４０２ｃａに書き込まれた第二の紙幣束出金データ中の生成されるべき紙幣束に含まれる単位紙幣束の数に等しい数の単位紙幣束が、第二の紙幣帯封ユニット３２０の紙幣束集積手段３２１内に送られて、集積されたと判定したときは、ＣＰＵ４００は、第二の紙幣帯封ユニット３２０の紙幣束送り出し手段３７０に駆動信号を出力して、紙幣束集積手段３２１内に集積された第二の所定数に等しい数の単位紙幣束を、紙幣束保持手段３２２の一対の挟持部材（図示せず）の間に、送り出し、さらに、第二の紙幣帯封ユニット３２０の紙幣束保持手段３２２の一対の挟持部材を相対的に移動させるモータ３７１に駆動信号を出力して、紙幣束保持手段３２２の一対の挟持部材によって、第二の所定数に等しい数の単位紙幣束が重ね合わされて形成された紙幣束を挟持させる。
【０３０７】
次いで、ＣＰＵ４００は、第二の紙幣帯封ユニット３２０の結束テープ供給部材３２３を駆動するモータ３７２に駆動信号を出力して、結束テープ供給部材３２３を駆動させ、結束テープＴ２を、紙幣束保持手段３２２の一対の挟持部材によって挟持された第二の所定数に等しい数の単位紙幣束に向けて、繰り出させる。
【０３０８】
さらに、ＣＰＵ４００は、ＲＡＭ４０２の第三のメモリ領域４０２ｃ内の紙幣束を構成する単位紙幣束に関するＲＦＩＤデータおよび帯封処理に関するＲＦＩＤデータを格納するメモリ領域４０２ｃｂに書き込まれているＲＦＩＤデータを読み出して、駆動信号とともに、第二の紙幣帯封ユニット３２０のＲＦＩＤライター３２５を駆動するＲＦＩＤライター駆動手段３７５に出力する。
【０３０９】
その結果、第二の紙幣帯封ユニット３２０のＲＦＩＤライター３２５によって、結束テープ供給部材３２３によって繰り出された結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれる。
【０３１０】
さらに、ＣＰＵ４００は、結束テープＴ２に形成されたインレット内のＩＣチップに書き込んだ帯封処理に関するＲＦＩＤデータを、紙幣束に帯封処理を施す権限を有する金融機関によって、共同管理されている中央管理サーバ４０５に出力する。こうして、中央管理サーバ４０５に、紙幣束に巻回された結束テープＴ２に、紙幣処理機の第二の紙幣帯封機構３００によって、書き込まれた帯封処理に関するＲＦＩＤデータが格納される。
【０３１１】
ＣＰＵ４００は、第二の紙幣帯封ユニット３２０の結束テープ供給部材３２３を駆動するモータ３７２に、さらに、駆動信号を出力して、結束テープ供給部材３２３を駆動させ、結束テープＴ２を、紙幣束保持手段３２２の一対の挟持部材によって挟持された紙幣束に供給させ、次いで、第二の紙幣帯封ユニット３２０の巻き付け手段３２４を駆動する巻き付けモータ３７３に駆動信号を出力して、巻き付け手段３２４により、紙幣保持手段３２２の一対の挟持部材によって挟持された紙幣束の略中央部に、結束テープＴ２を巻き付けさせ、第二の所定数に等しい数の単位紙幣束、たとえば、１０束の単位紙幣束を含む紙幣束を生成する。
【０３１２】
以上のように、第二の所定数に等しい数の単位紙幣束、たとえば、１０束の単位紙幣束を含む紙幣束が生成されると、ＣＰＵ４００は、生成された紙幣束の数を特定する第二の紙幣束生成データを、ＲＡＭ４０２の第三のメモリ領域４０２ｃ内の紙幣束に関するデータを格納するメモリ領域４０２ｃａに書き込む。
【０３１３】
こうして、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束搬送路３２７を介して、紙幣束出金口３１１に出金される。
【０３１４】
同様の処理が繰り返され、ＲＡＭ４０２に書き込まれている第二の紙幣束生成データによって特定された生成された紙幣束の数が、ＲＡＭ４０２の第三のメモリ領域４０２ｃ内の紙幣束に関するデータを格納するメモリ領域４０２ｃａに書き込まれている第二の紙幣束データ中の生成すべき紙幣束の数に等しくなると、ＣＰＵ４００は、第二の所定数に等しい数の単位紙幣束を含む紙幣束の生成処理を終了させる。
【０３１５】
本実施態様によれば、第二の紙幣帯封機構３００においては、データ読み取り部３１５に設けられた第二のＲＦＩＤリーダー３１５ｂによって、各紙幣のＲＦＩＤデータが読み取られ、ＣＰＵ４００が、第二のＲＦＩＤリーダー３１５ｂによって読み取られた各紙幣のＲＦＩＤデータに基づいて、単位紙幣束に含まれている紙幣の枚数を計数するように構成されているから、単位紙幣束を、第二の紙幣帯封機構３００に投入するのに先立って、専用の紙幣計数機を用い、あるいは、手で、単位紙幣束に含まれた紙幣の枚数を計数するという煩雑な操作を強いられることなく、容易にかつ正確に、単位紙幣束に含まれた紙幣の枚数を計数することが可能になる。
【０３１６】
さらに、本実施態様によれば、データ読み取り部３１５に設けられた第二のＲＦＩＤリーダー３１５ｂによって、単位紙幣束に含まれた紙幣に一体的に形成されているインレット内のＩＣチップに書き込まれた紙幣のＩＤデータ、金種データなどの各紙幣のＲＦＩＤデータを読み取るように構成されているから、容易にかつ正確に、異なる金種の紙幣が含まれている単位紙幣束を検出することができ、管理可能な単位紙幣束のみに帯封処理を施すことが可能になる。
【０３１７】
また、本実施態様によれば、データ読み取り部３１５に設けられた第一のＲＦＩＤリーダー３１５ａによって、単位紙幣束に巻き付けられた結束テープに一体的に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを読み取るとともに、第二のＲＦＩＤリーダー３１５ｂによって、単位紙幣束に含まれた紙幣に一体的に形成されているインレット内のＩＣチップに書き込まれた紙幣のＩＤデータ、金種データなどの各紙幣のＲＦＩＤデータを読み取り、単位紙幣束を構成している各紙幣のＲＦＩＤデータと結束テープに一体的に形成されたインレット中のＩＣチップに書き込まれた紙幣に関するＲＦＩＤデータとが一致しているか否かを判定するように構成されているから、所望のように、管理可能な単位紙幣束のみを入金することが可能になる。
【０３１８】
さらに、本実施態様によれば、第一の紙幣帯封機構２００の第一の紙幣帯封ユニット２１０に設けられたＲＦＩＤライター２１８によって、結束テープ供給部材２１７によって繰り出された結束テープＴ１に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むと、ＣＰＵ４００は、結束テープＴ１に形成されたインレット内のＩＣチップに書き込んだ帯封処理に関するデータを、紙幣束に帯封処理を施す権限を有する金融機関によって、共同管理されている中央管理サーバ４０５に出力して、中央管理サーバ４０５に、紙幣束に巻回された結束テープＴ１に、紙幣処理機の第一の紙幣帯封機構２００によって、書き込まれた帯封処理に関するデータを格納するように構成され、第二の紙幣帯封機構３００によって、単位紙幣束を帯封処理するのに先立って、ＣＰＵ４００は、中央管理サーバ４０５にアクセスして、データ読み取り部３１５から入力された帯封処理に関するＲＦＩＤデータが、中央管理サーバ４０５に格納されているか否かを判別し、その単位紙幣束の帯封処理に関するＲＦＩＤデータが、中央管理サーバ４０５に格納されていないと判定したときは、その単位紙幣束を紙幣束入金口３１０に送り出すように構成されているから、単位紙幣束を取り扱う金融機関が変わっても、統一された基準にしたがって、所望のように、単位紙幣束を管理することが可能になる。
【０３１９】
また、本実施態様によれば、第二の所定数に等しい数の単位紙幣束に帯封処理が施されて、生成された紙幣束に巻回されている結束テープＴ１に一体的に形成されたインレット中のＩＣチップには、金融機関名、支店名、紙幣処理機のＩＤデータ、オペレータの名前、帯封処理を実行する日時などの帯封処理に関するＲＦＩＤデータが書き込まれているから、結束テープＴ１に一体的に形成されたインレット中のＩＣチップに書き込まれた帯封処理に関するＲＦＩＤデータを読み取ることによって、容易に、紙幣束が生成された履歴を知ることができ、したがって、紙幣束を所望のように管理することが可能になる。
【０３２０】
さらに、本実施態様によれば、第二の紙幣帯封機構３００のデータ読み取り部３１５に設けられた第一のＲＦＩＤリーダー３１５ａによって、単位紙幣束に巻き付けられた結束テープＴ１に一体的に形成されているインレット内のＩＣチップに書き込まれたＲＦＩＤデータが読み取られ、ＲＦＩＤライター３２５によって、結束テープＴ２に一体的に形成されたインレット内のＩＣチップに、各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータが書き込まれるように構成されているから、結束テープＴ２に一体的に形成されたインレット内のＩＣチップに書き込まれたＲＦＩＤデータを読み取ることによって、個々の単位紙幣束が、帯封処理を施す権限を有する機関によって、真正に生成されたものか否かを確実に判別することができ、したがって、紙幣束を所望のように管理することが可能になる。
【０３２１】
また、本実施態様によれば、第二の紙幣帯封機構３００のデータ読み取り部３１５に設けられた第一のＲＦＩＤリーダー３１５ａによって、単位紙幣束に巻き付けられた結束テープＴ１に一体的に形成されているインレット内のＩＣチップに書き込まれたＲＦＩＤデータが読み取られ、ＲＦＩＤライター３２５によって、結束テープＴ２に一体的に形成されたインレット内のＩＣチップに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれるように構成されているから、紙幣束の生成後に、一部の単位紙幣束が、帯封処理を施す権限を有しない者によって生成された単位紙幣束によって差し替えられるなどの不正があった場合にも、結束テープＴ２に一体的に形成されたインレット内のＩＣチップに書き込まれたＲＦＩＤデータを読み取ることによって、その事実を正確に認識することができ、したがって、紙幣束を所望のように管理することが可能になる。
【０３２２】
本発明は、以上の実施態様に限定されることなく、特許請求の範囲に記載された発明の範囲内で種々の変更が可能であり、それらも本発明の範囲内に包含されるものであることはいうまでもない。
【０３２３】
たとえば、図１および図２に示された実施態様においては、紙幣入出金機は、単に、単位紙幣束を入金して、第一の紙幣束収納ボックス２５ａ、第二の紙幣束収納ボックス２５ｂ、第三の紙幣束収納ボックス２５ｃおよび第四の紙幣束収納ボックス２５ｄ内に、金種別に収納し、必要に応じて、第一の紙幣束収納ボックス２５ａ、第二の紙幣束収納ボックス２５ｂ、第三の紙幣束収納ボックス２５ｃおよび第四の紙幣束収納ボックス２５ｄ内に収納された単位紙幣束を出金するように構成されているが、さらに、図３ないし図８に示された紙幣処理機の第二の紙幣帯封機構３００と同様の機構を設け、必要に応じて、第一の紙幣束収納ボックス２５ａ、第二の紙幣束収納ボックス２５ｂ、第三の紙幣束収納ボックス２５ｃおよび第四の紙幣束収納ボックス２５ｄ内に収納された単位紙幣束を出金し、あるいは、第一の紙幣束収納ボックス２５ａ、第二の紙幣束収納ボックス２５ｂ、第三の紙幣束収納ボックス２５ｃまたは第四の紙幣束収納ボックス２５ｄ内に収納された単位紙幣束を、所定数、束ねて、結束テープで帯封処理し、所定数の単位紙幣束を含む紙幣束（大束）を生成するように構成することもできる。
【０３２４】
また、図１および図２に示された実施態様においては、紙幣入出金機のデータ読み取り手段１０は、単位紙幣束に巻き付けられた結束テープにＲＦＩＤデータを書き込むＲＦＩＤライター１０ｃを備えているが、ＲＦＩＤライター１０ｃを備えていることは必ずしも必要でない。
【０３２５】
さらに、図１および図２に示された実施態様においては、紙幣入出金機は、紙幣束入金口２にセットされた単位紙幣束のうち、偽造紙幣、外国紙幣などの受け入れ不能な紙幣を含んでいると判別された単位紙幣束および単位紙幣束を作成する権限がない者によって作成されたと認められた単位紙幣束を返却する第一の紙幣束返却口４と、紙幣束入金口２にセットされた単位紙幣束のうち、単位紙幣束を構成している紙幣は受け入れ可能であるが、単位紙幣束を構成している各紙幣のＲＦＩＤデータと結束テープに一体的に形成されたインレット中のＩＣチップに書き込まれた紙幣に関するＲＦＩＤデータとが一致していないと判別された単位紙幣束および単位紙幣束に異なる金種の紙幣が含まれていると判別された単位紙幣束を返却する第二の紙幣束返却口５を備えているが、第一の紙幣束返却口４と第二の紙幣束返却口５を備えていることは必ずしも必要でなく、少なくとも１つの紙幣束返却口を備えていればよい。
【０３２６】
また、図１および図２に示された実施態様においては、紙幣入出金機のＣＰＵ３０は、紙幣束に帯封処理を施す権限を有する金融機関によって、共同管理されている中央管理サーバ３５に接続されているが、紙幣入出金機のＣＰＵ３０が、中央管理サーバ３５に接続されていることは必ずしも必要でない。
【０３２７】
さらに、図１および図２に示された実施態様においては、ＲＡＭ３２のメモリ領域が、紙幣束に関するデータを格納する第一のメモリ領域３２ａと、単位紙幣束を構成する紙幣に関するＲＦＩＤデータおよび帯封処理に関するＲＦＩＤデータを格納する第二のメモリ領域３２ｂと、各紙幣のＲＦＩＤデータを格納する第三のメモリ領域３２ｃと、出金すべき単位紙幣束を管理するデータを格納する入金すべき単位第四のメモリ領域３２ｄとに分割されているが、ＲＡＭ３２のメモリ領域がこのように分割されていることは必ずしも必要でない。
【０３２８】
また、図１および図２に示された実施態様においては、紙幣入出金機のデータ読み取り手段１０は、単位紙幣束に巻き付けられた結束テープに一体的に形成されているインレット内のＩＣチップに書き込まれたＲＦＩＤデータを読み取る第一のＲＦＩＤリーダー１０ａと、単位紙幣束に含まれた紙幣に一体的に形成されているインレット内のＩＣチップに書き込まれたＲＦＩＤデータを読み取る第二のＲＦＩＤリーダー１０ｂとを備えているが、単一のＲＦＩＤリーダーを用いて、単位紙幣束に巻き付けられた結束テープに一体的に形成されているインレット内のＩＣチップに書き込まれたＲＦＩＤデータおよび単位紙幣束に含まれた紙幣に一体的に形成されているインレット内のＩＣチップに書き込まれたＲＦＩＤデータを読み取るようにしてもよい。
【０３２９】
また、図１および図２に示された実施態様においては、紙幣束検出部２８のＲＦＩＤリーダー２８ａによって、単位紙幣束に巻き付けられた結束テープに形成されたインレット内のＩＣチップに書き込まれたＲＦＩＤデータが読み取られて、ＣＰＵ３０に出力され、ＣＰＵ３０は、紙幣束検出部２８から入力されたＲＦＩＤデータに基づき、出金のために、紙幣束出金口３に向けて送られた単位紙幣束の金種および数に関する出金紙幣束データを、ＲＡＭ３２の第四のメモリ領域３２ｄに書き込むように構成されているが、紙幣束検出部２８のＲＦＩＤリーダー２８ａが、単位紙幣束に含まれた各紙幣に形成されたＲＦＩＤデータをも読み取るように構成し、あるいは、紙幣束検出部２８に、単位紙幣束に巻き付けられた結束テープに形成されたインレット内のＩＣチップに書き込まれたＲＦＩＤデータが読み取るＲＦＩＤリーダー２８ａに加えて、単位紙幣束に含まれた各紙幣に形成されたＲＦＩＤデータを読み取る第二のＲＦＩＤリーダーを設け、紙幣束検出部２８において読み取られた単位紙幣束に含まれた各紙幣に形成されたＲＦＩＤデータをＣＰＵ３０に出力し、ＣＰＵ３０が、紙幣束検出部２８から入力された単位紙幣束に巻き付けられた結束テープに形成されたインレット内のＩＣチップに書き込まれたＲＦＩＤデータおよび単位紙幣束に含まれた各紙幣に形成されたＲＦＩＤデータに基づいて、紙幣束検出部２８によって検出された単位紙幣束の金種が、出金すべき単位紙幣束の金種と一致するか否かを確認するように構成することもできる。この場合、紙幣束検出部２８によって検出された単位紙幣束は、第一の紙幣束収納ボックス２５ａ、第二の紙幣束収納ボックス２５ｂ、第三の紙幣束収納ボックス２５ｃあるいは第四の紙幣束収納ボックス２５ｄから繰り出されたものであるから、紙幣束検出部２８によって検出された単位紙幣束の金種が、出金すべき単位紙幣束の金種と一致しないということは、通常はあり得ないが、万が一、紙幣束検出部２８によって検出された単位紙幣束の金種と、出金すべき単位紙幣束の金種とが一致しない場合には、ＣＰＵ３０によって、紙幣束処理機の動作を停止させるように構成することによって、出金すべき単位紙幣束の金種と一致しない金種の単位紙幣束が出金されることを防止することができる。
【０３３０】
さらに、図３ないし図８に示された実施態様においては、紙幣処理機は、紙幣入出金機構１００と、第一の紙幣帯封機構２００と、第二の紙幣帯封機構３００とを備えているが、第一の紙幣帯封機構２００に、紙幣入金口１０１、データ読み取り手段１０５などを設けて、紙幣を、第一の紙幣帯封機構２００に入金するように構成し、紙幣入出金機構１００を省略することもできるし、さらに、第二の紙幣帯封機構３００を、紙幣入出金機構１００および第一の紙幣帯封機構２００から分離し、専用の紙幣束生成機として構成することもできる。
【０３３１】
また、図３ないし図８に示された実施態様においては、紙幣処理機のＣＰＵ４００は、紙幣束に帯封処理を施す権限を有する金融機関によって、共同管理されている中央管理サーバ４０５に接続されているが、紙幣入出金機のＣＰＵ４００が、中央管理サーバ４０５に接続されていることは必ずしも必要でない。
【０３３２】
さらに、図３ないし図８に示された実施態様においては、ＲＡＭ４０２のメモリ領域が、紙幣入出金機構１００に関するデータを格納する第一のメモリ領域４０２ａと、第一の紙幣帯封機構２００に関するデータを格納する第二のメモリ領域４０２ｂと、第二の紙幣帯封機構３００に関するデータを格納する第三のメモリ領域４０２ｃとに分割され、ＲＡＭ４０２の第一のメモリ領域４０２ａが、さらに、入金紙幣に関するデータを格納するメモリ領域４０２ａａと、出金すべき紙幣に関するデータを格納するメモリ領域４０２ａｂとに分割され、ＲＡＭ４０２の第二のメモリ領域４０２ｂが、さらに、紙幣束に関するデータを格納するメモリ領域４０２ｂａと、単位紙幣束を構成する紙幣に関するＲＦＩＤデータならびに金融機関名、支店名、紙幣処理機のＩＤデータおよびオペレータの名前などの帯封処理に関するＲＦＩＤデータを格納するメモリ領域４０２ｂｂと、第一の紙幣帯封機構２００から送られた紙幣に関するデータを格納するメモリ領域４０２ｂｃと、出金すべき単位紙幣束に関するデータを格納するメモリ領域４０２ｂｄとに分割されるとともに、ＲＡＭ４０２の第三のメモリ領域４０２ｃが、さらに、紙幣束に関するデータを格納するメモリ領域４０２ｃａと、紙幣束を構成する単位紙幣束に関するＲＦＩＤデータおよび帯封処理に関するＲＦＩＤデータを格納するメモリ領域４０２ｃｂとに分割されているが、ＲＡＭ４０２のメモリ領域が、このように分割されていることは必ずしも必要でない。
【０３３３】
また、図３ないし図８に示された実施態様においては、紙幣処理機の第一の紙幣帯封機構２００は、第一の紙幣集積ボックス２２１および第二の紙幣集積ボックス２２２を備えているが、紙幣処理機によって処理されるべき紙幣の金種の数に等しい数の紙幣集積ボックス、たとえば、４つの紙幣集積ボックスを備えていてもよい。
【０３３４】
さらに、図３ないし図８に示された実施態様においては、一対の挟持部材２１６ａ、２１６ｂによって挟持された所定枚数の紙幣の略中央部に、結束テープＴ１を巻き付けて、単位紙幣束を生成するのに先立って、ＲＦＩＤライター２１８によって、結束テープＴ１に一体的に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むように構成されているが、結束テープＴ１を巻き付けて、紙幣束を生成するのに先立って、結束テープＴ１に一体的に形成されたインレット内のＩＣチップに、ＲＦＩＤデータを書き込むことは必ずしも必要でなく、一対の挟持部材２１６ａ、２１６ｂによって挟持された所定枚数の紙幣の略中央部に、結束テープＴ１を巻き付けて、単位紙幣束を生成した後に、結束テープＴ１に一体的に形成されたインレット内のＩＣチップに、単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むようにすることもできる。
【０３３５】
また、図３ないし図８に示された実施態様においては、紙幣束保持部材３２２の一対の挟持部材によって挟持された紙幣束の略中央部に、結束テープＴ２を巻き付け、所定数の単位紙幣束を含む紙幣束を生成するのに先立って、結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むように構成されているが、所定数の単位紙幣束を含む紙幣束を生成するのに先立って、結束テープＴ２に形成されたインレット内のＩＣチップに、これらのＲＦＩＤデータを書き込むことは必ずしも必要でなく、紙幣束保持部材３２２の一対の挟持部材によって挟持された紙幣束の略中央部に、結束テープＴ２を巻き付け、所定数の単位紙幣束を含む紙幣束を生成し後に、結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むようにすることもできる。
【０３３６】
さらに、図３ないし図８に示された実施態様においては、第一の紙幣帯封ユニット２１０の第一の紙幣集積ボックス２２１１および第二の紙幣集積ボックス２２２、紙幣保持手段２１６、巻き付け手段、ＲＦＩＤライター２１８およびＲＦＩＤライター２１８の近傍の結束テープＴ１の搬送路が、結束テープＴ１に形成されたインレット内のＩＣチップにＲＦＩＤデータを書き込む際に、ＲＦＩＤライター２１８から発信される周波数の電波を遮蔽する材料によって形成されたケーシング２１９によって覆われているが、結束テープＴ１に形成されたインレット内のＩＣチップに、あらかじめ、固有のＩＤデータが書き込まれ、ＩＣチップが、書き込まれた固有のＩＤデータとともに、ＲＦＩＤライター２１８から発信された電波以外は受信しないように構成されている場合には、第一の紙幣帯封ユニット２１０の第一の紙幣集積ボックス２２１および第二の紙幣集積ボックス２２２、紙幣保持手段２１６、巻き付け手段、ＲＦＩＤライター２１８およびＲＦＩＤライター２１８の近傍の結束テープＴ１の搬送路が、ＲＦＩＤライター２１８から発信される周波数の電波を遮蔽する材料によって形成されたケーシング２１９によって覆われていることは必ずしも必要でない。
【０３３７】
また、図３ないし図８に示された実施態様においては、第二の紙幣帯封ユニット３２０の紙幣束集積手段３２１、紙幣束保持部材３２２、巻き付け手段３２４、ＲＦＩＤライター３２５およびＲＦＩＤライター３２５の近傍の結束テープＴ２の搬送路は、結束テープＴ２に形成されたインレット内のＩＣチップにＲＦＩＤデータを書き込む際に、ＲＦＩＤライター３２５から発信される周波数の電波を遮蔽する材料によって形成されたケーシング３２６によって覆われているが、結束テープＴ２に形成されたインレット内のＩＣチップに、あらかじめ、固有のＩＤデータが書き込まれ、ＩＣチップが、書き込まれた固有のＩＤデータとともに、ＲＦＩＤライター３２５から発信された電波以外は受信しないように構成されている場合には、第二の紙幣帯封ユニット３２０の紙幣束集積手段３２１、紙幣束保持部材３２２、巻き付け手段３２４、ＲＦＩＤライター３２５およびＲＦＩＤライター３２５の近傍の結束テープＴ２の搬送路が、ＲＦＩＤライター３２５から発信される周波数の電波を遮蔽する材料によって形成されたケーシング３２６によって覆われていることは必ずしも必要でない。
【０３３８】
さらに、前記実施態様においては、単位紙幣束に巻回された結束テープには、結束テープ用の紙を抄く際に、結束テープ用の紙にインレットを埋め込む方法、結束テープにインレットを印刷する方法などによって、ＩＣチップとアンテナを含むインレットが一体的に形成されているが、単位紙幣束に巻回された結束テープに、ＩＣチップとアンテナを含むインレットが一体的に形成されていることは必ずしも必要でなく、ＩＣチップとアンテナを含むインレットが一体的に形成されたラベルを、結束テープに貼り付けて、インレットを結束テープに形成してもよい。
【図面の簡単な説明】
【０３３９】
【図１】図１は、本発明の好ましい実施態様にかかる紙幣束入出金機の略縦断面図である。
【図２】図２は、図１に示された紙幣束入出金機の制御系、検出系、駆動系、入力系および表示系を示すブロックダイアグラムである。
【図３】図３は、本発明の別の好ましい実施態様にかかる紙幣処理機の略縦断面図である。
【図４】図４は、図３に示された紙幣処理機の制御系、検出系、駆動系、入力系および表示系を示すブロックダイアグラムである。
【図５】図５は、ＲＡＭの詳細を示すブロックダイアグラムである。
【図６】図６は、図３に示された紙幣処理機の紙幣入出金機構の駆動系を示すブロックダイアグラムである。
【図７】図７は、図３に示された紙幣処理機の第一の紙幣帯封機構の駆動系を示すブロックダイアグラムである。
【図８】図８は、図３に示された紙幣処理機の第二の紙幣帯封機構の駆動系を示すブロックダイアグラムである。
【符号の説明】
【０３４０】
１  ハウジング
２  紙幣束入金口
３  紙幣束出金口
４  第一の紙幣束返却口
５  第二の紙幣束返却口
９  紙幣束搬送路
１０  データ読み取り手段
１０ａ  第一のＲＦＩＤリーダー
１０ｂ  第二のＲＦＩＤリーダー
１０ｃ  ＲＦＩＤライター
１０ｄ  ケーシング
１１  紙幣束搬送路
１２  分岐搬送路
１３  ゲート部材
１４  分岐搬送路
１５  ゲート部材
１６  分岐搬送路
１７  分岐搬送路
１８  分岐搬送路
２１  ゲート部材
２２  ゲート部材
２３  ゲート部材
２５  紙幣束収納ユニット
２５ａ  第一の紙幣束収納ボックス
２５ｂ  第二の紙幣束収納ボックス
２５ｃ  第三の紙幣束収納ボックス
２５ｄ  第四の紙幣束収納ボックス
２６  紙幣束出金搬送路
２７ａ  第一の紙幣束繰り出し部
２７ｂ  第二の紙幣束繰り出し部
２７ｃ  第三の紙幣束繰り出し部
２７ｄ  第四の紙幣束繰り出し部
２８  紙幣束検出部
２８ａ  ＲＦＩＤリーダー
２８ｂ  ケーシング
３０  ＣＰＵ
３１  ＲＯＭ
３２  ＲＡＭ
３２ａ  ＲＡＭの第一のメモリ領域
３２ｂ  ＲＡＭの第二のメモリ領域
３２ｃ  ＲＡＭの第三のメモリ領域
３２ｄ  ＲＡＭの第四のメモリ領域
３５  中央管理サーバ
４０  繰り出しローラ駆動手段
４１  搬送ローラ駆動手段
４２  ソレノイド
４３  ソレノイド
４４  ソレノイド
４５  ソレノイド
４６  ソレノイド
４７  ＲＦＩＤライター駆動手段
５０  キーボード
５５  ディスプレイ  
６０  ハウジング
６０ａ  サブハウジング
６０ｂ  サブハウジング
６０ｃ  サブハウジング
１００  紙幣入出金機構
１０１  紙幣入金口
１０２  紙幣出金口
１０３  紙幣返却口
１０４  搬送路
１０５  紙幣判別部
１０５ａ  センサユニット
１０５ｂ  ＲＦＩＤリーダー
１０５ｃ  ケーシング
１０６  搬送路
１０７  分岐搬送路
１０８  ゲート部材
１０９  分岐搬送路
１１０  分岐搬送路
１１１  分岐搬送路
１１２  分岐搬送路
１１３  ゲート部材
１１４  ゲート部材
１１５  ゲート部材
１１６  ゲート部材
１１７  紙幣一時貯留ユニット
１１７ａ  第一の紙幣一時貯留ボックス
１１７ｂ  第二の紙幣一時貯留ボックス
１１７ｃ  第三の紙幣一時貯留ボックス
１１７ｄ  第四の紙幣一時貯留ボックス
１１８  汚損紙幣一時貯留ボックス
１２０  紙幣収納ユニット
１２０ａ  第一の紙幣収納ボックス
１２０ｂ  第二の紙幣収納ボックス
１２０ｃ  第三の紙幣収納ボックス
１２０ｄ  第四の紙幣収納ボックス
１２１  汚損紙幣収納ボックス
１２３ａ  第一の紙幣繰り出し部
１２３ｂ  第二の紙幣繰り出し部
１２３ｃ  第三の紙幣繰り出し部
１２３ｄ  第四の紙幣繰り出し部
１２５  出金紙幣搬送路
１３０  出金紙幣判別部
１３０ａ  センサユニット
１３０ｂ  ＲＦＩＤリーダー
１３０ｃ  ケーシング
１３１  分岐搬送路
１３２  ゲート部材
１３３  紙幣回収ボックス
１３５  分岐搬送路
１３６  ゲート部材
１３７  接続搬送路
１３８  ゲート部材
１５０  紙幣入出金機構の検出系
１６０  紙幣入出金機構の駆動系
１６５ａ  ローラ駆動手段
１６５ｂ  ローラ駆動手段
１６５ｃ  ローラ駆動手段
１６６  ソレノイド
１６７  ソレノイド
１６８  ソレノイド
１６９  ソレノイド
１７０  ソレノイド
１７１  ソレノイド
１７３  ソレノイド
１７５  ソレノイド
１７６  ソレノイド
１７７  ソレノイド
１７８  ソレノイド
１７９  ソレノイド
２００  第一の紙幣帯封機構
２１０  第一の紙幣帯封ユニット
２１１  第一の紙幣集積ボックス
２１２  第二の紙幣集積ボックス
２１６  紙幣保持手段
２１６ａ  挟持部材
２１６ｂ  挟持部材
２１７  結束テープ供給部材
２１８  ＲＦＩＤライター
２１９  ケーシング
２２３  第一の分岐搬送路
２２４  第二の分岐搬送路
２２５  ゲート部材
２３０  紙幣束収納ユニット
２３０ａ  第一の紙幣束収納ボックス
２３０ｂ  第二の紙幣束収納ボックス
２３０ｃ  第三の紙幣束収納ボックス
２３０ｄ  第四の紙幣束収納ボックス
２３１  紙幣束搬送機
２３２  紙幣束搬送路
２３３ａ  第一の紙幣束繰り出し部
２３３ｂ  第二の紙幣束繰り出し部
２３３ｃ  第三の紙幣束繰り出し部
２３３ｄ  第四の紙幣束繰り出し部
２３５  紙幣束出金搬送路
２３６  接続搬送路
２３７  ゲート部材
２３８  紙幣束出金口
２３９  紙幣束検出部
２３９ａ  ＲＦＩＤリーダー
２３９ｂ  ケーシング
２５０  第一の紙幣帯封機構の検出系
２６０  第一の紙幣帯封機構の駆動系
２７０  ソレノイド
２７１  第一の集積紙幣送り出し手段
２７２  第二の集積紙幣送り出し手段
２７３  モータ
２７４  モータ
２７５  モータ
２７６  巻き付けモータ
２７７  ＲＦＩＤライター駆動手段
２７８  紙幣束搬送機構駆動手段
２７９  ソレノイド
３００  第二の紙幣帯封機構
３１０  紙幣束入金口
３１１  紙幣束入金口
３１２  入金紙幣束搬送路
３１３  紙幣束搬送路
３１５  データ読み取り部
３１５ａ  第一のＲＦＩＤリーダー
３１５ｂ  第二のＲＦＩＤリーダー
３１５ｃ  ケーシング
３２０  第二の紙幣帯封ユニット
３２１  紙幣束集積手段
３２２  紙幣束保持部材
３２３  結束テープ供給部材
３２４  巻き付け手段
３２５  ＲＦＩＤライター
３２６  ケーシング
３２７  紙幣束搬送路
３５０  第二の紙幣帯封機構の検出系
３６０  第二の紙幣帯封機構の駆動系
３７０  紙幣束送り出し手段
３７１  モータ
３７２  モータ
３７３  巻き付けモータ
３７５  ＲＦＩＤライター駆動手段
４００  ＣＰＵ
４０１  ＲＯＭ
４０２  ＲＡＭ
４０２ａ  ＲＡＭの第一のメモリ領域
４０２ｂ  ＲＡＭの第二のメモリ領域
４０２ｃ  ＲＡＭの第三のメモリ領域
４０３  時計
４０５  中央管理サーバー
４１０  キーボード
４１５  ディスプレイ
【図１】
2008165290.tif 000003
【図２】
2008165290.tif 000004
【図３】
2008165290.tif 000005
【図４】
2008165290.tif 000006
【図５】
2008165290.tif 000007
【図６】
2008165290.tif 000008
【図７】
2008165290.tif 000009
【図８】
2008165290.tif 000010